(57)【要約】  基材に対して斜めから観察したとき、従来よりも真偽判別性、意匠性と視認性に優れた潜像を観察することができる潜像模様形成体を提供する。  基材の一方の面の少なくとも一部に、潜像領域と、前記潜像領域の少なくとも一部の輪郭に配置された輪郭領域と、前記潜像領域及び前記輪郭領域の背景に配置された背景領域とを備え、前記潜像領域には、凹又は凸形状を有する第１の要素が第１の方向に第１のピッチで複数配置され、前記背景領域には、前記第１の要素が前記第１の方向に前記第１のピッチで、前記潜像領域における前記第１の要素とは異なる位相で複数配置され、前記輪郭領域には、前記第１の要素が前記第１の方向に前記第１のピッチで、隣り合う前記潜像領域又は前記背景領域とは異なる位相で複数配置され、前記潜像領域、前記背景領域及び前記輪郭領域には、それぞれ、前記基材と異なる色の第２の要素が第２の方向に第２のピッチで複数配置されている。
2011013788.tif 000002
【特許請求の範囲】
【請求項１】
基材の一方の面の少なくとも一部に、潜像領域と、前記潜像領域の少なくとも一部の輪郭に配置された輪郭領域と、前記潜像領域及び前記輪郭領域の背景に配置された背景領域とを備え、
前記潜像領域には、凹又は凸形状を有する第１の要素が第１の方向に第１のピッチで複数配置され、
前記背景領域には、前記第１の要素が前記第１の方向に前記第１のピッチで、前記潜像領域における前記第１の要素とは異なる位相で複数配置され、
前記輪郭領域には、前記第１の要素が前記第１の方向に前記第１のピッチで、隣り合う前記潜像領域又は前記背景領域とは異なる位相で複数配置され、
前記潜像領域、前記背景領域及び前記輪郭領域には、それぞれ、前記基材と異なる色の第２の要素が第２の方向に第２のピッチで複数配置されていることを特徴とする潜像模様形成体。
【請求項２】
前記輪郭領域に配置された前記第１の要素は、前記潜像領域及び前記背景領域にそれぞれ配置された前記第１の要素に対して略平行に配置され、
前記第１の要素における凹形状の底点又は凸形状の頂点を、各々の前記第１の要素の長手方向全体に渡って結ぶ線を境として少なくとも一方の領域と他方の領域とに分けて、前記一方の領域を観察部、前記他方の領域を非観察部とし、
前記第２の要素は、
ｉ）前記潜像領域に配置された前記第１の要素の前記観察部の少なくとも一部及び前記背景領域に配置された前記第１の要素の前記観察部の少なくとも一部に重なり、前記輪郭領域に配置された前記第１の要素の前記観察部には重なることなく、前記潜像領域に配置された前記第１の要素の前記観察部と重なる前記第２の要素の面積率が、前記背景領域に配置された前記第１の要素の前記観察部と重なる前記第２の要素の面積率と異なり、又は、
ｉｉ）前記潜像領域に配置された前記第１の要素の前記観察部の少なくとも一部及び前記輪郭領域に配置された前記第１の要素の前記観察部の少なくとも一部に重なり、前記背景領域に配置された前記第１の要素の前記観察部には重なることなく、前記潜像領域に配置された前記第１の要素の前記観察部と重なる前記第２の要素の面積率が、前記輪郭領域に配置された前記第１の要素の前記観察部と重なる前記第２の要素の面積率と異なり、又は、
ｉｉｉ）前記背景領域に配置された前記第１の要素の前記観察部の少なくとも一部及び前記輪郭領域に配置された第１の要素の前記観察部の少なくとも一部に重なり、前記潜像領域に配置された前記第１の要素の前記観察部には重なることなく、前記背景領域に配置された前記第１の要素の前記観察部と重なる前記第２の要素の面積率が、前記輪郭領域に配置された前記第１の要素の前記観察部と重なる前記第２の要素の面積率と異なり、又は、
ｉｖ）前記潜像領域に配置された前記第１の要素の前記観察部の少なくとも一部、前記背景領域に配置された前記第１の要素の前記観察部の少なくとも一部及び前記輪郭領域に配置された前記第１の要素の前記観察部の少なくとも一部に重なり、前記潜像領域に配置された前記第１の要素の前記観察部と重なる前記第２の要素の面積率及び前記背景領域に配置された前記第１の要素の前記観察部と重なる前記第２の要素の面積率が、前記輪郭領域に配置された前記第１の要素の前記観察部と重なる前記第２の要素の面積率と異なり、
前記ｉ）乃至前記ｉｖ）のいずれか一つによって、前記潜像模様が形成されることを特徴とする請求項１記載の潜像模様形成体。
【請求項３】
前記輪郭領域に配置された前記第１の要素は、位相が相互にずれた輪郭要素及び輪郭補助要素を有し、
前記輪郭要素は、少なくとも一部が、前記潜像領域に配置された前記第１の要素又は前記背景領域に配置された前記第１の要素と同じ位相で配置され、
前記輪郭補助要素は、前記少なくとも一部の前記輪郭要素と同じ位相で配置された前記潜像領域の前記第１の要素と前記輪郭要素との間、又は、前記少なくとも一部の前記輪郭要素と同じ位相で配置された前記背景領域の前記第１の要素と前記輪郭要素との間に、前記輪郭要素と異なる位相で配置されていることを特徴とする請求項１記載の潜像模様形成体。
【請求項４】
前記第１の要素、前記輪郭要素、又は前記輪郭補助要素における凹形状の底点又は凸形状の頂点を、各々の前記第１の要素、前記輪郭要素、又は前記輪郭補助要素の長手方向全体に渡って結ぶ線を境として少なくとも一方の領域と他方の領域とに分けて、前記一方の領域を観察部、前記他方の領域を非観察部とし、
前記第２の要素は、
ｉ）前記輪郭要素と異なる位相に配置された前記背景領域に配置された前記第１の要素の前記観察部及び前記輪郭補助要素の前記観察部と重なることなく、前記輪郭要素の前記観察部の少なくとも一部と、前記輪郭要素と同じ位相に配置された前記潜像領域に配置された前記第１の要素の前記観察部の少なくとも一部に重なり、
又は前記輪郭要素と異なる位相に配置された前記潜像領域に配置された前記第１の要素の前記観察部及び前記輪郭補助要素の前記観察部と重なることなく、前記輪郭要素の前記観察部の少なくとも一部と、前記輪郭要素と同じ位相に配置された前記背景領域に配置された前記第１の要素の前記観察部の少なくとも一部に重なり、又は、
ｉｉ）前記輪郭要素と同じ位相に配置された前記背景領域に配置された前記第１の要素の前記観察部及び前記輪郭要素の前記観察部と重なることなく、前記輪郭補助要素の前記観察部の少なくとも一部と、前記輪郭要素と異なる位相に配置された前記潜像領域に配置された前記第１の要素の前記観察部の少なくとも一部に重なり、
又は前記輪郭要素と同じ位相に配置された前記潜像領域に配置された前記第１の要素の前記観察部及び前記輪郭要素の前記観察部と重なることなく、前記輪郭補助要素の前記観察部の少なくとも一部と、前記輪郭要素と異なる位相に配置された前記背景領域に配置された前記第１の要素の前記観察部の少なくとも一部に重なり、又は、
ｉｉｉ）前記輪郭要素と異なる位相に配置された前記背景領域に配置された前記第１の要素の前記観察部と重なることなく、前記輪郭要素の前記観察部の少なくとも一部と、前記輪郭補助要素の前記観察部の少なくとも一部及び前記輪郭要素と同じ位相に配置された前記潜像領域に配置された前記第１の要素の前記観察部の少なくとも一部に重なり、前記輪郭要素の前記観察部と、前記輪郭要素と同じ位相に配置された前記潜像領域に配置された前記第１の要素の前記観察部と重なる前記第２の要素の面積率が、前記輪郭補助要素の前記観察部と重なる前記第２の要素の面積率と異なり、
又は前記輪郭要素と異なる位相に配置された前記潜像領域に配置された前記第１の要素の前記観察部と重なることなく、前記輪郭要素の前記観察部の少なくとも一部、前記輪郭補助要素の前記観察部の少なくとも一部及び前記輪郭要素と同じ位相に配置された前記背景領域に配置された前記第１の要素の前記観察部の少なくとも一部に重なり、前記輪郭要素の前記観察部と、前記輪郭要素と同じ位相に配置された前記背景領域に配置された前記第１の要素の前記観察部と重なる前記第２の要素の面積率が、前記輪郭補助要素の前記観察部と重なる前記第２の要素の面積率と異なり、又は、
ｉｖ）前記輪郭補助要素の前記観察部と重なることなく、前記輪郭要素の前記観察部の少なくとも一部、前記潜像領域に配置された前記第１の要素の前記観察部の少なくとも一部及び前記背景領域に配置された前記第１の要素の前記観察部の少なくとも一部に重なり、前記輪郭要素の前記観察部と、前記輪郭要素と同じ位相に配置された前記潜像領域又は前記背景領域に配置された前記第１の要素の前記観察部と重なる前記第２の要素の面積率が、前記輪郭要素と異なる位相に配置された前記潜像領域又は前記背景領域に配置された前記第１の要素の前記観察部と重なる前記第２の要素の面積率と異なり、又は、
ｖ）前記輪郭要素の前記観察部の少なくとも一部、前記輪郭補助要素の前記観察部の少なくとも一部、前記潜像領域に配置された前記第１の要素の前記観察部の少なくとも一部及び前記背景領域に配置された前記第１の要素の前記観察部の少なくとも一部に重なり、前記輪郭要素の前記観察部と、前記輪郭要素と同じ位相に配置された前記潜像領域又は前記背景領域に配置された前記第１の要素の前記観察部と重なる前記第２要素の面積率が、前記輪郭補助要素の前記観察部と、前記輪郭要素と異なる位相に配置された前記潜像領域又は前記背景領域に配置された前記第１の要素の前記観察部と重なる前記第２要素の面積率と異なり、
前記ｉ）乃至前記ｖ）のいずれか一つによって、前記潜像模様が形成されることを特徴とする請求項３記載の潜像模様形成体。
【請求項５】
前記輪郭領域は、前記潜像領域に配置された前記第１の要素のうち、最も外側に位置した第１の要素を基準とした場合に前記潜像領域に配置された前記第１の要素と反対側に配置されており、前記潜像領域に配置された前記第１の要素のうち、最も外側に位置した前記第１の要素と隣り合う第１の要素において、部分的に位相が異なって配置された潜像隣接輪郭要素を有して成り、
前記潜像隣接輪郭要素は、前記潜像領域に配置された前記第１の要素のうち、最も外側に位置した前記第１の要素に対して、前記第１のピッチと異なるピッチで配置されていることを特徴とする請求項１記載の潜像模様形成体。
【請求項６】
前記第２の要素は、
ｉ）前記背景領域に配置された前記第１の要素の前記観察部と重なることなく、前記潜像領域に配置された前記第１の要素の前記観察部の少なくとも一部及び前記潜像隣接輪郭要素の前記観察部の少なくとも一部と重なり、前記潜像領域に配置された前記第１の要素の前記観察部と重なる前記第２の要素の面積率が、前記潜像隣接輪郭要素の前記観察部と重なる前記第２の要素の面積率と異なり、又は、
ｉｉ）前記潜像領域に配置された前記第１の要素の前記観察部に重なることなく、前記背景領域に配置された前記第１の要素の前記観察部の少なくとも一部及び前記潜像隣接輪郭要素の前記観察部の少なくとも一部に重なり、前記背景領域に配置された前記第１の要素の前記観察部と重なる前記第２の要素の面積率が、前記潜像隣接輪郭要素の観察部と重なる前記第２の要素の面積率と異なり、又は、
ｉｉｉ）前記潜像隣接輪郭要素の前記観察部と重なることなく、前記潜像領域に配置された前記第１の要素の前記観察部の少なくとも一部及び前記背景領域に配置された前記第１の要素の前記観察部の少なくとも一部と重なり、前記潜像領域に配置された前記第１の要素の前記観察部と重なる前記第２の要素の面積率が、前記背景領域に配置された前記第１の要素の前記観察部と重なる前記第２の要素の面積率と異なり、又は、
ｉｖ）前記潜像領域に配置された前記第１の要素の前記観察部の少なくとも一部、前記背景領域に配置された前記第１の要素の前記観察部の少なくとも一部及び前記潜像隣接輪郭要素の前記観察部の少なくとも一部に重なり、前記潜像領域に配置された前記第１の要素の前記観察部と重なる前記第２の要素の面積率、前記背景領域に配置された前記第１の要素の前記観察部と重なる前記第２の要素の面積率及び前記潜像隣接輪郭要素の前記観察部と重なる前記第２の要素の面積率のそれぞれが異なり、
前記ｉ）乃至前記ｉｖ）のいずれか一つによって、前記潜像模様が形成されることを特徴とする請求項５記載の潜像模様形成体。
【請求項７】
前記輪郭領域は、前記潜像隣接輪郭要素を基準とした場合に前記潜像領域に配置された第１の要素と反対側に配置され、前記潜像隣接輪郭要素に連続して隣り合う前記第１の要素のうち、少なくとも一つの前記第１の要素において、部分的に位相が異なる背景隣接輪郭要素を有し、
前記第２の要素は、前記背景領域に配置された第１の要素の前記観察部、前記潜像領域に配置された前記第１の要素の前記観察部、前記潜像隣接輪郭要素の前記観察部及び前記背景隣接輪郭要素の前記観察部のうち、少なくとも二つの前記観察部と重なることを特徴とする請求項５記載の潜像模様形成体。
【請求項８】
前記背景隣接輪郭要素は、前記潜像隣接輪郭要素を基準とした場合に前記潜像領域に配置された第１の要素と反対側に配置され、前記潜像隣接輪郭要素に連続して隣り合う、少なくとも二つ目以降の前記第１の要素において、部分的に位相が異なり、前記潜像隣接輪郭要素及び前記背景隣接輪郭要素の間に、前記背景領域に配置された前記第１の要素と同じ位相に前記輪郭要素が形成され、
前記第２の要素は、前記背景領域に配置された前記第１の要素の前記観察部、前記潜像領域に配置された前記第１の要素の前記観察部、前記輪郭要素の前記観察部、前記潜像隣接輪郭要素の前記観察部及び前記背景隣接輪郭要素の前記観察部のうち、少なくともいずれか三つの前記観察部と重なることを特徴とする請求項７記載の潜像模様形成体。
【請求項９】
前記輪郭領域は、前記潜像領域に配置された前記第１の要素のうち、最も外側に配置された前記第１の要素を基準とした場合に前記潜像領域に配置された前記第１の要素と反対側に配置され、前記潜像領域に配置された前記第１の要素のうち、最も外側の前記第１の要素と連続して隣り合う前記第１の要素のうち、少なくとも二つ目以降に配置された少なくとも一つの前記第１の要素において、部分的に位相が異なって配置された背景隣接輪郭要素を有し、前記潜像領域に配置された前記第１の要素のうち、最も外側に配置された前記第１の要素と前記背景隣接輪郭要素の間に前記背景領域に配置された前記第１の要素と同じ位相に輪郭要素が形成され、
前記第２の要素は、前記背景領域に配置された前記第１の要素の前記観察部、前記潜像領域に配置された前記第１の要素の前記観察部、前記輪郭要素の前記観察部及び前記背景隣接輪郭要素の前記観察部のうち、少なくとも二つの前記観察部と重なることを特徴とする請求項１記載の潜像模様形成体。
【請求項１０】
基材の一方の面の少なくとも一部に、潜像領域と、前記潜像領域の少なくとも一部の輪郭に配置された輪郭領域と、前記潜像領域及び前記輪郭領域の背景に配置された背景領域とを備え、
前記潜像領域には、凹又は凸形状を有する第１の要素が第１の方向に第１のピッチで複数配置され、
前記背景領域には、前記第１の要素が前記第１の方向に前記第１のピッチで、前記潜像領域における前記第１の要素とは異なる位相で複数配置され、
前記輪郭領域には、前記第１の要素が前記第１の方向に前記第１のピッチで、隣り合う前記潜像領域又は前記背景領域とは異なる位相で複数配置され、
前記潜像領域、前記背景領域及び前記輪郭領域には、それぞれ、前記基材と異なる色の第２の要素が第２の方向に第２のピッチで複数配置されており、
前記潜像領域、前記背景領域及び前記輪郭領域には、それぞれ、前記基材及び前記第２の要素と異なる色の第３の要素が第３の方向に第３のピッチで複数配置されており、
前記第１の要素における凹形状の底点又は凸形状の頂点を、各々の前記第１の要素の長手方向全体に渡って結ぶ線を境として少なくとも一方の領域と他方の領域とに分けて、前記一方の領域を観察部、前記他方の領域を非観察部とし、
前記第２の要素は、前記第３の要素と重ならず、かつ、前記潜像領域に配置された前記第１の要素の前記観察部と前記背景部に配置された前記第１の要素の前記観察部と前記輪郭領域に配置された前記第１の要素の前記観察部のうち、少なくともいずれか一つに重なり、
前記第３の要素は、前記第２の要素と重ならず、かつ、前記潜像領域に配置された前記第１の要素の前記観察部と前記背景領域に配置された前記第１の要素の前記観察部と前記輪郭領域に配置された前記第１の要素の前記観察部のうち、少なくともいずれか一つに重なり潜像模様が形成されることを特徴とする潜像模様形成体。
【請求項１１】
前記輪郭領域に配置された前記第１の要素は、前記潜像領域及び前記背景領域に配置された前記第１の要素に対して略平行に配置され、
前記第２の要素は、
ｉ）前記潜像領域に配置された前記第１の要素の前記観察部の少なくとも一部、前記背景領域に配置された前記第１の要素の前記観察部の少なくとも一部及び前記輪郭領域に配置された前記第１の要素の前記観察部の少なくとも一部のうち、いずれか一つの前記観察部の少なくとも一部に重なり、前記第３の要素は、前記第２の要素が重ならない、いずれか一つの前記観察部の少なくとも一部と重なり、又は、
ｉｉ）前記潜像領域に配置された前記第１の要素の前記観察部の少なくとも一部、前記背景領域に配置された前記第１の要素の前記観察部の少なくとも一部及び前記輪郭領域に配置された前記第１の要素の前記観察部の少なくとも一部のうち、二つの前記観察部の少なくとも一部に重なり、前記第３の要素は、前記第２の要素が重ならない、いずれか一つの前記観察部の少なくとも一部に重なり、前記第２の要素が、前記背景領域に配置された前記第１の要素の前記観察部に重なることなく、前記潜像領域に配置された前記第１の要素の前記観察部と前記輪郭領域に配置された前記第１の要素の前記観察部と重なる場合は、前記潜像領域に配置された前記第１の要素の前記観察部と重なる前記第２の要素の面積率が前記輪郭領域に配置された前記第１の要素の前記観察部と重なる前記第２の要素の面積率と異なり、又は、
前記第２の要素が、前記潜像領域に配置された前記第１の要素の前記観察部に重なることなく、前記背景領域に配置された前記第１の要素と前記輪郭領域に配置された前記第１の要素と重なる場合は、前記背景領域に配置された前記第１の要素と重なる前記第２の要素の面積率が前記輪郭領域に配置された前記第１の要素と重なる前記第２の要素の面積率と異なり、
前記ｉ）又は前記ｉｉ）によって、前記潜像模様が形成されることを特徴とする請求項１０に記載の潜像模様形成体。
【請求項１２】
前記輪郭領域に配置された前記第１の要素は、位相が相互にずれた輪郭要素及び輪郭補助要素を有し、
前記輪郭要素は、少なくとも一部が、前記潜像領域に配置された前記第１の要素又は前記背景領域に配置された前記第１の要素と同じ位相に配置され、
前記輪郭補助要素は、前記潜像領域に配置された前記第１の要素と前記輪郭要素との間、又は前記背景領域に配置された前記第１の要素と前記輪郭要素との間に、前記輪郭要素と異なる位相で配置され、
前記第２の要素は、前記背景領域に配置された前記第１の要素の前記観察部、前記潜像領域に配置された前記第１の要素の前記観察部、前記輪郭要素の前記観察部及び前記輪郭補助要素の前記観察部のうちの少なくとも一つの前記観察部に重なり、
前記第３の要素は、前記第２の要素が重ならない、前記背景領域に配置された第１の要素の前記観察部、前記潜像領域に配置された前記第１の要素の前記観察部、前記輪郭要素の前記観察部及び前記輪郭補助要素の前記観察部のうちの少なくとも一つの前記観察部と重なることを特徴とする請求項１０記載の潜像模様形成体。
【請求項１３】
前記輪郭領域は、前記潜像領域に配置された前記第１の要素のうち、最も外側に配置された前記第１の要素を基準とした場合に、前記潜像領域に配置された前記第１の要素と反対側に配置され、前記潜像領域に配置された前記第１の要素のうち、最も外側の前記第１の要素と隣り合う前記第１の要素において、部分的に位相が異なって配置された潜像隣接輪郭要素を有し、前記潜像隣接輪郭要素は、前記潜像領域に配置された前記第１の要素のうち、最も外側の前記第１の要素から前記第１のピッチと異なるピッチで配置されていることを特徴とする請求項１０記載の潜像模様形成体。
【請求項１４】
前記第２の要素は、
ｉ）前記潜像領域に配置された前記第１の要素の前記観察部、前記背景領域に配置された前記第１の要素の前記観察部及び前記潜像隣接輪郭要素の前記観察部のいずれか一つの少なくとも一部に重なり、前記第３の要素は、前記第２の要素が重ならない前記潜像領域に配置された前記第１の要素の前記観察部、前記背景領域に配置された前記第１の要素の前記観察部及び前記潜像隣接輪郭要素の前記観察部のいずれか一つの少なくとも一部と重なり、又は、
ｉｉ）前記潜像領域に配置された前記第１の要素の前記観察部の少なくとも一部と前記背景領域に配置された前記第１の要素の前記観察部の少なくとも一部と前記潜像隣接輪郭要素の観察部の少なくとも一部のいずれか二つに異なる面積率で重なり、前記第３の要素は、前記第２の要素が重ならない前記潜像領域に配置された前記第１の要素の前記観察部、前記背景領域に配置された前記第１の要素の前記観察部及び前記潜像隣接輪郭要素の前記観察部のいずれか一つの少なくとも一部と重なることを特徴とする請求項１３記載の潜像模様形成体。
【請求項１５】
前記輪郭領域は、前記潜像隣接輪郭要素を基準とした場合に、前記潜像領域に配置された前記第１の要素と反対側に配置され、前記潜像隣接輪郭要素に連続して隣り合う前記第１の要素のうち、少なくとも一つの前記第１の要素において、部分的に位相が異なる背景隣接輪郭要素を有し、
前記第２の要素は、前記背景領域に配置された前記第１の要素の前記観察部、前記潜像領域に配置された前記第１の要素の前記観察部、前記潜像隣接輪郭要素の前記観察部及び前記背景隣接輪郭要素の前記観察部のうち、少なくとも一つの前記観察部に重なり、
前記第３の要素は、前記第２の要素が重ならない、前記背景領域に配置された前記第１の要素の前記観察部、前記潜像領域に配置された前記第１の要素の前記観察部、前記潜像隣接輪郭要素の前記観察部及び前記背景隣接輪郭要素の前記観察部のうち、少なくとも一つの前記観察部と重なることを特徴とする請求項１３記載の潜像模様形成体。
【請求項１６】
前記背景隣接輪郭要素は、前記潜像隣接輪郭要素を基準とした場合に、前記潜像領域に配置された前記第１の要素に対して反対側に配置され、前記潜像隣接輪郭要素に連続して隣り合う、少なくとも二つ目以降の前記第１の要素において、部分的に位相が異なり、前記潜像隣接輪郭要素及び前記背景隣接輪郭要素の間に、前記背景領域に配置された前記第１の要素と同じ位相に輪郭要素が形成され、
前記第２の要素及び前記第３の要素は、前記背景領域に配置された前記第１の要素の前記観察部、前記潜像領域に配置された前記第１の要素の前記観察部、前記輪郭要素の前記観察部、前記潜像隣接輪郭要素の前記観察部及び前記背景隣接輪郭要素の前記観察部のうち、少なくとも三つの前記観察部に重なり、
前記第２の要素は、前記背景領域に配置された第１の要素の前記観察部、前記潜像領域に配置された第１の要素の前記観察部、前記輪郭要素の前記観察部、前記潜像隣接輪郭要素の前記観察部及び前記背景隣接輪郭要素の前記観察部のうち、少なくとも一つの前記観察部に重なり、
前記第３の要素は、前記第２の要素が重ならない、前記背景領域に配置された前記第１の要素の前記観察部、前記潜像領域に配置された前記第１の要素の前記観察部、前記輪郭要素の前記観察部、前記潜像隣接輪郭要素の前記観察部及び前記背景隣接輪郭要素の前記観察部のうち、少なくとも一つの前記観察部と重なることを特徴とする請求項１４記載の潜像模様形成体。
【請求項１７】
前記輪郭領域は、前記潜像領域に配置された前記第１の要素のうち、最も外側の前記第１の要素を基準とした場合に、前記潜像領域に配置された前記第１の要素と反対側に配置され、前記潜像領域に配置された前記第１の要素のうち、最も外側の前記第１の要素と連続して隣り合う前記第１の要素のうちの少なくとも二つ目以降に配置される少なくとも一つの前記第１の要素において、部分的に位相が異なって配置された背景隣接輪郭要素を有し、前記潜像領域に配置された第１の要素のうち、最も外側の前記第１の要素と前記背景隣接輪郭要素との間に、前記背景領域に配置された前記第１の要素と同じ位相に輪郭要素が形成され、
前記第２の要素は、前記背景領域に配置された前記第１の要素の前記観察部、前記潜像領域に配置された前記第１の要素の前記観察部、前記輪郭要素の前記観察部及び前記背景隣接輪郭要素の前記観察部のうち、少なくとも一つの前記観察部に重なり、
前記第３の要素は、前記第２の要素が重ならない、前記背景領域に配置された前記第１の要素の前記観察部、前記潜像領域に配置された前記第１の要素の前記観察部、前記輪郭要素の前記観察部及び前記背景隣接輪郭要素の前記観察部のうち、少なくとも一つの前記観察部と重なることを特徴とする請求項１０記載の潜像模様形成体。
【請求項１８】
前記第１の要素及び前記第２の要素は、
ｉ）前記第１の方向と前記第２の方向が同じ方向で、かつ、前記第１のピッチと前記第２のピッチが同一又は異なり、
ｉｉ）前記第１の方向と前記第２の方向が異なる方向で、かつ、前記第１のピッチと前記第２のピッチが同一又は異なり、
前記ｉ）又はｉｉ）によって、前記第１の要素及び前記第２の要素が形成されることを特徴とする請求項１乃至９のいずれか一項に記載の潜像模様形成体。
【請求項１９】
前記第１の要素、前記第２の要素及び前記第３の要素は、
ｉ）前記第１の方向、前記第２の方向及び前記第３の方向が同じ方向で、かつ、前記第１のピッチ、前記第２のピッチ及び前記第３のピッチが同一又は少なくとも一つのピッチが他のピッチの少なくとも一つと異なり、
ｉｉ）前記第１の方向、前記第２の方向及び前記第３の方向のうち、少なくとも一つの方向が、他の方向の少なくとも一つと異なる方向で、かつ、前記第１のピッチ、前記第２のピッチ及び前記第３のピッチが同一又は少なくとも一つのピッチが他のピッチの少なくとも一つと異なり、
前記ｉ）又はｉｉ）によって、前記第１の要素、前記第２の要素及び前記第３の要素が形成されることを特徴とする請求項１０乃至１７のいずれか一項に記載の潜像模様形成体。
【発明の詳細な説明】
【技術分野】
【０００１】
本発明は、銀行券、株券、有価証券、通行券、パスポート、商品券、カード等の偽造防止が要求される貴重印刷物に適用される、潜像模様形成体である。
【背景技術】
【０００２】
銀行券、株券、債券等の有価証券、カード、各種証明書及び重要書類等の貴重印刷物は、その性質上、偽造や改ざんされないことが要求される。その防止策としては、特殊インキによる印刷、ホログラム、スレッド、微小文字印刷等がある。【０００３】
前述のような防止策として、本出願人は、部分的に角度を異にすることによって図柄を表した各種万線模様又はレリーフ模様のいずれか少なくとも一つの模様を隆起した印刷画線で施し、印刷画線上に一定な間隔を持つ各種万線画線又は網点画線のいずれか少なくとも一つを印刷画線に対して平行又は傾斜を持たせて印刷した潜像模様形成体の発明を提案している（例えば、特許文献１参照）。【０００４】
また、本出願人は、部分的に角度を異にすることによって図柄を表した各種万線模様又はレリーフ模様のいずれか少なくとも一つの模様をエンボスによって形成された凹凸形状を有する素材に、一定な間隔を持つ各種万線画線又は網点画線のいずれか少なくとも一つを前記凹凸形状の図柄以外の部分を構成する部分に対して平行又は傾斜を持たせて印刷した潜像模様形成体の発明を提案している（例えば、特許文献２参照）。
【先行技術文献】
【特許文献】
【０００５】
【特許文献１】特許第２６０００９４号公報
【特許文献２】特許第２６１５４０１号公報
【発明の概要】
【０００６】
しかしながら、特許文献１及び特許文献２の発明は、傾けて観察したときに、潜像部と背景部が異なる色、例えば、潜像部が万線の色で観察されるとき、背景部は、基材の色で観察される又は背景部が万線の色で観察されるとき、潜像部は、基材の色で観察されるというものであるが、前述するいずれかのパターンでしか潜像を観察できないため、更に真偽判別性、意匠性に優れる潜像が観察できる印刷物が望まれる。
【０００７】
すなわち、前述したような、貴重印刷物に適用される、潜像模様形成体としては、傾けたときに潜像を観察して真偽判別ができるだけでなく、貴重印刷物としての価値に見合った、例えば、高級感のあるデザインや意匠性のある潜像が観察されることが望ましい。これと合わせて、潜像を観察して真偽判定を容易に行うために、潜像模様の視認性を高める必要がある。
【０００８】
本発明は、前述した課題を解決することを目的とするものであり、従来よりも真偽判別性、意匠性と視認性に優れた潜像を観察することができる潜像模様形成体を提供することを目的とする。
【０００９】
上記課題を解決するために、本発明の潜像模様形成体は、基材の一方の面の少なくとも一部に、潜像領域と、前記潜像領域の少なくとも一部の輪郭に配置された輪郭領域と、前記潜像領域及び前記輪郭領域の背景に配置された背景領域とを備え、前記潜像領域には、凹又は凸形状を有する第１の要素が第１の方向に第１のピッチで複数配置され、前記背景領域には、前記第１の要素が前記第１の方向に前記第１のピッチで、前記潜像領域における前記第１の要素とは異なる位相で複数配置され、前記輪郭領域には、前記第１の要素が前記第１の方向に前記第１のピッチで、隣り合う前記潜像領域又は前記背景領域とは異なる位相で複数配置され、前記潜像領域、前記背景領域及び前記輪郭領域には、それぞれ、前記基材と異なる色の第２の要素が第２の方向に第２のピッチで複数配置されていることを特徴とする。
【００１０】
また、本発明の潜像模様形成体は、前記輪郭領域に配置された前記第１の要素は、前記潜像領域及び前記背景領域にそれぞれ配置された前記第１の要素に対して略平行に配置され、前記第１の要素における凹形状の底点又は凸形状の頂点を、各々の前記第１の要素の長手方向全体に渡って結ぶ線を境として少なくとも一方の領域と他方の領域とに分けて、前記一方の領域を観察部、前記他方の領域を非観察部とし、前記第２の要素は、
ｉ）前記潜像領域に配置された前記第１の要素の前記観察部の少なくとも一部及び前記背景領域に配置された前記第１の要素の前記観察部の少なくとも一部に重なり、前記輪郭領域に配置された前記第１の要素の前記観察部には重なることなく、前記潜像領域に配置された前記第１の要素の前記観察部と重なる前記第２の要素の面積率が、前記背景領域に配置された前記第１の要素の前記観察部と重なる前記第２の要素の面積率と異なり、又は、
ｉｉ）前記潜像領域に配置された前記第１の要素の前記観察部の少なくとも一部及び前記輪郭領域に配置された前記第１の要素の前記観察部の少なくとも一部に重なり、前記背景領域に配置された前記第１の要素の前記観察部には重なることなく、前記潜像領域に配置された前記第１の要素の前記観察部と重なる前記第２の要素の面積率が、前記輪郭領域に配置された前記第１の要素の前記観察部と重なる前記第２の要素の面積率と異なり、又は、
ｉｉｉ）前記背景領域に配置された前記第１の要素の前記観察部の少なくとも一部及び前記輪郭領域に配置された第１の要素の前記観察部の少なくとも一部に重なり、前記潜像領域に配置された前記第１の要素の前記観察部には重なることなく、前記背景領域に配置された前記第１の要素の前記観察部と重なる前記第２の要素の面積率が、前記輪郭領域に配置された前記第１の要素の前記観察部と重なる前記第２の要素の面積率と異なり、又は、
ｉｖ）前記潜像領域に配置された前記第１の要素の前記観察部の少なくとも一部、前記背景領域に配置された前記第１の要素の前記観察部の少なくとも一部及び前記輪郭領域に配置された前記第１の要素の前記観察部の少なくとも一部に重なり、前記潜像領域に配置された前記第１の要素の前記観察部と重なる前記第２の要素の面積率及び前記背景領域に配置された前記第１の要素の前記観察部と重なる前記第２の要素の面積率が、前記輪郭領域に配置された前記第１の要素の前記観察部と重なる前記第２の要素の面積率と異なり、
前記ｉ）乃至前記ｉｖ）のいずれか一つによって、前記潜像模様が形成されることを特徴とする。
【００１１】
また、本発明の潜像模様形成体は、前記輪郭領域に配置された前記第１の要素は、位相が相互にずれた輪郭要素及び輪郭補助要素を有し、前記輪郭要素は、少なくとも一部が、前記潜像領域に配置された前記第１の要素又は前記背景領域に配置された前記第１の要素と同じ位相で配置され、前記輪郭補助要素は、前記少なくとも一部の前記輪郭要素と同じ位相で配置された前記潜像領域の前記第１の要素と前記輪郭要素との間、又は、前記少なくとも一部の前記輪郭要素と同じ位相で配置された前記背景領域の前記第１の要素と前記輪郭要素との間に、前記輪郭要素と異なる位相で配置されていることを特徴とする。
【００１２】
また、本発明の潜像模様形成体は、前記第１の要素、前記輪郭要素、又は前記輪郭補助要素における凹形状の底点又は凸形状の頂点を、各々の前記第１の要素、前記輪郭要素、又は前記輪郭補助要素の長手方向全体に渡って結ぶ線を境として少なくとも一方の領域と他方の領域とに分けて、前記一方の領域を観察部、前記他方の領域を非観察部とし、
前記第２の要素は、
ｉ）前記輪郭要素と異なる位相に配置された前記背景領域に配置された前記第１の要素の前記観察部及び前記輪郭補助要素の前記観察部と重なることなく、前記輪郭要素の前記観察部の少なくとも一部と、前記輪郭要素と同じ位相に配置された前記潜像領域に配置された前記第１の要素の前記観察部の少なくとも一部に重なり、
又は前記輪郭要素と異なる位相に配置された前記潜像領域に配置された前記第１の要素の前記観察部及び前記輪郭補助要素の前記観察部と重なることなく、前記輪郭要素の前記観察部の少なくとも一部と、前記輪郭要素と同じ位相に配置された前記背景領域に配置された前記第１の要素の前記観察部の少なくとも一部に重なり、又は、
ｉｉ）前記輪郭要素と同じ位相に配置された前記背景領域に配置された前記第１の要素の前記観察部及び前記輪郭要素の前記観察部と重なることなく、前記輪郭補助要素の前記観察部の少なくとも一部と、前記輪郭要素と異なる位相に配置された前記潜像領域に配置された前記第１の要素の前記観察部の少なくとも一部に重なり、
又は前記輪郭要素と同じ位相に配置された前記潜像領域に配置された前記第１の要素の前記観察部及び前記輪郭要素の前記観察部と重なることなく、前記輪郭補助要素の前記観察部の少なくとも一部と、前記輪郭要素と異なる位相に配置された前記背景領域に配置された前記第１の要素の前記観察部の少なくとも一部に重なり、又は、
ｉｉｉ）前記輪郭要素と異なる位相に配置された前記背景領域に配置された前記第１の要素の前記観察部と重なることなく、前記輪郭要素の前記観察部の少なくとも一部と、前記輪郭補助要素の前記観察部の少なくとも一部及び前記輪郭要素と同じ位相に配置された前記潜像領域に配置された前記第１の要素の前記観察部の少なくとも一部に重なり、前記輪郭要素の前記観察部と、前記輪郭要素と同じ位相に配置された前記潜像領域に配置された前記第１の要素の前記観察部と重なる前記第２の要素の面積率が、前記輪郭補助要素の前記観察部と重なる前記第２の要素の面積率と異なり、
又は前記輪郭要素と異なる位相に配置された前記潜像領域に配置された前記第１の要素の前記観察部と重なることなく、前記輪郭要素の前記観察部の少なくとも一部、前記輪郭補助要素の前記観察部の少なくとも一部及び前記輪郭要素と同じ位相に配置された前記背景領域に配置された前記第１の要素の前記観察部の少なくとも一部に重なり、前記輪郭要素の前記観察部と、前記輪郭要素と同じ位相に配置された前記背景領域に配置された前記第１の要素の前記観察部と重なる前記第２の要素の面積率が、前記輪郭補助要素の前記観察部と重なる前記第２の要素の面積率と異なり、又は、
ｉｖ）前記輪郭補助要素の前記観察部と重なることなく、前記輪郭要素の前記観察部の少なくとも一部、前記潜像領域に配置された前記第１の要素の前記観察部の少なくとも一部及び前記背景領域に配置された前記第１の要素の前記観察部の少なくとも一部に重なり、前記輪郭要素の前記観察部と、前記輪郭要素と同じ位相に配置された前記潜像領域又は前記背景領域に配置された前記第１の要素の前記観察部と重なる前記第２の要素の面積率が、前記輪郭要素と異なる位相に配置された前記潜像領域又は前記背景領域に配置された前記第１の要素の前記観察部と重なる前記第２の要素の面積率と異なり、又は、
ｖ）前記輪郭要素の前記観察部の少なくとも一部、前記輪郭補助要素の前記観察部の少なくとも一部、前記潜像領域に配置された前記第１の要素の前記観察部の少なくとも一部及び前記背景領域に配置された前記第１の要素の前記観察部の少なくとも一部に重なり、前記輪郭要素の前記観察部と、前記輪郭要素と同じ位相に配置された前記潜像領域又は前記背景領域に配置された前記第１の要素の前記観察部と重なる前記第２要素の面積率が、前記輪郭補助要素の前記観察部と、前記輪郭要素と異なる位相に配置された前記潜像領域又は前記背景領域に配置された前記第１の要素の前記観察部と重なる前記第２要素の面積率と異なり、
前記ｉ）乃至前記ｖ）のいずれか一つによって、前記潜像模様が形成されることを特徴とする。
【００１３】
また、本発明の潜像模様形成体は、前記輪郭領域は、前記潜像領域に配置された前記第１の要素のうち、最も外側に位置した第１の要素を基準とした場合に前記潜像領域に配置された前記第１の要素と反対側に配置されており、前記潜像領域に配置された前記第１の要素のうち、最も外側に位置した前記第１の要素と隣り合う第１の要素において、部分的に位相が異なって配置された潜像隣接輪郭要素を有して成り、前記潜像隣接輪郭要素は、前記潜像領域に配置された前記第１の要素のうち、最も外側に位置した前記第１の要素に対して、前記第１のピッチと異なるピッチで配置されていることを特徴とする。
【００１４】
また、本発明の潜像模様形成体は、前記第２の要素は、
ｉ）前記背景領域に配置された前記第１の要素の前記観察部と重なることなく、前記潜像領域に配置された前記第１の要素の前記観察部の少なくとも一部及び前記潜像隣接輪郭要素の前記観察部の少なくとも一部と重なり、前記潜像領域に配置された前記第１の要素の前記観察部と重なる前記第２の要素の面積率が、前記潜像隣接輪郭要素の前記観察部と重なる前記第２の要素の面積率と異なり、又は、
ｉｉ）前記潜像領域に配置された前記第１の要素の前記観察部に重なることなく、前記背景領域に配置された前記第１の要素の前記観察部の少なくとも一部及び前記潜像隣接輪郭要素の前記観察部の少なくとも一部に重なり、前記背景領域に配置された前記第１の要素の前記観察部と重なる前記第２の要素の面積率が、前記潜像隣接輪郭要素の観察部と重なる前記第２の要素の面積率と異なり、又は、
ｉｉｉ）前記潜像隣接輪郭要素の前記観察部と重なることなく、前記潜像領域に配置された前記第１の要素の前記観察部の少なくとも一部及び前記背景領域に配置された前記第１の要素の前記観察部の少なくとも一部と重なり、前記潜像領域に配置された前記第１の要素の前記観察部と重なる前記第２の要素の面積率が、前記背景領域に配置された前記第１の要素の前記観察部と重なる前記第２の要素の面積率と異なり、又は、
ｉｖ）前記潜像領域に配置された前記第１の要素の前記観察部の少なくとも一部、前記背景領域に配置された前記第１の要素の前記観察部の少なくとも一部及び前記潜像隣接輪郭要素の前記観察部の少なくとも一部に重なり、前記潜像領域に配置された前記第１の要素の前記観察部と重なる前記第２の要素の面積率、前記背景領域に配置された前記第１の要素の前記観察部と重なる前記第２の要素の面積率及び前記潜像隣接輪郭要素の前記観察部と重なる前記第２の要素の面積率のそれぞれが異なり、
前記ｉ）乃至前記ｉｖ）のいずれか一つによって、前記潜像模様が形成されることを特徴とする。
【００１５】
また、本発明の潜像模様形成体は、前記輪郭領域は、前記潜像隣接輪郭要素を基準とした場合に前記潜像領域に配置された第１の要素と反対側に配置され、前記潜像隣接輪郭要素に連続して隣り合う前記第１の要素のうち、少なくとも一つの前記第１の要素において、部分的に位相が異なる背景隣接輪郭要素を有し、
前記第２の要素は、前記背景領域に配置された第１の要素の前記観察部、前記潜像領域に配置された前記第１の要素の前記観察部、前記潜像隣接輪郭要素の前記観察部及び前記背景隣接輪郭要素の前記観察部のうち、少なくとも二つの前記観察部と重なることを特徴とする。
【００１６】
また、本発明の潜像模様形成体は、前記背景隣接輪郭要素は、前記潜像隣接輪郭要素を基準とした場合に前記潜像領域に配置された第１の要素と反対側に配置され、前記潜像隣接輪郭要素に連続して隣り合う、少なくとも二つ目以降の前記第１の要素において、部分的に位相が異なり、前記潜像隣接輪郭要素及び前記背景隣接輪郭要素の間に、前記背景領域に配置された前記第１の要素と同じ位相に前記輪郭要素が形成され、前記第２の要素は、前記背景領域に配置された前記第１の要素の前記観察部、前記潜像領域に配置された前記第１の要素の前記観察部、前記輪郭要素の前記観察部、前記潜像隣接輪郭要素の前記観察部及び前記背景隣接輪郭要素の前記観察部のうち、少なくともいずれか三つの前記観察部と重なることを特徴とする。
【００１７】
また、本発明の潜像模様形成体は、前記輪郭領域は、前記潜像領域に配置された前記第１の要素のうち、最も外側に配置された前記第１の要素を基準とした場合に前記潜像領域に配置された前記第１の要素と反対側に配置され、前記潜像領域に配置された前記第１の要素のうち、最も外側の前記第１の要素と連続して隣り合う前記第１の要素のうち、少なくとも二つ目以降に配置された少なくとも一つの前記第１の要素において、部分的に位相が異なって配置された背景隣接輪郭要素を有し、前記潜像領域に配置された前記第１の要素のうち、最も外側に配置された前記第１の要素と前記背景隣接輪郭要素の間に前記背景領域に配置された前記第１の要素と同じ位相に輪郭要素が形成され、前記第２の要素は、前記背景領域に配置された前記第１の要素の前記観察部、前記潜像領域に配置された前記第１の要素の前記観察部、前記輪郭要素の前記観察部及び前記背景隣接輪郭要素の前記観察部のうち、少なくとも二つの前記観察部と重なることを特徴とする。
【００１８】
また、本発明の潜像模様形成体は、基材の一方の面の少なくとも一部に、潜像領域と、前記潜像領域の少なくとも一部の輪郭に配置された輪郭領域と、前記潜像領域及び前記輪郭領域の背景に配置された背景領域とを備え、前記潜像領域には、凹又は凸形状を有する第１の要素が第１の方向に第１のピッチで複数配置され、前記背景領域には、前記第１の要素が前記第１の方向に前記第１のピッチで、前記潜像領域における前記第１の要素とは異なる位相で複数配置され、前記輪郭領域には、前記第１の要素が前記第１の方向に前記第１のピッチで、隣り合う前記潜像領域又は前記背景領域とは異なる位相で複数配置され、前記潜像領域、前記背景領域及び前記輪郭領域には、それぞれ、前記基材と異なる色の第２の要素が第２の方向に第２のピッチで複数配置されており、前記潜像領域、前記背景領域及び前記輪郭領域には、それぞれ、前記基材及び前記第２の要素と異なる色の第３の要素が第３の方向に第３のピッチで複数配置されており、前記第１の要素における凹形状の底点又は凸形状の頂点を、各々の前記第１の要素の長手方向全体に渡って結ぶ線を境として少なくとも一方の領域と他方の領域とに分けて、前記一方の領域を観察部、前記他方の領域を非観察部とし、前記第２の要素は、前記第３の要素と重ならず、かつ、前記潜像領域に配置された前記第１の要素の前記観察部と前記背景部に配置された前記第１の要素の前記観察部と前記輪郭領域に配置された前記第１の要素の前記観察部のうち、少なくともいずれか一つに重なり、前記第３の要素は、前記第２の要素と重ならず、かつ、前記潜像領域に配置された前記第１の要素の前記観察部と前記背景領域に配置された前記第１の要素の前記観察部と前記輪郭領域に配置された前記第１の要素の前記観察部のうち、少なくともいずれか一つに重なり潜像模様が形成されることを特徴とする。
【００１９】
また、本発明の潜像模様形成体は、前記輪郭領域に配置された前記第１の要素は、前記潜像領域及び前記背景領域に配置された前記第１の要素に対して略平行に配置され、前記第２の要素は、
ｉ）前記潜像領域に配置された前記第１の要素の前記観察部の少なくとも一部、前記背景領域に配置された前記第１の要素の前記観察部の少なくとも一部及び前記輪郭領域に配置された前記第１の要素の前記観察部の少なくとも一部のうち、いずれか一つの前記観察部の少なくとも一部に重なり、前記第３の要素は、前記第２の要素が重ならない、いずれか一つの前記観察部の少なくとも一部と重なり、又は、
ｉｉ）前記潜像領域に配置された前記第１の要素の前記観察部の少なくとも一部、前記背景領域に配置された前記第１の要素の前記観察部の少なくとも一部及び前記輪郭領域に配置された前記第１の要素の前記観察部の少なくとも一部のうち、二つの前記観察部の少なくとも一部に重なり、前記第３の要素は、前記第２の要素が重ならない、いずれか一つの前記観察部の少なくとも一部に重なり、前記第２の要素が、前記背景領域に配置された前記第１の要素の前記観察部に重なることなく、前記潜像領域に配置された前記第１の要素の前記観察部と前記輪郭領域に配置された前記第１の要素の前記観察部と重なる場合は、前記潜像領域に配置された前記第１の要素の前記観察部と重なる前記第２の要素の面積率が前記輪郭領域に配置された前記第１の要素の前記観察部と重なる前記第２の要素の面積率と異なり、又は、
前記第２の要素が、前記潜像領域に配置された前記第１の要素の前記観察部に重なることなく、前記背景領域に配置された前記第１の要素と前記輪郭領域に配置された前記第１の要素と重なる場合は、前記背景領域に配置された前記第１の要素と重なる前記第２の要素の面積率が前記輪郭領域に配置された前記第１の要素と重なる前記第２の要素の面積率と異なり、
前記ｉ）又は前記ｉｉ）によって、前記潜像模様が形成されることを特徴とする。
【００２０】
また、本発明の潜像模様形成体は、前記輪郭領域に配置された前記第１の要素は、位相が相互にずれた輪郭要素及び輪郭補助要素を有し、前記輪郭要素は、少なくとも一部が、前記潜像領域に配置された前記第１の要素又は前記背景領域に配置された前記第１の要素と同じ位相に配置され、前記輪郭補助要素は、前記潜像領域に配置された前記第１の要素と前記輪郭要素との間、又は前記背景領域に配置された前記第１の要素と前記輪郭要素との間に、前記輪郭要素と異なる位相で配置され、前記第２の要素は、前記背景領域に配置された前記第１の要素の前記観察部、前記潜像領域に配置された前記第１の要素の前記観察部、前記輪郭要素の前記観察部及び前記輪郭補助要素の前記観察部のうちの少なくとも一つの前記観察部に重なり、前記第３の要素は、前記第２の要素が重ならない、前記背景領域に配置された第１の要素の前記観察部、前記潜像領域に配置された前記第１の要素の前記観察部、前記輪郭要素の前記観察部及び前記輪郭補助要素の前記観察部のうちの少なくとも一つの前記観察部と重なることを特徴とする。
【００２１】
また、本発明の潜像模様形成体は、前記輪郭領域は、前記潜像領域に配置された前記第１の要素のうち、最も外側に配置された前記第１の要素を基準とした場合に、前記潜像領域に配置された前記第１の要素と反対側に配置され、前記潜像領域に配置された前記第１の要素のうち、最も外側の前記第１の要素と隣り合う前記第１の要素において、部分的に位相が異なって配置された潜像隣接輪郭要素を有し、前記潜像隣接輪郭要素は、前記潜像領域に配置された前記第１の要素のうち、最も外側の前記第１の要素から前記第１のピッチと異なるピッチで配置されていることを特徴とする。
【００２２】
また、本発明の潜像模様形成体は、前記第２の要素は、
ｉ）前記潜像領域に配置された前記第１の要素の前記観察部、前記背景領域に配置された前記第１の要素の前記観察部及び前記潜像隣接輪郭要素の前記観察部のいずれか一つの少なくとも一部に重なり、前記第３の要素は、前記第２の要素が重ならない前記潜像領域に配置された前記第１の要素の前記観察部、前記背景領域に配置された前記第１の要素の前記観察部及び前記潜像隣接輪郭要素の前記観察部のいずれか一つの少なくとも一部と重なり、又は、
ｉｉ）前記潜像領域に配置された前記第１の要素の前記観察部の少なくとも一部と前記背景領域に配置された前記第１の要素の前記観察部の少なくとも一部と前記潜像隣接輪郭要素の観察部の少なくとも一部のいずれか二つに異なる面積率で重なり、前記第３の要素は、前記第２の要素が重ならない前記潜像領域に配置された前記第１の要素の前記観察部、前記背景領域に配置された前記第１の要素の前記観察部及び前記潜像隣接輪郭要素の前記観察部のいずれか一つの少なくとも一部と重なることを特徴とする。
【００２３】
また、本発明の潜像模様形成体は、前記輪郭領域は、前記潜像隣接輪郭要素を基準とした場合に、前記潜像領域に配置された前記第１の要素と反対側に配置され、前記潜像隣接輪郭要素に連続して隣り合う前記第１の要素のうち、少なくとも一つの前記第１の要素において、部分的に位相が異なる背景隣接輪郭要素を有し、前記第２の要素は、前記背景領域に配置された前記第１の要素の前記観察部、前記潜像領域に配置された前記第１の要素の前記観察部、前記潜像隣接輪郭要素の前記観察部及び前記背景隣接輪郭要素の前記観察部のうち、少なくとも一つの前記観察部に重なり、前記第３の要素は、前記第２の要素が重ならない、前記背景領域に配置された前記第１の要素の前記観察部、前記潜像領域に配置された前記第１の要素の前記観察部、前記潜像隣接輪郭要素の前記観察部及び前記背景隣接輪郭要素の前記観察部のうち、少なくとも一つの前記観察部と重なることを特徴とする。
【００２４】
また、本発明の潜像模様形成体は、前記背景隣接輪郭要素は、前記潜像隣接輪郭要素を基準とした場合に、前記潜像領域に配置された前記第１の要素に対して反対側に配置され、前記潜像隣接輪郭要素に連続して隣り合う、少なくとも二つ目以降の前記第１の要素において、部分的に位相が異なり、前記潜像隣接輪郭要素及び前記背景隣接輪郭要素の間に、前記背景領域に配置された前記第１の要素と同じ位相に輪郭要素が形成され、前記第２の要素及び前記第３の要素は、前記背景領域に配置された前記第１の要素の前記観察部、前記潜像領域に配置された前記第１の要素の前記観察部、前記輪郭要素の前記観察部、前記潜像隣接輪郭要素の前記観察部及び前記背景隣接輪郭要素の前記観察部のうち、少なくとも三つの前記観察部に重なり、前記第２の要素は、前記背景領域に配置された第１の要素の前記観察部、前記潜像領域に配置された第１の要素の前記観察部、前記輪郭要素の前記観察部、前記潜像隣接輪郭要素の前記観察部及び前記背景隣接輪郭要素の前記観察部のうち、少なくとも一つの前記観察部に重なり、前記第３の要素は、前記第２の要素が重ならない、前記背景領域に配置された前記第１の要素の前記観察部、前記潜像領域に配置された前記第１の要素の前記観察部、前記輪郭要素の前記観察部、前記潜像隣接輪郭要素の前記観察部及び前記背景隣接輪郭要素の前記観察部のうち、少なくとも一つの前記観察部と重なることを特徴とする。
【００２５】
また、本発明の潜像模様形成体は、前記輪郭領域は、前記潜像領域に配置された前記第１の要素のうち、最も外側の前記第１の要素を基準とした場合に、前記潜像領域に配置された前記第１の要素と反対側に配置され、前記潜像領域に配置された前記第１の要素のうち、最も外側の前記第１の要素と連続して隣り合う前記第１の要素のうちの少なくとも二つ目以降に配置される少なくとも一つの前記第１の要素において、部分的に位相が異なって配置された背景隣接輪郭要素を有し、前記潜像領域に配置された第１の要素のうち、最も外側の前記第１の要素と前記背景隣接輪郭要素との間に、前記背景領域に配置された前記第１の要素と同じ位相に輪郭要素が形成され、前記第２の要素は、前記背景領域に配置された前記第１の要素の前記観察部、前記潜像領域に配置された前記第１の要素の前記観察部、前記輪郭要素の前記観察部及び前記背景隣接輪郭要素の前記観察部のうち、少なくとも一つの前記観察部に重なり、前記第３の要素は、前記第２の要素が重ならない、前記背景領域に配置された前記第１の要素の前記観察部、前記潜像領域に配置された前記第１の要素の前記観察部、前記輪郭要素の前記観察部及び前記背景隣接輪郭要素の前記観察部のうち、少なくとも一つの前記観察部と重なることを特徴とする。
【００２６】
また、本発明の潜像模様形成体は、前記第１の要素及び前記第２の要素は、
ｉ）前記第１の方向と前記第２の方向が同じ方向で、かつ、前記第１のピッチと前記第２のピッチが同一又は異なり、
ｉｉ）前記第１の方向と前記第２の方向が異なる方向で、かつ、前記第１のピッチと前記第２のピッチが同一又は異なり、
前記ｉ）又はｉｉ）によって、前記第１の要素及び前記第２の要素が形成されることを特徴とする。
【００２７】
また、本発明の潜像模様形成体は、前記第１の要素、前記第２の要素及び前記第３の要素は、
ｉ）前記第１の方向、前記第２の方向及び前記第３の方向が同じ方向で、かつ、前記第１のピッチ、前記第２のピッチ及び前記第３のピッチが同一又は少なくとも一つのピッチが他のピッチの少なくとも一つと異なり、
ｉｉ）前記第１の方向、前記第２の方向及び前記第３の方向のうち、少なくとも一つの方向が、他の方向の少なくとも一つと異なる方向で、かつ、前記第１のピッチ、前記第２のピッチ及び前記第３のピッチが同一又は少なくとも一つのピッチが他のピッチの少なくとも一つと異なり、
前記ｉ）又はｉｉ）によって、前記第１の要素、前記第２の要素及び前記第３の要素が形成されることを特徴とする。
【００２８】
本発明の潜像模様形成体は、反射光によって斜めから観察したときに潜像部、背景部及び輪郭部が潜像として観察されるため、意匠性に優れ、真偽判別時の視認性に優れるため、容易にその印刷物が本物か否か把握することができる。
【図面の簡単な説明】
【００２９】
【図１】第１の実施の形態の潜像模様を示す図である。
【図２】潜像模様形成体を構成する第１の模様と第２の模様を示す図である。
【図３】第１の模様を示す図である。
【図４】凸形状から成る第１の要素の断面図である。
【図５】凹形状から成る第１の要素の断面図である。
【図６】画線で構成される第１の要素の例を示す図である。
【図７】画素で構成される第１の要素の例を示す図である。
【図８】第１の模様の一部を拡大した図である。
【図９】第１の模様の潜像部、背景部及び輪郭部を示す図である。
【図１０】輪郭部の構成を示す図である。
【図１１】複数配置された輪郭要素から成る輪郭部の構成を示す図である。
【図１２】各要素を繋げて第１の模様を形成した例を示す図である。
【図１３】第２の模様を示す図である。
【図１４】第１の模様に対して傾けて形成された第２の模様を示す図である。
【図１５】第１の要素と第２の要素の配置の例を示す図である。
【図１６】凸形状で形成される第１の要素の観察部と非観察部を示す図である。
【図１７】第１の要素と第２の要素の配置の例を示す図である。
【図１８】凹形状で形成される第１の要素の観察部と非観察部を示す図である。
【図１９】凹形状で形成される第１の要素の観察部と非観察部を示す図である。
【図２０】第１の配置と斜めから観察したときに観察される潜像を示す図である。
【図２１】第２の配置と斜めから観察したときに観察される潜像を示す図である。
【図２２】第３の配置と斜めから観察したときに観察される潜像を示す図である。
【図２３】第４の配置と斜めから観察したときに観察される潜像を示す図である。
【図２４】第２の要素を傾けて配置した状態と斜めから観察したときに観察される潜像を示す図である。
【図２５】第２の実施の形態の潜像模様を示す図である。
【図２６】潜像模様形成体を構成する第１の模様と第２の模様を示す図である。
【図２７】第１の模様を示す図である。
【図２８】第１の模様の潜像部と背景部と輪郭部を示す図である。
【図２９】輪郭部の構成を示す図である。
【図３０】輪郭部の構成を示す図である。
【図３１】輪郭部の構成を示す図である。
【図３２】複数された輪郭要素と輪郭補助要素から成る輪郭部の構成を示す図である。
【図３３】各要素を繋げて第１の模様を形成した例を示す図である。
【図３４】第５の配置と斜めから観察したときに観察される潜像を示す図である。
【図３５】第６の配置と斜めから観察したときに観察される潜像を示す図である。
【図３６】第７の配置と斜めから観察したときに観察される潜像を示す図である。
【図３７】第８の配置と斜めから観察したときに観察される潜像を示す図である。
【図３８】第９の配置と斜めから観察したときに観察される潜像を示す図である。
【図３９】第３の実施の形態の潜像模様を示す図である。
【図４０】潜像模様形成体を構成する第１の模様と第２の模様を示す図である。
【図４１】第１の模様を示す図である。
【図４２】第１の構成の輪郭部を示す図である。
【図４３】潜像要素の最外線を説明する図である。
【図４４】第２の構成の輪郭部を示す図である。
【図４５】背景隣接輪郭要素の配置を示す図である。
【図４６】背景隣接輪郭要素が複数配置された輪郭部を示す図である。
【図４７】第３の構成の輪郭部を示す図である。
【図４８】第１の模様の潜像部と背景部と輪郭部を示す図である。
【図４９】各要素を繋げて第１の模様を形成した例を示す図である。
【図５０】第１０の配置と斜めから観察したときに観察される潜像を示す図である。
【図５１】第１１の配置と斜めから観察したときに観察される潜像を示す図である。
【図５２】第１２の配置と斜めから観察したときに観察される潜像を示す図である。
【図５３】第１３の配置と斜めから観察したときに観察される潜像を示す図である。
【図５４】第１４の配置と斜めから観察したときに観察される潜像を示す図である。
【図５５】第１５の配置と斜めから観察したときに観察される潜像を示す図である。
【図５６】第１５の配置と斜めから観察したときに観察される潜像を示す図である。
【図５７】第１５の配置と斜めから観察したときに観察される潜像を示す図である。
【図５８】第１６の配置と斜めから観察したときに観察される潜像を示す図である。
【図５９】第１６の配置と斜めから観察したときに観察される潜像を示す図である。
【図６０】第１６の配置と斜めから観察したときに観察される潜像を示す図である。
【図６１】第１７の配置と斜めから観察したときに観察される潜像を示す図である。
【図６２】第１８の配置と斜めから観察したときに観察される潜像を示す図である。
【図６３】背景隣接輪郭要素が複数配置されて成る第１の模様と第２の模様の配置と、斜めから観察したときに観察される潜像を示す図である。
【図６４】背景隣接輪郭要素が複数配置されて成る第１の模様と第２の模様の配置と、斜めから観察したときに観察される潜像を示す図である。
【図６５】第１９の配置と斜めから観察したときに観察される潜像を示す図である。
【図６６】第２０の配置と斜めから観察したときに観察される潜像を示す図である。
【図６７】第２１の配置と斜めから観察したときに観察される潜像を示す図である。
【図６８】第２２の配置と斜めから観察したときに観察される潜像を示す図である。
【図６９】第２３の配置と斜めから観察したときに観察される潜像を示す図である。
【図７０】第１の実施の形態から第３の実施の形態の輪郭部を複合的に形成した場合における第１の模様の潜像部と背景部と輪郭部を示す図である。
【図７１】第１の実施の形態から第３の実施の形態の輪郭部を複合的に形成した場合の第１の模様を示す図である。
【図７２】第３の模様を示す図である。
【図７３】第１の模様、第２の模様及び第３の模様の配置と、斜めから観察したときに観察される潜像を示す図である。
【図７４】実施例３の第１の模様を示す図である。
【図７５】実施例３の第１の要素、第２の要素及び第３の要素の配置と、斜めから観察したときに観察される潜像を示す図である。
【図７６】実施例６の第１の要素と第２の要素の配置と、斜めから観察したときに観察される潜像を示す図である。
【図７７】実施例８の第１の模様を示す図である。
【図７８】実施例８の第１の要素と第２の要素の配置と、斜めから観察したときに観察される潜像を示す図である。
【図７９】実施例１０の第１の模様を示す図である。
【図８０】実施例１１の潜像模様形成体が形成されたカードの例を示す図である。
【発明を実施するための形態】
【００３０】
本発明を実施するための形態について図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３１】
（第１の実施の形態）
本発明は、基材に形成された凹形状又は凸形状で成る第１の模様の上に、基材と異なる色で成る第２の模様が形成された潜像模様形成体であって、第１の模様と第２の模様の配置によって、斜めから観察したときに、第２の模様の色が観察される部分と第２の模様の色が観察されない部分が生じ、潜像が観察できるものである。第１の実施の形態は、斜めから観察すると、図１に示す潜像の図柄の左右方向の輪郭が、潜像と背景に対して異なる色で観察できる潜像模様形成体（２）である。
【００３２】
第１の実施の潜像模様形成体（２）について図１〜図２４を用いて説明する。
【００３３】
本発明の潜像模様形成体（２）は、図２に示すように、基材（１）の上に第１の模様（１０）と第２の模様（２０）が形成されて成る。基材（１）は、特に限定されるものではなく、紙、フィルム、プラスチック、それらの複合素材等を用いる。次に、潜像模様形成体（２）を構成する第１の模様（１０）と第２の模様（２０）について説明する。
【００３４】
（第１の模様）
第１の模様（１０）は、図３に示すように、基材（１）に、第１の要素（１１）が第１の方向に複数配置されて成る。なお、本発明において、「第１の方向」とは、基材（１）に第１の要素（１１）が配置される方向のことである。
【００３５】
第１の要素（１１）は、図３のＸ−Ｘ線の断面図である図４（ａ）〜（ｃ）に示すように、凸形状で形成又は図５（ａ）〜（ｃ）に示すように、凹形状で形成される。図４に示す凸形状を形成する方法の例としては、基材（１）にインキを印刷して形成することができ、また、凹形状を形成する方法の例としては、基材（１）の一部をレーザ加工によって除去することによって形成することができる。なお、凸形状と凹形状の形成方法は後述する。
【００３６】
凸形状と凹形状の構成は、図４及び図５に示す形状に限定されるものではなく、真上から観察したときに、凸形状又は凹形状の表面の略全面が観察でき、斜めから観察したときに、凸形状の場合、手前側となる表面が観察でき、奥側となる表面が観察できない形状であればよく、凹形状の場合、奥側となる表面が観察でき、手前側となる表面が観察できない形状であればよい。なお、斜めから観察したときの凸形状又は凹形状の表面の見え方については、後述する。
【００３７】
また、第１の要素（１１）は、画線又は複数の画素で構成される。本発明において、「画線」とは、直線、破線、波線等のことである。また、本説明において、「画素」とは、所定の形状を有する文字、数字、記号、図形、マーク等のことであり、画素の形状は、特に限定されるものではない。  
直線で構成される第１の要素（１１）が複数配置された例を、図６（ａ）に示す。また、破線による画線で構成される第１の要素（１１）が複数配置された例を、図６（ｂ）に示す。また、波線による画線で構成される第１の要素（１１）が複数配置された例を、図６（ｃ）に示す。また、画線内に図柄が付与された画線で構成される第１の要素（１１）が複数配置された例を、図６（ｄ）に示す。
【００３８】
図６に示す第１のピッチ（Ｐ１）は、限定されるものではないが、前述したような貴重印刷物に本発明の潜像模様形成体を形成し、斜めから観察して潜像を観察するような場合、第１のピッチ（Ｐ１）は、８０μｍ〜１０００μｍの範囲で形成されるのが好ましい。そして、上記範囲において、一定のピッチで規則的に第１の要素（１１）が配置される。
【００３９】
なお、第１のピッチ（Ｐ１）を１０００μｍより大きくしても潜像を観察することができるが、潜像の図柄を形成するための第１の模様（１０）が大きくなり、貴重印刷物を構成するデザイン、例えば、他の印刷図柄等の制約を受けるために、好ましくない。また、第１のピッチ（Ｐ１）を８０μｍより小さくすることも可能であるが、第１の要素（１１）の加工精度の問題や後述する第１の要素（１１）と第２の要素（２１）の配置で高度な位置合わせ精度を要するために、好ましくない。
【００４０】
また、画線の幅（Ｗ１）は、後述する潜像部、背景部及び輪郭部の区分けができるように、また、視認性の良好な潜像が観察できるように、第１のピッチ（Ｐ１）に対して調整して形成される。潜像部、背景部及び輪郭部を区分けするためには、画線の幅（Ｗ１）を第１のピッチ（Ｐ１）に対して、１／２より小さくするのがよい。また、視認性の良好な潜像を観察するためには、画線の幅（Ｗ１）を第１のピッチ（Ｐ１）に対して、１／５より大きくするのがよい。したがって、画線の幅（Ｗ１）の範囲は、第１のピッチ（Ｐ１）に対して１／５〜１／２の大きさの範囲が好ましく、例えば、第１のピッチ（Ｐ１）が８０μｍのときの画線の幅（Ｗ１）は、１６μｍ〜４０μｍであり、第１のピッチ（Ｐ１）が１０００μｍのときの画線の幅（Ｗ１）は、２００μｍ〜５００μｍというように、第１のピッチ（Ｐ１）に対して画線の幅（Ｗ１）を調整すればよい。
【００４１】
図４に示す第１の要素の高さ（ｈ）及び図５に示す第１の要素の深さ（ｈ）は、１０〜１００μｍの範囲で形成される。なお、第１の要素の高さ（ｈ）を１０μｍより小さくしても潜像を観察することはできるが、潜像の観察できる視点の範囲が狭くなってしまうために、好ましくない。また、第１の要素の深さ（ｈ）を１００μｍより大きくすることも可能であるが、基材（１）の厚さが限定されるとともに、加工効率が悪くなるという問題が生じるため、好ましくない。
【００４２】
第１の要素（１１）が画素で構成される場合、第１の要素（１１）は、図７に示すように、図６に示す第１の要素（１１）を構成する画線を、画素で置き換えたものとなる。画素で構成される第１の要素（１１）について、画線で構成される第１の要素（１１）と異なる点について説明する。
【００４３】
文字による画素で構成される第１の要素（１１）が複数配置された例を、図７（ａ）に示す。また、数字による画素で構成される第１の要素（１１）が複数配置された例を、図７（ｂ）に示す。また、記号による画素で構成される第１の要素（１１）が複数配置された例を、図７（ｃ）に示す。また、図形による画素で構成される第１の要素（１１）が複数配置された例を、図７（ｄ）に示す。
【００４４】
図７に示す第１のピッチ（Ｐ１）の範囲は、第１の要素（１１）が画線で構成される場合の第１のピッチ（Ｐ１）と同じで形成される。また、図７に示す画素の高さ（Ｗ１）の範囲は、第１の要素（１１）が画線で構成される場合の画線の幅（Ｗ１）と同じで形成される。    
画素の幅（Ｘ１）は、１０００μｍ以下の範囲で形成される。これは、画素によって第１の要素（１１）が構成されたとき、肉眼で観察したときに画素の形状が観察され難い大きさが、１０００μｍ以下であるからである。
【００４５】
画素のピッチ（ｐ１）は、肉眼で観察したときに第１の要素（１１）が画線として観察されるように画素の幅（Ｘ１）に応じて、適宜調整すればよい。また、画素同士が重ならないように、少なくとも画素のピッチ（ｐ１）は、画素の幅（Ｘ１）より大きくして画素が配置される。
【００４６】
以上のように説明した画線の構成と、画素の構成を複合させて一つの第１の要素（１１）を構成してもよい。また、複数配置された第１の要素（１１）ごとに、画線、画素又はそれらの複合の構成としてもよい。
【００４７】
以降の説明では、第１の要素（１１）が直線で構成される例で説明する。
【００４８】
以上のように説明した第１の要素（１１）から成る第１の模様（１０）は、規則的に配置された第１の要素（１１）の位相が部分的に異なることにより、潜像部（１２）、背景部（１３）及び輪郭部（１４）に区分けされ、輪郭部（１４）は、潜像部（１２）と背景部（１３）の間に形成される。これを説明するための図が、図８であり、図８は、図３における四角で囲まれた箇所の拡大図である。
【００４９】
本発明において、「潜像部（１２）」とは、規則的に配置された第１の要素（１１）の位相が部分的に異なることによって現される潜像の図柄の部分である。また、「背景部（１３）」とは、潜像の図柄に対して背景となる部分である。また、「輪郭部（１４）」とは、潜像の図柄の輪郭となる部分である。つまり、第１の模様（１０）の潜像部（１２）、背景部（１３）及び輪郭部（１４）は、図９に示す区分けとなる。なお、潜像の図柄は、図１に示す「Ｋ」の文字に限定されず、数字、記号、図形、マーク等で形成されてもよい。
【００５０】
以下、潜像部（１２）を構成する第１の要素を「潜像要素（１２Ａ）」と呼び、背景部（１３）を構成する第１の要素を「背景要素（１３Ａ）」と呼び、輪郭部（１４）を構成する第１の要素を「輪郭要素（１４Ａ）」と呼ぶ。
【００５１】
第１の模様（１０）を構成する潜像要素（１２Ａ）、背景要素（１３Ａ）及び輪郭要素（１４Ａ）は、それぞれが異なる位相に配置されるが、図８に示す点線の枠で囲まれた各要素は、互いに対応して配置されるものである。なお、各要素が対応して配置されるとは、点線の枠で囲まれた各要素が、１本の画線で構成される第１の要素（１１）内において部分的に位相を異ならせて成り、各要素は、第１のピッチ（Ｐ１）より小さい範囲内に形成され、点線の枠に囲まれた各要素は、隣り合う各要素を越えて配置されないということである。
【００５２】
（潜像部）
潜像要素（１２Ａ）は、背景要素（１３Ａ）に対して、第１のピッチ（Ｐ１）より小さい範囲で位相が異なるように配置される。すなわち、潜像要素（１２Ａ）と背景要素（１３Ａ）は、互いに対応する関係で配置される。なお、潜像要素（１２Ａ）は、図８（ａ）に示すように、背景要素（１３Ａ）に対して上側に位相を異ならせてもよく、また、図８（ｂ）に示すように、潜像要素（１２Ａ）を背景要素（１３Ａ）に対して下側に位相を異ならせてもよい。
【００５３】
（輪郭部）
輪郭要素（１４Ａ）は、背景要素（１３Ａ）及び潜像要素（１２Ａ）と略平行に、かつ、背景要素（１３Ａ）の位相及び潜像要素（１２Ａ）の位相と異なる位相に配置される。略平行の範囲は、背景要素（１３Ａ）及び潜像要素（１２Ａ）に対して５度以内の角度である。５度以内であれば、輪郭部（１４）の視認性に影響なく、後述する第２の要素（２１）との位置合わせにおいて、許容をもたせることができる。なお、輪郭要素（１４Ａ）は、図８に示すように、背景要素（１３Ａ）の位相と潜像要素（１２Ａ）の位相の間の位相に配置、図１０（ａ）に示すように、潜像要素（１２Ａ）の上側の位相に配置又は図１０（ｂ）に示すように、背景要素（１３Ａ）の下側の位相に配置のいずれでもよい。ただし、図１０に示すように、輪郭要素（１４Ａ）が配置される場合、輪郭要素（１４Ａ）は、点線の枠を越えて隣り合う各要素を越えない範囲で配置される。なお、輪郭要素（１４Ａ）が配置される位相は、潜像要素（１２Ａ）が、背景要素（１３Ａ）に対して下側に位相を異ならせる場合も同様である。
【００５４】
輪郭要素（１４Ａ）は、図１１に示すように、一つの輪郭要素（１４Ａ）を複数に分割して配置してもよい。図１１では、輪郭要素（１４Ａ）が二つ配置された例を示しており、この場合、複数配置された輪郭要素（１４Ａ１）と輪郭要素（１４Ａ２）は、潜像要素（１２Ａ）と背景要素（１３Ａ）と異なる位相に配置され、さらに、輪郭要素（１４Ａ１）と輪郭要素（１４Ａ２）は異なる位相に配置される。
【００５５】
これまで説明してきた潜像要素（１２Ａ）、背景要素（１３Ａ）及び輪郭要素（１４Ａ）は、図１２に示すように、繋がっていてもよい。
【００５６】
（第１の要素の加工方法）
凹形状又は凸形状の第１の要素（１１）の形成方法としては、エンボス、すき入れ、レーザ加工、インキによる印刷等を用いることができる。なお、すき入れ、レーザ加工、インキによって第１の要素（１１）を形成する場合は、第２の要素（２１）を形成する前に、第１の要素（１１）を形成する必要がある。これは、第２の要素（２１）を形成した後に、第１の要素（１１）を形成すると、凹形状又は凸形状の表面に第２の要素（２１）が形成できなくなるからである。
【００５７】
（第２の模様）
第２の模様（２０）は、図１３に示すように、基材（１）に、第２の要素（２１）が第２の方向に複数配置されて成る。なお、第２の要素（２１）は、図６及び図７に示す第１の要素（１１）と同様に、画線又は複数の画素で構成される。したがって、第１の要素（１１）の構成で説明したところは省略することとするが、第２の要素（２１）に対しては、第２のピッチ（Ｐ２）、画線の幅（Ｗ２）、画素の高さ（Ｗ２）、画素の幅（Ｘ２）及び画素のピッチ（ｐ２）とする。なお、第２の要素（２１）は、第１の要素（１１）と異なる画線又は画素で形成してもよい。また、特許第３３６８３２７号公報記載の画線構成とし、第２の要素（２１）において、一本の画線で構成される部分と三本の画線で構成される部分を形成し、一本の画線で構成される部分と三本の画線で構成される部分の単位長さ辺りの画線の面積率を同じにして形成してもよい。
【００５８】
第２のピッチ（Ｐ２）は、第１のピッチ（Ｐ１）と略同じ大きさで形成される。略同じ大きさとは、第１のピッチ（Ｐ１）に対して４／５〜６／５の大きさの範囲である。好ましくは、同じピッチとするのがよい。これは、第１のピッチ（Ｐ１）と第２のピッチ（Ｐ２）が同じ場合、第１の要素（１１）と第２の要素（２１）が必ず一定の間隔で重なるため、後述する、潜像部、背景部及び輪郭部から成る潜像の図柄を視認しやすいからである。
【００５９】
また、第２の要素（２１）の画線の幅（Ｗ２）及び画素の高さ（Ｗ２）は、少なくとも１０μｍより大きく、上限は、第１のピッチ（Ｐ1）に対して、９／１０の大きさの範囲で形成される。これは、仮に、第２の要素（２１）の画線の幅（Ｗ２）及び画素の高さ（Ｗ２）が第１のピッチ（Ｐ１）に対して９／１０より大きいと、潜像要素（１２Ａ）、背景要素（１３Ａ）及び輪郭要素（１４Ａ）に第２の要素（２１）が重なるので、コントラストが得られず潜像が観察できないからである。また、第２の要素（２１）の画線の幅（Ｗ２）及び画素の高さ（Ｗ２）が１０μｍより小さいと、第１の要素（１１）と第２の要素（２１）の重なる面積が小さいため潜像の視認性が低下するからである。
【００６０】
第２の要素（２１）の画素の幅（Ｘ２）は、第１の要素（１１）が画素で構成される場合の画素の幅（Ｘ１）と同様に、１０００μｍ以下の範囲で形成される。なお、第２の要素（２１）の画素の幅（Ｘ２）と第１の要素（１０）の画素の幅（Ｘ１）は、同じ大きさでもよいし、異なる大きさでもよい。
【００６１】
第２の要素（２１）の画素のピッチ（ｐ２）は、第１の要素（１１）が画素で構成される場合の画素のピッチ（ｐ１）と同様であり、画素の幅（Ｘ２）に応じて、第２の要素（２１）が画線として観察されるように、適宜調整すればよい。
【００６２】
以上のように説明した画線の構成と、画素の構成を複合させて一つの第２の要素（２１）を構成してもよい。また、複数配置された第２の要素（２１）ごとに、画線、画素又はそれらの複合の構成としてもよい。
【００６３】
なお、以降の説明では、第２の要素（２１）が直線で構成される例で説明する。
【００６４】
本説明において、「第２の方向」とは、第２の要素（２１）が配置される方向のことである。本発明の潜像模様形成体（２）において、第１の方向と第２の方向は、同じ方向であってもよいし、第２の方向が第１の方向と異なる方向でもよい。なお、第２の方向を第１の方向に対して異ならせて複数配置された第２の要素（２１）から成る第２の模様（２０）の例を図１４（ａ）に示す。
【００６５】
この場合、第２の要素（２１）は、図１４（ｂ）の拡大図に示すように、第１の要素（１１）が配置される方向を示すＹ−Ｙ線に対して、傾けて形成される。このとき、第１の要素（１１）と第２の要素（２１）の傾斜角（α）は、±０．５度から±３度の範囲で形成される。第１の要素（１１）と第２の要素（２１）の傾斜角（α）の好ましい範囲は、±０．５度から±１．５度である。これは、第１の要素（１１）と第２の要素（２１）の傾斜角（α）が小さい方が、潜像の図柄を視認しやすいためである。
【００６６】
第２の模様（２０）は、潜像の図柄を観察するために、第１の模様（１０）における潜像部（１２）と輪郭部（１４）に重ねる必要がある。好ましくは、第２の模様（２０）は、第１の模様（１０）全体に重ねる構成が良い。
【００６７】
第２の模様（２０）の色は、基材（１）の色と異なる色であればよく、特に限定されるものではない。
【００６８】
第２の模様（２０）の形成方法は、オフセット印刷、グラビア印刷、インクジェット印刷等の公知の印刷方法又はレーザ加工等を用いることができる。なお、印刷によって第２の要素（２１）が形成される場合は、インキから成り、レーザ加工によって第２の要素（２１）が形成される場合は、は、基材（１）がレーザによって変色されて成る。
【００６９】
（第１の模様と第２の模様の配置）
以降、第１の模様（１０）と第２の模様（２０）の配置と観察される潜像について説明するが、まず、本発明の潜像の観察原理について説明する。
【００７０】
まず、図１５〜図１９を用いて、凸形状の第１の要素（１１）が形成された基材（１）に、基材（１）と異なる色の第２の要素（２１）が形成された基材（１）を観察したときに視認される第２の要素（２１）の状況について説明する。
【００７１】
図１５（ａ）は、図４（ａ）に示す半円の凸形状の第１の要素（１１）と第２の要素（２１）が重なって配置されている状態の一例を示す平面図であり、その一部を拡大したものである。なお、Ｚ−Ｚ線は、凸形状の頂点の位置を示しており、本発明において、「凸形状の頂点」とは、基材（１）を斜めから観察したときに凸形状の手前側となる面のうち、最も高い部分のことである。
【００７２】
図１５（ａ）に示す配置では、第２の要素（２１）が、凸形状の頂点を境として、凸形状の表面の半分に重なる状態を示している。
【００７３】
図１５（ｂ）は、図１５（ａ）に示すＸ−Ｘ線における断面図を示す図である。図１５（ｂ）において、観察点（Ｌ１）は、基材（１）の真上から観察した場合の視点の位置を示しており、観察点（Ｌ２）は、図１５（ａ）に示す平行に配置された第１の要素（１１）に対して、垂直方向から、かつ、基材（１）に対して、斜めの方向から観察した場合の視点の位置を示している。また、Ｚ−Ｚ線で示した凸形状の頂点を符号（Ｑ）として図示している。そして、図１５（ａ）で示したように、第２の要素（２１）が凸形状の第１の要素（１１）の半分に重なっている状態を示している。
【００７４】
このとき、観察点（Ｌ１）のように、基材（１）の真上から観察した場合、第２の要素（２１）が視認することができ、第２の要素（２１）の色を観察することができる。        
一方、観察点（Ｌ２）のように、基材（１）を斜めから観察した場合には、凸形状の頂点（Ｑ）を境として、手前側となる凸形状の表面では観察することができるが、奥側の表面は凸形状の裏側にあたり、死角となることから観察することができない。また、基材（１）の平らな部分は、凸形状の死角となって基本的に観察することができないが、特に、凸形状の頂点（Ｑ）を境として、手前側となる凸形状の表面に近い側の部分は、第１の要素（１１）の形状や第１のピッチ（Ｐ１）及び画線の幅（Ｗ１）によって、観察されることもある。また、凸形状の頂点（Ｑ）を境として、手前側となる凸形状の表面において観察できる範囲も、第１の要素（１１）の形状、第１のピッチ（Ｐ１）及び画線の幅（Ｗ１）によって、若干の差はあるが、以降の説明では、凸形状の頂点（Ｑ）を境として、手前側となる凸形状の表面のみが観察されるものとし、基材（１）を斜めから観察したときに、凸形状の頂点（Ｑ）を境として、手前側となる凸形状の表面のことを「観察部（Ｖ）」、基材（１）を斜めから観察したときに、凸形状の頂点（Ｑ）を境として、奥側となる凸形状の表面及び基材（１）の平らな部分のことを「非観察部（Ｖ’）」として説明する。なお、図１５（ｂ）は、図１５（ａ）に示すＸ−Ｘ線の断面図であり、図１５（ｂ）に示す観察部（Ｖ）及び非観察部（Ｖ’）は、Ｘ−Ｘ線上のものであるが、実際には、図１５（ａ）及び（ｂ）に示すように、一つの第１の要素（１１）において、所定の位置における凸形状の頂点（Ｑ）を全体に渡って結ぶ線、すなわちＺ−Ｚ線を境として観察部（Ｖ）と非観察部（Ｖ’）に区分けされる。
【００７５】
続いて、図４（ｃ）に示す構成で第１の要素（１１）が形成される場合、観察部（Ｖ）と非観察部（Ｖ’）の範囲が異なるので、次に説明する。
【００７６】
図４（ｃ）に示す第１の要素（１１）が形成された基材（１）に第２の要素（２１）が重なる配置の断面図を図１６に示す。このとき、基材（１）を斜めから観察すると、手前側となる凸形状の表面（Ｖ１）と凸形状の上面（Ｖ２）に形成された第２の要素（２１）を観察することができる。しかし、凸形状の上面（Ｖ２）に形成される第２の要素（２１）は、手前側となる凸形状の表面（Ｖ１）に形成される第２の要素（２１）に対して、視認性が弱く、潜像の図柄の視認性への影響は小さいため、実際には、手前側となる凸形状の表面（Ｖ１）に重なる第２の要素（２１）によって、潜像が観察される。したがって、図４（ｃ）に示す第１の要素（１１）の観察部（Ｖ）は、斜めから観察したときに手前側となる凸形状の表面（Ｖ１）となり、頂点（Ｑ）の位置は、前述したように基材（１）を斜めから観察したときに観察される面のうち最も高い部分であり、図１６に示すとおりである。そして、図４（ｃ）に示す第１の要素（１１）の非観察部（Ｖ’）の範囲は、頂点（Ｑ）を境として、奥側となる凸形状の表面、凸形状の上面（Ｖ２）及び基材（１）の平らな部分となる。
【００７７】
このような観察部（Ｖ）と非観察部（Ｖ’）に区分けされる第１の要素（１１）において、図１５に示すように、第２の要素（２１）が、第１の要素（１１）の観察部（Ｖ）に重なる場合には、斜めから観察したときに第２の要素（２１）の色を観察することができ、第２の要素（２１）が、第１の要素（１１）の観察部（Ｖ）に重ならない場合、すなわち、第２の要素（２１）が、凸形状の奥側の表面に重なる（図示せず）又は第２の要素（２１）が、基材（１）の平らな部分に重なる（図示せず）場合には、第２の要素（２１）の色を観察することができない。
【００７８】
次に、図１５に示す配置と異なる第１の要素（１１）と第２の要素（２１）の配置について説明する。図１７は、図１５に示す配置と異なる、第１の要素（１１）と第２の要素（２１）の配置の一例を示した図である。
【００７９】
図１７（ａ）に示す配置は、第２の要素（２１）が、凸形状の観察部（Ｖ）の約半分に重なり、残りが基材（１）の平らな部分に重なる状態を示している。
【００８０】
図１７（ｂ）は、図１７（ａ）に示すＸ−Ｘ線における断面図を示す図である。このとき、凸形状の観察部（Ｖ）に第２の要素（２１）が重なっている部分のみ、その色を観察することができる。ただし、図１５に示す配置に対して、凸形状の観察部（Ｖ）に対する第２の要素（２１）の重なる面積が小さいため、薄い色で観察される。また、基材（１）の平らな部分に重なる第２の要素（２１）は、凸形状の死角となって観察することができない。
【００８１】
本発明は、以上の観察原理を利用しており、第１の模様（１０）の潜像要素（１２Ａ）、背景要素（１３Ａ）及び輪郭要素（１４Ａ）がそれぞれ異なる位相に配置することによって、第１の要素（１１）の各要素と第２の要素（２１）の重なり方がそれぞれ異なり、その結果、斜めから観察したときの第２の要素（２１）の視認性が異なることから潜像が観察できるものである。
【００８２】
これまでの説明は、第１の要素（１１）が凸形状で形成される例であるが、続いて、第１の要素（１１）が、図５（ａ）に示す半円の凹形状で形成される場合について説明する。この場合、図１８に示すように、観察点（Ｌ２）のように、基材（１）を斜めから観察すると、凹形状の底点（Ｒ）を境として、奥側となる凹形状の表面は観察することができ、手前側となる凹形状の表面は、死角となることから観察することができない。なお、本発明において、「凹形状の底点（Ｒ）」とは、基材（１）を斜めから観察したときに観察される面のうち、最も低い部分のことである。また、基材（１）を斜めから観察したときに、基材（１）の平らな部分も観察することができるが、基材（１）の平らな部分に形成される第２の要素（２１）は、凹形状の底点（Ｒ）を境として奥側となる凹形状の表面に形成される第２の要素（２１）に対して、視認性が弱く、潜像の図柄の視認性への影響は小さいため、実際には、凹形状の底点（Ｒ）を境として奥側となる凹形状の表面に重なる第２の要素（２１）によって、潜像が観察される。したがって、以降の説明では、凹形状の底点（Ｒ）を境として、奥側となる凹形状の表面のことを「観察部（Ｖ）」、基材（１）を斜めから観察したときに、凹形状の底点（Ｒ）を境として、手前側となる凹形状の表面及び基材（１）の平らな部分のことを「非観察部（Ｖ’）」として説明する。なお、図１８は、第１の要素（１１）の所定の位置における断面図であり、図１８に示す観察部（Ｖ）及び非観察部（Ｖ’）は、該位置におけるものであるが、実際には、一つの第１の要素（１１）において、所定の位置における凹形状の底点（Ｒ）を全体に渡って結ぶ線を境として観察部（Ｖ）と非観察部（Ｖ’）に区分けされる。また、第１の要素（１１）が凹形状で形成される場合においても、観察部（Ｖ）及び非観察部（Ｖ’）の範囲は、第１の要素（１１）の形状、第１のピッチ（Ｐ１）及び画線の幅（Ｗ１）によって、若干の差はある。このように、第１の要素（１１）を凹形状で形成した場合においても、観察部（Ｖ）と非観察部（Ｖ’）を設けることができ、潜像要素（１２Ａ）、背景要素（１３Ａ）及び輪郭要素（１４Ａ）の観察部（Ｖ）と第２の要素（２１）の重なり方がそれぞれ異なることによって、潜像の図柄を観察することができる。
【００８３】
続いて、図５（ｃ）に示す構成で第１の要素（１１）が形成される場合、観察部（Ｖ）と非観察部（Ｖ’）の範囲が異なるので、次に説明する。
【００８４】
図５（ｃ）に示す第１の要素（１１）が形成された基材（１）の断面図を図１９に示す。このとき、基材（１）を斜めから観察すると、凹形状の奥側となる表面（Ｖ３）と基材の平らな部分（Ｖ４）を観察することができる。しかし、基材の平らな部分（Ｖ４）に形成される第２の要素（２１）は、奥側となる凹形状の表面（Ｖ３）に形成される第２の要素（２１）に対して、視認性が弱く、潜像の図柄の視認性への影響は小さいため、実際には、奥側となる凸形状の表面（Ｖ３）に重なる第２の要素（２１）によって、潜像が観察される。また、凹形状の手前側となる表面と凹形状の下面（Ｖ５）は、基材（１）の死角となって観察することができない。したがって、図５（ｃ）に示す第１の要素（１１）の観察部（Ｖ）は、基材（１）を斜めから観察したときに凹形状の奥側となる表面（Ｖ３）となり、底点（Ｒ）の位置は、前述したように基材（１）を斜めから観察したときに観察される面のうち、最も低い部分であり、図１９に示すとおりである。そして、図１９に示す第１の要素（１１）の非観察部（Ｖ’）の範囲は、底点（Ｒ）を境として、手前側となる凹形状の表面、凹形状の下面（Ｖ５）及び基材の平らな部分（Ｖ４）となる。
【００８５】
以上、本発明の潜像の観察原理と観察部（Ｖ）と非観察部（Ｖ’）の範囲について説明したが、以降の説明では、第１の要素（１１）が図４（ａ）に示す半円の凸形状で形成される例で説明する。
【００８６】
続いて、第１の要素（１１）と第２の要素（２１）の具体的な配置と、観察される図柄について説明する。なお、第１のピッチ（Ｐ１）と第２のピッチ（Ｐ2）が同じピッチで配置されて成る第１の模様（１０）と第２の模様（２０）の配置と観察される図柄について説明する。また、観察点（Ｌ１）のように真上から観察した場合には、いずれの場合も第２の要素（２１）を観察することができるので説明を省略し、基材（１）に対して、図面の下方から、かつ、基材（１）に対して、斜めの方向から観察した場合に観察される潜像の図柄について説明する。また、以降説明する第１の要素（１１）と第２の要素（２１）の配置を示す図において、観察部（Ｖ）は、図面に示す各要素の半分から下側とし、非観察部（Ｖ’）は、図面に示す各要素の半分から上側とする。
【００８７】
第１の配置は、第２の要素（２１）が、潜像要素（１２Ａ）の観察部（Ｖ）の少なくとも一部及び背景要素（１３Ａ）の観察部（Ｖ）の少なくとも一部に重なり、輪郭要素（１４Ａ）の観察部（Ｖ）に重ならない配置である。この場合、潜像要素（１２Ａ）の観察部（Ｖ）に重なる第２の要素（２１）の面積率と、背景要素（１３Ａ）の観察部（Ｖ）に重なる第２の要素（２１）の面積率を異ならせて配置される。この配置の一例を、図２０（ａ）に示す。
【００８８】
図２０（ａ）は、第２の要素（２１）が、潜像要素（１２Ａ）の全体及び背景要素（１３Ａ）の観察部（Ｖ）の一部に重なり、輪郭要素（１４Ａ）に重ならない状態を示している。また、背景要素（１３Ａ）の観察部（Ｖ）に重なる第２の要素（２１）の面積率が、潜像要素（１２Ａ）の観察部（Ｖ）に重なる第２の要素（２１）の面積率より小さい状態を示している。
【００８９】
図２０（ａ）に示す第１の配置の潜像模様形成体（２）を斜めから観察した場合、潜像要素（１２Ａ）の観察部（Ｖ）と背景要素（１３Ａ）の観察部（Ｖ）に第２の要素（２１）が重なっているため、潜像部（１２）と背景部（１３）が第２の要素（２１）の色で観察される。このとき、背景要素（１３Ａ）の観察部（Ｖ）に重なる第２の要素（２１）の面積率が、潜像要素（１２Ａ）の観察部（Ｖ）に重なる第２の要素（２１）の面積率より小さいため、背景部（１３）は、潜像部（１２）より薄い濃度で観察される。その結果、図２０（ｂ）に示す潜像が観察され、輪郭部（１４）は白抜きの状態で観察される。
【００９０】
第２の配置は、第２の要素（２１）が、輪郭要素（１４Ａ）の観察部（Ｖ）の少なくとも一部と潜像要素（１２Ａ）の観察部（Ｖ）の少なくとも一部に重なり、背景要素（１３Ａ）の観察部（Ｖ）に重ならない配置である。この場合、輪郭要素（１４Ａ）の観察部（Ｖ）に重なる第２の要素（２１）の面積率と、潜像要素（１２Ａ）の観察部（Ｖ）に重なる第２の要素（２１）の面積率を異ならせて配置される。この配置の一例を、図２１（ａ）に示す。
【００９１】
図２１（ａ）は、第２の要素（２１）が、輪郭要素（１４Ａ）の全体及び潜像要素（１２Ａ）の観察部（Ｖ）の一部に重なり、背景要素（１３Ａ）に重ならない状態を示している。また、潜像要素（１２Ａ）の観察部（Ｖ）に重なる第２の要素（２１）の面積率が、輪郭要素（１４Ａ）の観察部（Ｖ）に重なる第２の要素（２１）の面積率より小さい状態を示している。
【００９２】
図２１（ａ）に示す第２の配置の潜像模様形成体（２）を斜めから観察した場合、潜像要素（１２Ａ）の観察部（Ｖ）と輪郭要素（１４Ａ）の観察部（Ｖ）に第２の要素（２１）が重なっているため、潜像部（１２）と輪郭部（１４）が第２の要素（２１）の色で観察される。このとき、潜像要素（１２Ａ）の観察部（Ｖ）に重なる第２の要素（２１）の面積率が、輪郭要素（１４Ａ）の観察部（Ｖ）に重なる第２の要素（２１）の面積率より小さいため、潜像部（１２）は、輪郭部（１４）より薄い濃度で観察される。その結果、図２１（ｂ）に示す潜像の図柄と輪郭が観察される。
【００９３】
第３の配置は、第２の要素（２１）が、輪郭要素（１４Ａ）の観察部（Ｖ）の少なくとも一部及び背景要素（１３Ａ）の観察部（Ｖ）の少なくとも一部に重なり、潜像要素（１２Ａ）の観察部（Ｖ）に重ならない配置である。この場合、輪郭要素（１４Ａ）の観察部（Ｖ）に重なる第２の要素（２１）の面積率と、背景要素（１３Ａ）の観察部（Ｖ）に重なる第２の要素（２１）の面積率を異ならせて配置される。この配置の一例を、図２２（ａ）に示す。
【００９４】
図２２（ａ）は、第２の要素（２１）が、輪郭要素（１４Ａ）の観察部（Ｖ）の全体及び背景要素（１３Ａ）の観察部（Ｖ）の一部と非観察部（Ｖ’）の全体に重なり、潜像要素（１２Ａ）に重ならない状態を示している。また、背景要素（１３Ａ）の観察部（Ｖ）に重なる第２の要素（２１）の面積率が、輪郭要素（１４Ａ）の観察部（Ｖ）に重なる第２の要素（２１）の面積率より小さい状態を示している。
【００９５】
図２２（ａ）に示す第３の配置の潜像模様形成体（２）を斜めから観察した場合、背景要素（１３Ａ）の観察部（Ｖ）と輪郭要素（１４Ａ）の観察部（Ｖ）に第２の要素（２１）が重なっているため、背景部（１３）と輪郭部（１４）が第２の要素（２１）の色で観察される。このとき、背景要素（１３Ａ）の観察部（Ｖ）に重なる第２の要素（２１）の面積率が、輪郭要素（１４Ａ）の観察部（Ｖ）に重なる第２の要素（２１）の面積率より小さいため、背景部（１３）は、輪郭部（１４）より薄い濃度で観察される。その結果、図２２（ｂ）に示す潜像の図柄と輪郭が観察される。
【００９６】
第４の配置は、第２の要素（２１）が、潜像要素（１２Ａ）の観察部（Ｖ）の少なくとも一部、背景要素（１３Ａ）の観察部（Ｖ）の少なくとも一部及び輪郭要素（１４Ａ）の観察部（Ｖ）の少なくとも一部に重なる配置である。この場合、潜像要素（１２Ａ）の観察部（Ｖ）に重なる第２の要素（２１）の面積率及び背景要素（１３Ａ）の観察部（Ｖ）に重なる第２の要素（２１）の面積率が、輪郭要素（１４Ａ）の観察部（Ｖ）に重なる第２の要素（２１）の面積率と異ならせて配置される。なお、潜像要素（１２Ａ）の観察部（Ｖ）に重なる第２の要素（２１）の面積率と背景要素（１３Ａ）の観察部（Ｖ）に重なる第２の要素（２１）の面積率は同じであってもよいし、異なってもよい。この配置の一例を、図２３（ａ）に示す。
【００９７】
図２３（ａ）は、第２の要素（２１）が、潜像要素（１２Ａ）の観察部（Ｖ）の一部、背景要素（１３Ａ）の観察部（Ｖ）の一部と非観察部（Ｖ’）の全体及び輪郭要素（１４Ａ）の全体に重なる状態を示している。また、潜像要素（１２Ａ）の観察部（Ｖ）に重なる第２の要素（２１）の面積率が、背景要素（１３Ａ）の観察部（Ｖ）に重なる第２の要素（２１）の面積率より小さい状態を示している。
【００９８】
図２３（ａ）に示す第４の配置の潜像模様形成体（２）を斜めから観察した場合、潜像要素（１２Ａ）の観察部（Ｖ）、背景要素（１３Ａ）の観察部（Ｖ）及び輪郭要素（１４Ａ）の観察部（Ｖ）に第２の要素（２１）が重なっているため、潜像部（１２）、背景部（１３）及び輪郭部（１４）が第２の要素（２１）の色で観察される。このとき、輪郭要素（１４Ａ）、背景要素（１３Ａ）、潜像要素（１２Ａ）の順に第２の要素（２１）が重なる面積率が小さくなるため、図２３（ｂ）に示すように、輪郭部（１４）、背景部（１３）、潜像部（１２）の順に濃度が薄い状態となって潜像が観察される。
【００９９】
第１の実施の形態では、第１の配置から第４の配置で説明したように、輪郭要素（１４Ａ）、潜像要素（１２Ａ）及び背景要素（１３Ａ）の観察部（Ｖ）に対する第２の要素（２１）の重なり方がそれぞれ異なるように配置されて、視認されるときの色彩に変化を生じさせることにより、輪郭部（１３）を有する潜像を観察することができる。
【０１００】
なお、第２の模様（２０）が第１の模様（１０）に対して傾斜している場合は、図２４（ａ）に示すように、同じ潜像要素（１２Ａ）、同じ背景要素（１３Ａ）及び同じ輪郭要素（１４Ａ）においても第２の要素（２１）が重なる面積率が異なって、視認されるときの色彩の変化を生じさせることにより、図２４（ｂ）に示すグラデーションパターンの潜像が観察される。なお、第２の模様（２０）が第１の模様（１０）に対して傾斜している場合は、以降に説明する第２の実施の形態及び第３の実施の形態においても同様にグラデーションパターンの潜像が観察される。
【０１０１】
また、第１のピッチ（Ｐ１）と第２のピッチ（Ｐ２）が異なる場合は（図示せず）、同じ潜像要素（１２Ａ）、同じ背景要素（１３Ａ）及び同じ輪郭要素（１４Ａ）においても第２の要素（２１）が重なる面積率が部分的に異なって、視認されるときの色彩の変化を生じさせることにより、モアレパターンの潜像が観察される（図示せず）。なお、第１のピッチ（Ｐ１）と第２のピッチ（Ｐ２）が異なる場合は、以降に説明する第２の実施の形態及び第３の実施の形態においても同様にモアレパターンの潜像が観察される。
【０１０２】
このように第１の実施の形態では、潜像模様の左右に、背景部（１３）又は潜像部（１２）と異なる色彩で輪郭部（１４）が観察される。
【０１０３】
（第２の実施の形態）
第２の実施の形態は、斜めから観察すると、潜像の図柄の左右方向の輪郭が、潜像部又は背景部と同じ濃度で２重に観察できる潜像模様形成体（２）であり、図２５は、潜像部と同じ濃度で２重の輪郭が観察できる潜像模様形成体（２）を示している。第２の実施の形態の潜像模様形成体（２）について、第１の実施の形態と異なる点を、図２５〜図３８を用いて説明する。
【０１０４】
第２の実施の形態の潜像模様形成体（２）は、図２６に示すように、基材（１）の上に第１の模様（１０）と第２の模様（２０）が形成されて成る。
【０１０５】
（第１の模様）
第２の実施の形態における第１の模様（１０）を図２７に示す。第２の実施の形態において、第１の模様（１０）の潜像部（１２）と背景部（１３）の構成は、第１の実施の形態と同様であり、輪郭部（１４）の構成が、第１の実施の形態と異なる。そこで、輪郭部（１４）の構成について以下に説明する。
【０１０６】
（輪郭部）
輪郭部（１４）は、図２７（ｂ）の拡大図に示すように、潜像要素（１２Ａ）と同じ位相に配置された輪郭要素（１４Ａ）と、潜像要素（１２Ａ）と輪郭要素（１４Ａ）の間に、潜像要素（１２Ａ）及び輪郭要素（１４Ａ）に対して、異なる位相に配置された第１の要素（以下、「輪郭補助要素（１４Ｂ）」と呼ぶ。）から成る。
【０１０７】
第２の実施の形態は、２重の輪郭が観察できるものであり、そのためには、潜像として出現する輪郭が、潜像部（１２）と同じ色彩で視認される必要がある。したがって、輪郭要素（１４Ａ）は、潜像要素（１２Ａ）と同じ位相に配置される。
【０１０８】
また、２重の輪郭が観察されるためには、輪郭と潜像の間の部分が潜像要素（１２Ａ）及び輪郭要素（１４Ａ）が形成された部分に対して、異なる色彩で観察される必要がある。そのため、潜像要素（１２Ａ）と輪郭要素（１４Ａ）の間に、輪郭補助要素（１４Ｂ）が、潜像要素（１２Ａ）及び輪郭要素（１４Ａ）に対して、異なる位相に配置される。
【０１０９】
なお、図２７（ｂ）に示す点線の枠で囲まれた部分において、潜像要素（１２Ａ）、背景要素（１３Ａ）、輪郭要素（１４Ａ）及び輪郭補助要素（１４Ｂ）は、第１の実施の形態と同様に、互いに対応しているものである。各要素が対応して配置されるとは、点線の枠で囲まれた各要素が、１本の画線で構成される第１の要素（１１）内において部分的に位相を異ならせて成り、各要素は、第１のピッチ（Ｐ１）より小さい範囲内に形成され、点線の枠に囲まれた各要素は、隣り合う各要素を越えて配置されないということである。
【０１１０】
このような構成によって輪郭要素（１４Ａ）及び輪郭補助要素（１４Ｂ）から成る輪郭部（１４）が、潜像部（１２）と背景部（１３）の間に形成され、潜像部（１２）、背景部（１３）及び輪郭部（１４）に区分けされた第１の模様（１０）は、図２８に示すとおりである。以下、輪郭部（１４）の構成について詳しく説明する。
【０１１１】
輪郭補助要素（１４Ｂ）の配置は、背景要素（１３Ａ）の位相と潜像要素（１２Ａ）の位相の間の位相に限定されず、図２９（ａ）に示すように、潜像要素（１２Ａ）の上側でもよいし、図２９（ｂ）に示すように、背景要素（１３Ａ）の下側でもよい。ただし、この場合、輪郭補助要素（１４Ｂ）は、点線の枠を越えて隣り合う各要素を越えない範囲で配置される。
【０１１２】
以上の説明では、輪郭要素（１４Ａ）が潜像要素（１２Ａ）と同じ位相に配置される場合について説明したが、輪郭要素（１４Ａ）が、背景要素（１３Ａ）と同じ位相に配置される構成としてもよい。
【０１１３】
この場合、図３０に示すように、輪郭要素（１４Ａ）と背景要素（１３Ａ）の間に、輪郭補助要素（１４Ｂ）が配置され、輪郭補助要素（１４Ｂ）は、輪郭要素（１４Ａ）と異なる位相に配置される。このとき、輪郭補助要素（１４Ｂ）は、潜像要素（１２Ａ）よりも上側に配置されてもよいし、背景要素（１３Ａ）よりも下側に配置されてもよく（図示せず）、前述のように、各要素が互いに対応する関係で配置される。
【０１１４】
なお、輪郭要素（１４Ａ）と輪郭補助要素（１４Ｂ）が配置される位相は、潜像要素（１２Ａ）が、背景要素（１３Ａ）に対して下側に位相を異ならせる場合も同様である。なお、以降の説明は、背景要素（１３Ａ）に対して、潜像要素（１２Ａ）の位相が上側に異なり、輪郭要素（１４Ａ）が潜像要素（１２Ａ）と同じ位相に配置される構成とする。
【０１１５】
輪郭要素（１４Ａ）と輪郭補助要素（１４Ｂ）は、背景要素（１３Ａ）及び潜像要素（１２Ａ）に対して図２７（ｂ）に示すように、平行に配置してもよいし、図３１に示すように、背景要素（１３Ａ）及び潜像要素（１２Ａ）に対して傾斜した状態で配置してもよい。ただし、この場合、輪郭要素（１４Ａ）の一部が潜像要素（１２Ａ）と同じ位相に必ず配置される。これは、前述したように、潜像要素（１２Ａ）と同じ位相に第１の要素（１１）が配置されれば、２重の輪郭が得られるからである。また、輪郭補助要素（１４Ｂ）を傾斜した状態で配置する場合においても、輪郭補助要素（１４Ｂ）は、輪郭要素（１４Ａ）と異なる位相に配置される。前述したように、輪郭補助要素（１４Ｂ）は、潜像要素（１２Ａ）及び輪郭要素（１４Ａ）に対して、異なる色彩で観察される必要があり、そのために、輪郭補助要素（１４Ｂ）が潜像要素（１２Ａ）及び輪郭要素（１４Ａ）に対して、異なる位相に配置されていれば、傾斜していてもよい。
【０１１６】
輪郭要素（１４Ａ）と輪郭補助要素（１４Ｂ）を傾斜させた場合、図３１（ｂ）に示すように、輪郭要素（１４Ａ）と輪郭補助要素（１４Ｂ）の傾斜する角度が異なっていてもよいし、図３１（ｃ）に示すように、輪郭要素（１４Ａ）と輪郭補助要素（１４Ｂ）の向きが異なってもよい。また、輪郭要素（１４Ａ）と輪郭補助要素（１４ｂ）の一方のみを傾斜させてもよい。
【０１１７】
輪郭要素（１４Ａ）と輪郭補助要素（１４Ｂ）は、輪郭部（１４）に複数配置してもよく、この場合、複数配置された輪郭要素（１４Ａ）は、潜像要素（１２Ａ）と同じ位相に配置され、複数配置された輪郭補助要素（１４Ｂ）は、潜像要素（１２Ａ）及び輪郭要素（１４Ａ）と異なる位相に配置される。図３２は、輪郭要素（１４Ａ）と輪郭補助要素（１４Ｂ）が二つずつ配置され、輪郭要素（１４Ａ）と輪郭補助要素（１４Ｂ）が、交互に配置された状態を示している。これは、輪郭要素（１４Ａ１）を一つの輪郭として観察するためには、前述したように、潜像要素（１２Ａ）との間に輪郭補助要素（１４Ｂ１）を配置する必要があり、輪郭要素（１４Ａ２）を一つの輪郭として観察するためには、輪郭要素（１４Ａ１）との間に輪郭補助要素（１４Ｂ２）を配置する必要があるからである。なお、輪郭補助要素（１４Ｂ）を複数配置する場合、図３２（ｂ）に示すように、輪郭補助要素（１４Ｂ１，１４Ｂ２）ごとに位相を異ならせてもよい。
【０１１８】
潜像要素（１２Ａ）、背景要素（１３Ａ）、輪郭要素（１４Ａ）及び輪郭補助要素（１４Ｂ）は、図３３（ａ）に示すように、繋がっていてもよい。また、輪郭要素（１４Ａ）と輪郭補助要素（１４Ｂ）を背景要素（１３Ａ）及び潜像要素（１２Ａ）に対して傾斜させた場合においても、図３３（ｂ）に示すように、背景要素（１３Ａ）と輪郭要素（１４Ａ）を繋げ、輪郭補助要素（１４Ｂ）と潜像要素（１２Ａ）を繋げてもよい。ただし、図３３（ｃ）に示すように、輪郭要素（１４Ａ）と輪郭補助要素（１４Ｂ）を繋げることによって潜像要素（１２Ａ）と同じ位相に第１の要素（１１）の一部が形成される場合には、その部分も輪郭として出現する、すなわち２本の輪郭が出現することとなるので、所望とする潜像の輪郭が１本の場合には、輪郭要素（１４Ａ）と輪郭補助要素（１４Ｂ）は、繋げない構成とすればよい。
【０１１９】
（第１の模様と第２の模様の配置及び観察画像）
以降、第１の模様（１０）と第２の模様（２０）の配置と観察される画像について説明する。なお、第１のピッチ（Ｐ１）と第２のピッチ（Ｐ2）が同じピッチで配置されて成る第１の模様（１０）と第２の模様（２０）の配置と観察される図柄について説明する。第２の実施の形態においては、第５の配置から説明する。
【０１２０】
第５の配置は、第２の要素（２１）が、輪郭要素（１４Ａ）の観察部（Ｖ）の少なくとも一部と、輪郭要素（１４Ａ）と同じ位相に配置された潜像要素（１２Ａ）の観察部（Ｖ）の少なくとも一部又は輪郭要素（１４Ａ）と同じ位相に配置された背景要素（１３Ａ）の観察部（Ｖ）の少なくとも一部に重なり、輪郭要素（１４Ａ）と異なる位相に配置された潜像要素（１２Ａ）又は輪郭要素（１４Ａ）と異なる位相に配置された背景要素（１３Ａ）の観察部（Ｖ）と、輪郭補助要素（１４Ｂ）の観察部（Ｖ）に重ならない配置である。この配置の一例を、図３４（ａ）に示す。
【０１２１】
図３４（ａ）は、第２の要素（２１）が、潜像要素（１２Ａ）の全体及び輪郭要素（１４Ａ）の全体に重なり、背景要素（１３Ａ）及び輪郭補助要素（１４Ｂ）に重ならない状態を示している。
【０１２２】
図３４（ａ）に示す第５の配置の潜像模様形成体（２）を斜めから観察した場合、潜像要素（１２Ａ）と輪郭要素（１４Ａ）の観察部（Ｖ）に第２の要素（２１）が重なっているため、潜像部（１２）と輪郭部（１４）が第２の要素（２１）の色で観察される。その結果、図３４（ｂ）に示すように、輪郭が２重となった潜像が観察される。
【０１２３】
第６の配置は、第２の要素（２１）が、輪郭補助要素（１４Ｂ）の観察部（Ｖ）の少なくとも一部と、輪郭要素（１４Ａ）と異なる位相に配置された潜像要素（１２Ａ）の観察部（Ｖ）の少なくとも一部又は輪郭要素（１４Ａ）と異なる位相に配置された背景要素（１３Ａ）の観察部（Ｖ）の少なくとも一部に重なり、輪郭要素（１４Ａ）と同じ位相に配置された潜像要素（１２Ａ）又は輪郭要素（１４Ａ）と同じ位相に配置された背景要素（１３Ａ）の観察部（Ｖ）と、輪郭要素（１４Ａ）の観察部（Ｖ）に重ならない配置である。なお、輪郭補助要素（１４Ｂ）に重なる第２の要素（２１）の面積率は、輪郭要素（１４Ａ）と異なる位相に配置された潜像要素（１２Ａ）の観察部（Ｖ）又は輪郭要素（１４Ａ）と異なる位相に配置された背景要素（１３Ａ）の観察部（Ｖ）に重なる第２の要素（２１）の面積率と同じでもよいし、異なってもよい。この配置の一例を、図３５（ａ）に示す。
【０１２４】
図３５（ａ）は、第２の要素（２１）が、背景要素（１３Ａ）の全体及び輪郭補助要素（１４Ｂ）の観察部（Ｖ）の全体に重なり、潜像要素（１２Ａ）及び輪郭要素（１４Ａ）に重ならない状態を示している。また、背景要素（１３Ａ）の観察部（Ｖ）と輪郭補助要素（１４Ｂ）の観察部（Ｖ）に重なる第２の要素（２１）の面積率が同じ状態を示している。
【０１２５】
図３５（ａ）に示す第６の配置の潜像模様形成体（２）を斜めから観察した場合、図３５（ｂ）に示すように、第５の配置の潜像に対してネガポジ反転したような潜像が観察される。
【０１２６】
第７の配置は、第２の要素（２１）が、輪郭要素（１４Ａ）の観察部（Ｖ）の少なくとも一部及び輪郭補助要素（１４Ｂ）の観察部（Ｖ）の少なくとも一部と、輪郭要素（１４Ａ）と同じ位相に配置された潜像要素（１２Ａ）又は輪郭要素と同じ位相に配置された背景要素（１３Ａ）の観察部（Ｖ）の少なくとも一部に重なり、輪郭要素（１４Ａ）と異なる位相に配置された潜像要素（１２Ａ）又は輪郭要素（１４Ａ）と異なる位相に配置された背景要素（１３Ａ）の観察部（Ｖ）に重ならない配置である。この場合、輪郭要素（１４Ａ）の観察部（Ｖ）と、輪郭要素（１４Ａ）と同じ位相に配置された潜像要素（１２Ａ）又は輪郭要素（１４Ａ）と同じ位相に配置された背景要素（１４Ａ）の観察部（Ｖ）に重なる第２の要素（２１）の面積率を、輪郭補助要素（１４Ｂ）の観察部（Ｖ）に重なる第２の要素（２１）の面積率と異ならせて配置される。この配置の一例を、図３６（ａ）に示す。
【０１２７】
図３６（ａ）は、第２の要素（２１）が、潜像要素（１２Ａ）の観察部（Ｖ）の全体、輪郭要素（１４Ａ）の観察部（Ｖ）の全体及び輪郭補助要素（１４Ｂ）の観察部（Ｖ）の一部と非観察部（Ｖ’）の全体に重なり、背景要素（１３Ａ）に重ならない状態を示している。また、潜像要素（１２Ａ）の観察部（Ｖ）と輪郭要素（１４Ａ）の観察部（Ｖ）に重なる第２の要素（２１）の面積率が、輪郭補助要素（１４Ｂ）の観察部（Ｖ）に重なる第２の要素（２１）の面積率よりも大きい状態を示している。
【０１２８】
図３６（ａ）に示す第７の配置の潜像模様形成体（２）を斜めから観察した場合、潜像要素（１２Ａ）、輪郭要素（１４Ａ）及び輪郭補助要素（１４Ｂ）が形成された部分が、第２の要素（２１）の色で観察され、さらに、輪郭補助要素（１４Ｂ）が形成された部分は、潜像要素（１２Ａ）及び輪郭要素（１４Ａ）が形成された部分に対して薄い濃度で視認され、結果的に、図３６（ｂ）に示す潜像と輪郭が観察される。
【０１２９】
第８の配置は、第２の要素（２１）が、輪郭要素（１４Ａ）の観察部（Ｖ）の少なくとも一部、潜像要素（１２Ａ）の観察部（Ｖ）の少なくとも一部及び背景要素（１３Ａ）の観察部（Ｖ）の少なくとも一部に重なり、輪郭補助要素（１４Ｂ）の観察部（Ｖ）に重ならない配置である。この場合、輪郭要素（１４Ａ）の観察部（Ｖ）と、輪郭要素（１４Ａ）と同じ位相に配置された潜像要素（１２Ａ）又は輪郭要素（１４Ａ）と同じ位相に配置された背景要素（１３Ａ）の観察部（Ｖ）に重なる第２の要素（２１）の面積率が、輪郭要素（１４Ａ）と異なる位相に配置された潜像要素（１２Ａ）又は輪郭要素（１４Ａ）と異なる位相に配置された背景要素（１３Ａ）の観察部（Ｖ）に重なる第２の要素（２１）の面積率と異ならせて配置される。この配置の一例を、図３７（ａ）に示す。
【０１３０】
図３７（ａ）は、第２の要素（２１）が、潜像要素（１２Ａ）の全体、輪郭要素（１４Ａ）の全体及び背景要素（１３Ａ）の観察部（Ｖ）の一部に重なり、輪郭補助要素（１４Ｂ）に重ならない状態を示している。また、潜像要素（１２Ａ）の観察部（Ｖ）と輪郭要素（１４Ａ）の観察部（Ｖ）に重なる第２の要素（２１）の面積率が、背景要素（１３Ａ）の観察部（Ｖ）に重なる第２の要素（２１）の面積率よりも大きい状態を示している。
【０１３１】
図３７（ａ）に示す第８の配置の潜像模様形成体（２）を斜めから観察した場合、潜像要素（１２Ａ）、輪郭要素（１４Ａ）及び背景要素（１３Ａ）が形成された部分が、第２の要素（２１）の色で観察され、さらに、背景要素（１３Ａ）が形成された部分は、潜像要素（１２Ａ）及び輪郭要素（１４Ａ）が形成された部分に対して薄い濃度で視認され、結果的に、図３７（ｂ）に示す潜像と輪郭が観察される。
【０１３２】
第９の配置は、第２の要素（２１）が、輪郭要素（１４Ａ）の観察部（Ｖ）の少なくとも一部、輪郭補助要素（１４Ｂ）の観察部（Ｖ）の少なくとも一部、潜像要素（１２Ａ）の観察部（Ｖ）の少なくとも一部及び背景要素（１３Ａ）の観察部（Ｖ）の少なくとも一部に重なる配置である。この場合、輪郭要素（１４Ａ）の観察部（Ｖ）と、輪郭要素（１４Ａ）と同じ位相に配置された潜像要素（１２Ａ）又は輪郭要素（１４Ａ）と同じ位相に配置された背景要素（１３Ａ）の観察部（Ｖ）に重なる第２の要素（２１）の面積率を、輪郭補助要素（１４Ｂ）の観察部（Ｖ）と、輪郭要素（１４Ａ）と異なる位相に配置された潜像要素（１２Ａ）又は輪郭要素（１４Ａ）と異なる位相に配置された背景要素（１３Ａ）の観察部（Ｖ）に重なる第２の要素（２１）の面積率と異ならせて配置される。なお、輪郭補助要素（１４Ｂ）の観察部（Ｖ）に重なる第２の要素（２１）の面積率は、輪郭要素（１４Ａ）と異なる位相に配置された潜像要素（１２Ａ）又は輪郭要素（１４Ａ）と異なる位相に配置された背景要素（１３Ａ）の観察部（Ｖ）に重なる第２の要素（２１）の面積率と同じでもよいし、異なってもよい。この配置の一例を、図３８（ａ）に示す。
【０１３３】
図３８（ａ）は、第２の要素（２１）が、潜像要素（１２Ａ）の全体、輪郭要素（１４Ａ）の全体、背景要素（１３Ａ）の観察部（Ｖ）の一部及び輪郭補助要素（１４Ｂ）の観察部（Ｖ）の一部と非観察部（Ｖ’）の全体に重なる状態を示している。また、背景要素（１３Ａ）の観察部（Ｖ）に重なる第２の要素（２１）の面積率と輪郭補助要素（１４Ｂ）の観察部（Ｖ）に重なる第２の要素（２１）の面積率が同じ状態を示している。
【０１３４】
図３８（ａ）に示す第９の配置の潜像模様形成体（２）を斜めから観察した場合、各要素が形成された部分で第２の要素（２１）の色が観察され、さらに、背景要素（１３Ａ）と輪郭補助要素（１４Ｂ）が形成された部分は、潜像要素（１２Ａ）と輪郭要素（１４Ａ）が形成された部分に対して薄い濃度で視認され、結果的に、図３８（ｂ）に示す潜像と輪郭が観察される。
【０１３５】
第２の実施の形態では、第５の配置から第９の配置のように、潜像要素（１２Ａ）と輪郭要素（１４Ａ）の観察部（Ｖ）に重なる第２の要素（２１）の面積率が、背景要素（１３Ａ）と輪郭補助要素（１４Ｂ）の観察部（Ｖ）に重なる第２の要素（２１）の面積率と異なるように配置されることによって、視認されるときの色彩に変化を生じさせることにより、輪郭部（１４）を有する潜像を観察することができる。
【０１３６】
このように第２の実施の形態では、潜像の図柄の左右方向の輪郭が、潜像部又は背景部の色彩と同じ色彩で２重に観察される。
【０１３７】
（第３の実施の形態）
第３の実施の形態は、斜めから観察すると図３９に示すように、潜像の図柄の上下方向の輪郭が観察できる潜像模様形成体（２）である。第３の実施の形態の潜像模様形成体（２）について、第１の実施の形態及び第２の実施の形態と異なる点を、図３９〜図５９を用いて説明する。
【０１３８】
第３の実施の形態の潜像模様形成体（２）は、図４０に示すように、基材（１）の上に第１の模様（１０）と第２の模様（２０）が形成されて成る。
【０１３９】
（第１の模様）
第３の実施の形態における第１の模様（１０）を図４１に示す。第３の実施の形態において、第１の模様（１０）の潜像部（１２）と背景部（１３）の構成は、第１の実施の形態と同様である。第１の実施の形態と第２の実施の形態は、潜像の図柄の左右方向の輪郭が観察できるのに対して、第３の実施の形態は、潜像の図柄の上下方向の輪郭が観察できるものであり、第１の模様（１０）の輪郭部（１４）の構成が異なる。そこで、輪郭部（１４）の構成について説明する。
【０１４０】
（輪郭部）
本発明において、潜像の図柄の上下方向の輪郭が観察される輪郭部（１４）の構成は、３通りあり、それぞれの構成について、図を用いて説明する。なお、輪郭部（１４）の構成の説明で用いる図は、図４１に示す第１の模様（１０）において、太線の枠で囲まれた部分に相当する部分である。
【０１４１】
第１の構成の輪郭部（１４）は、図４２に示すように、潜像要素（１２Ａ）の最外線を基準として、潜像要素（１２Ａ）と反対側に配置され、かつ、潜像要素（１２Ａ）の最外線に隣り合う第１の要素（１１）において、部分的に位相が異なって成る。なお、「潜像要素（１２Ａ）の最外線」とは、例えば、図４３（ａ）に示すように、潜像の図柄を「Ｐ」の文字として潜像部（１２）と背景部（１３）に区分けした場合、点線で囲む部分の潜像要素（１２Ａ）のことである。図４３（ｂ）は、図４３（ａ）に示す太線の枠で囲まれた部分の拡大図であり、「潜像要素（１２Ａ）の最外線」は、潜像部（１２）を構成する潜像要素（１２Ａ）のうち、背景部（１３）を構成する背景要素（１３Ａ）と隣り合う潜像要素（１２Ａ）のことである。以降、潜像要素（１２Ａ）の最外線を基準として、潜像要素（１２Ａ）と反対側に配置され、かつ、潜像要素（１２Ａ）の最外線に隣り合う第１の要素（１１）において、部分的に位相が異なる部分を、「潜像隣接輪郭要素（１５Ａ）」と呼ぶ。また、潜像隣接輪郭要素（１５Ａ）は、潜像要素（１２Ａ）の最外線から第１のピッチ（Ｐ１）と異なるピッチで配置される。このように、潜像隣接輪郭要素（１５Ａ）を配置することによって、潜像要素（１２Ａ）の観察部（Ｖ）に重なる第２の要素（２１）の面積率と、潜像隣接輪郭要素（１５Ａ）の観察部（Ｖ）に重なる第２の要素（２１）の面積率を異ならせて配置することができるため、潜像として出現する輪郭を、潜像部（１２）と異なる色彩で視認させることができる。
【０１４２】
第２の構成の輪郭部（１４）は、図４４に示すように、第１の構成の輪郭部（１４）の構成に対して、さらに、潜像隣接輪郭要素（１５Ａ）を基準として、潜像要素（１２Ａ）と反対側に配置され、かつ、潜像隣接輪郭要素（１５Ａ）に連続して隣り合うｎ本の第１の要素（１１）のうち、少なくとも一つの第１の要素（１１）において、部分的に位相が異なって成る。なお、潜像隣接輪郭要素（１５Ａ）を基準として、潜像要素（１２Ａ）と反対側に配置され、かつ、潜像隣接輪郭要素（１５Ａ）に連続して隣り合う第１の要素（１１）において、部分的に位相が異なる部分を、以降、「背景隣接輪郭要素（１５Ｂ）」と呼ぶ。次に、背景隣接輪郭要素（１５Ｂ）が配置される具体的な例について説明する。
【０１４３】
図４４（ａ）は、潜像隣接輪郭要素（１５Ａ）から隣り合う一つ目の第１の要素（１１）において、部分的に位相が異なって背景隣接輪郭要素（１５Ｂ）が形成された例を示しており、このときの輪郭部（１４）は、潜像隣接輪郭要素（１５Ａ）と背景隣接輪郭要素（１５Ｂ）から成る。そして、図４４（ａ）に示す構成において、潜像隣接輪郭要素（１５Ａ）と背景隣接輪郭要素（１５Ｂ）の観察部（Ｖ）に重なる第２の要素（２１）の面積率を等しく配置した場合には、潜像隣接輪郭要素（１５Ａ）と背景隣接輪郭要素（１５Ｂ）が繋がって一つの輪郭として観察され、一つ目の輪郭に対して、輪郭が太くなって観察される。また、潜像隣接輪郭要素（１５Ａ）と背景隣接輪郭要素（１５Ｂ）の観察部（Ｖ）に重なる第２の要素（２１）の面積率を異ならせて配置した場合には、それぞれの輪郭が異なる色彩で観察することができる。
【０１４４】
図４４（ｂ）は、潜像隣接輪郭要素（１５Ａ）から隣り合う二つ目の第１の要素（１１）において、部分的に位相が異なって背景隣接輪郭要素（１５Ｂ）が形成された例を示している。図４４（ｂ）に示す潜像隣接輪郭要素（１５Ａ）と背景隣接輪郭要素（１５Ｂ）の間に配置された第１の要素（１１）は、部分的に位相が異なるものではないが、潜像隣接輪郭要素（１５Ａ）及び背景隣接輪郭要素（１５Ｂ）に隣り合う部分が、潜像を観察するときに輪郭として視認される部分であり、以降、該部分を「輪郭要素（１５Ｃ）」と呼ぶ。このように、図４４（ｂ）に示す構成のとき、輪郭部（１４）は、潜像隣接輪郭要素（１５Ａ）、背景隣接輪郭要素（１５Ｂ）及び輪郭要素（１５Ｃ）から成る。なお、図４４（ｂ）に示す輪郭部（１４）の構成では、潜像隣接輪郭要素（１５Ａ）と背景隣接輪郭要素（１５Ｂ）の間に一つの輪郭要素（１５Ｃ）が配置される構成であるが、潜像隣接輪郭要素（１５Ａ）と背景隣接輪郭要素（１５Ｂ）を、間隔を設けて配置した場合には、潜像隣接輪郭要素（１５Ａ）と背景隣接輪郭要素（１５Ｂ）の間に配置され、かつ、潜像隣接輪郭要素（１５Ａ）に連続して隣り合う第１の要素（１１）の全てが、輪郭要素（１５Ｃ）となる。このように、第２の構成の輪郭部（１４）は、背景隣接輪郭要素（１５Ｂ）と潜像隣接輪郭要素（１５Ａ）、さらには、潜像隣接輪郭要素（１５Ａ）と背景隣接輪郭要素（１５Ｂ）の間に配置された輪郭要素（１５Ｃ）を含んで成る。そして、図４４（ｂ）に示す構成においては、潜像隣接輪郭要素（１５Ａ）から背景部（１３）と同じ視認性で観察される輪郭要素（１５Ｃ）を隔てて背景隣接輪郭要素（１５Ｂ）が観察される。
【０１４５】
次に、背景隣接輪郭要素（１５Ｂ）について詳しく説明する。
【０１４６】
背景隣接輪郭要素（１５Ｂ）は、前述したように、潜像隣接輪郭要素（１５Ａ）に連続して隣り合うｎ本の第１の要素（１１）のうち、少なくとも一つの第１の要素（１１）において、部分的に位相が異なって成る。このとき、図４５（ａ）に示すように、背景隣接輪郭要素（１５Ｂ）が、潜像要素（１２Ａ）の最外線から第１のピッチ（Ｐ１）のｍ倍（ｍは２以上の整数）の位置に配置される場合、潜像要素（１２Ａ）と背景隣接輪郭要素（１５Ｂ）に重なる第２の要素（２１）を等しい面積率で配置することができるため、その場合、潜像要素（１２Ａ）と背景隣接要素（１５Ｂ）が形成された部分は、同じ色彩で観察される。
【０１４７】
また、図４５（ｂ）に示すように、背景隣接輪郭要素（１５Ｂ）が、潜像隣接輪郭要素（１５Ａ）から第１のピッチ（Ｐ１）の整数倍の位置に配置される場合、潜像隣接輪郭要素（１５Ａ）と背景隣接輪郭要素（１５Ｂ）に重なる第２の要素（２１）を等しい面積率で配置することができるため、その場合、潜像隣接輪郭要素（１５Ａ）と背景隣接輪郭要素（１５Ｂ）が形成された部分は、同じ色彩で観察される。
【０１４８】
また、背景隣接輪郭要素（１５Ｂ）が、０１４９段落及び０１５０段落に記載した以外の位置に配置された場合は、背景隣接輪郭要素（１５Ｂ）の観察部（Ｖ）に重なる第２の要素（２１）の面積率を、潜像要素（１２Ａ）の観察部（Ｖ）及び潜像隣接輪郭要素（１５Ａ）の観察部（Ｖ）に重なる第２の要素（２１）の面積率と異ならせて配置することができるため、その場合、背景隣接輪郭要素（１５Ｂ）は、潜像要素（１２Ａ）及び潜像隣接輪郭要素（１５Ａ）と異なる色彩の輪郭となって観察される。
【０１４９】
輪郭部（１４）において、背景隣接輪郭要素（１５Ｂ）が形成される範囲は、特に限定されるものではないが、潜像模様の図柄の大きさに応じて調整される。前述した貴重印刷物に形成する場合、潜像隣接輪郭要素（１５Ａ）から５本程度連続して隣り合う範囲内に形成される。これは、背景隣接輪郭要素（１５Ｂ）が形成される範囲が潜像隣接輪郭要素（１５Ａ）から離れ過ぎると、輪郭として認識し難くなるからである。また、背景隣接輪郭要素（１５Ｂ）は、複数配置してもよく、続いて、その例について説明する。
【０１５０】
図４６（ａ）は、潜像隣接輪郭要素（１５Ａ）を基準として、潜像要素（１２Ａ）と反対側に配置され、かつ、潜像隣接輪郭要素（１５Ａ）に連続して隣り合う第１の要素（１１）のうち、１本目と２本目の第１の要素（１１）において、部分的に位相が異なる例を示しており、このときの輪郭部（１４）は、潜像隣接輪郭要素（１５Ａ）、背景隣接輪郭要素（１５Ｂ１）及び背景隣接輪郭要素（１５Ｂ２）から成る。図４６（ａ）では、２つの背景隣接輪郭要素（１５Ｂ１，１５Ｂ２）が配置される例であるが、このように、潜像隣接輪郭要素（１５Ａ）から、背景隣接輪郭要素（１５Ｂ）を連続して複数配置した場合の輪郭部（１４）は、背景隣接輪郭要素（１５Ｂ）の最外線、すなわち、図４６（ａ）に示す背景隣接輪郭要素（１５Ｂ２）と潜像隣接輪郭要素（１５Ａ）及びその間に配置された背景隣接輪郭要素（１５Ｂ１）から成る。なお、図４６（ａ）に示すように、背景隣接輪郭要素（１５Ｂ１，１５Ｂ２）が潜像隣接輪郭要素（１５Ａ）に連続して複数配置された輪郭部（１４）から成る第１の模様（１０）と第２の模様（２０）の配置及び観察される潜像については後述する。
【０１５１】
図４６（ｂ）は、潜像隣接輪郭要素（１５Ａ）を基準として、潜像要素（１２Ａ）と反対側に配置され、かつ、潜像隣接輪郭要素（１５Ａ）に連続して隣り合う第１の要素（１１）のうち、２本目と４本目の第１の要素（１１）において、部分的に位相が異なる例を示している。このとき、背景隣接輪郭要素（１５Ｂ１）と背景隣接輪郭要素（１５Ｂ２）の間に配置された第１の要素（１１）のうち、背景隣接輪郭要素（１５Ｂ１）及び背景隣接輪郭要素（１５Ｂ２）に隣り合う部分もまた、潜像を観察するときに輪郭として視認される部分であり、以降、該部分も「輪郭要素（１５Ｃ）」と呼ぶ。図中では、潜像隣接輪郭要素（１５Ａ）と背景隣接輪郭要素（１５Ｂ１）の間に配置された輪郭要素を輪郭要素（１５Ｃ１）とし、背景隣接輪郭要素（１５Ｂ１）と背景隣接輪郭要素（１５Ｂ２）の間に配置された輪郭要素を輪郭要素（１５Ｃ２）として図示している。そして、図４６（ｂ）に示す構成のとき、輪郭部（１４）は、潜像隣接輪郭要素（１５Ａ）、背景隣接輪郭要素（１５Ｂ１）、背景隣接輪郭要素（１５Ｂ２）、輪郭要素（１５Ｃ１）及び輪郭要素（１５Ｃ２）から成る。なお、図４６（ｂ）に示す輪郭部（１４）は、背景隣接輪郭要素（１５Ｂ１）と背景隣接輪郭要素（１５Ｂ２）の間に一つの輪郭要素（１５Ｃ２）が配置される例であるが、背景隣接輪郭要素（１５Ｂ１）と背景隣接輪郭要素（１５Ｂ２）を、間隔を設けて配置した場合には、背景隣接輪郭要素（１５Ｂ１）と背景隣接輪郭要素（１５Ｂ２）の間に配置され、かつ、背景隣接輪郭要素（１５Ｂ１）に連続して隣り合う第１の要素（１１）の全てが、輪郭要素（１５Ｃ）となり、このとき、輪郭部（１４）は、背景隣接輪郭要素（１５Ｂ１）と背景隣接輪郭要素（１５Ｂ２）の間に配置された全ての輪郭要素（１５Ｃ）を含んで成る。なお、図４６（ｂ）に示すように、背景隣接輪郭要素（１５Ｂ１）と背景隣接輪郭要素（１５Ｂ２）の間に輪郭要素（１５Ｃ）が配置された輪郭部（１４）から成る第１の模様（１０）と第２の模様（２０）の配置及び観察される潜像については後述する。
【０１５２】
第３の構成の輪郭部（１４）は、図４７に示すように、潜像要素（１２Ａ）の最外線を基準として、潜像要素（１２Ａ）と反対側に配置され、かつ、潜像要素（１２Ａ）の最外線に連続して隣り合う二つ目以降の第１の要素（１１）のうち、少なくとも一つの第１の要素（１１）において、部分的に位相が異なって成る。なお、三つ目の輪郭部（１４）の構成において、潜像要素（１２Ａ）の最外線を基準として、潜像要素（１２Ａ）と反対側に配置され、かつ、潜像要素（１２Ａ）の最外線に連続して隣り合う二つ目以降の第１の要素（１１）において、部分的に位相が異なる部分を、以降、「背景隣接輪郭要素（１５Ｂ）」と呼ぶ。次に、背景隣接輪郭要素（１５Ｂ）が配置される具体的な例について説明する。
【０１５３】
図４７（ａ）は、潜像要素（１２Ａ）の最外線から隣り合う二つ目の第１の要素（１１）において、部分的に位相が異なって背景隣接輪郭要素（１５Ｂ）が形成された例を示している。図４７（ａ）に示す潜像要素の最外線と背景隣接輪郭要素（１５Ｂ）の間に配置された第１の要素（１１）は、部分的に位相が異なるものではないが、背景隣接輪郭要素（１５Ｂ）に隣り合う部分が、潜像を観察するときに輪郭として視認される部分であり、以降、該部分を「輪郭要素（１５Ｃ）」と呼ぶ。このように、図４７（ａ）に示す構成のとき、輪郭部（１４）は、背景隣接輪郭要素（１５Ｂ）及び輪郭要素（１５Ｃ）から成る。
【０１５４】
また、図４７（ｂ）は、潜像要素（１２Ａ）の最外線から隣り合う三つ目の第１の要素（１１）において、部分的に位相が異なって背景隣接輪郭要素（１５Ｂ）が形成された例を示している。この場合、潜像要素（１２Ａ）の最外線と背景隣接輪郭要素（１５Ｂ）の間に配置された二つの第１の要素（１１）において、潜像要素（１２Ａ）に連続して隣り合う部分が輪郭要素（１５Ｃ）となる。そして、図４７（ｂ）に示す輪郭部（１４）は、背景隣接輪郭要素（１５Ｂ）及び二つの輪郭要素（１５Ｃ）から成る。このように、第３の構成の輪郭部（１４）は、背景隣接輪郭要素（１５Ｂ）と、潜像要素（１２Ａ）の最外線と背景隣接輪郭要素（１５Ｂ）の間に配置された輪郭要素（１５Ｃ）から成る。
【０１５５】
三つ目の輪郭部（１４）は、二つ目の輪郭部（１４）に対して、潜像隣接輪郭要素（１５Ａ）による輪郭は出現しないが、背景輪郭隣接要素（１５Ｂ）を形成することによって輪郭を出現させることができる。
【０１５６】
以上の構成によって、潜像部（１２）と背景部（１３）の間に輪郭部（１４）が形成され、潜像部（１２）、背景部（１３）及び輪郭部（１４）に区分けされた第１の模様（１０）は、図４８に示すとおりである。
【０１５７】
以上のように構成される一つ目の輪郭部（１４）から三つ目の輪郭部（１４）において、背景要素（１３Ａ）と潜像隣接輪郭要素（１５Ａ）は、図４９（ａ）に示すように繋がっていてもよい。また、背景要素（１３Ａ）と背景隣接輪郭要素（１５Ｂ）は、図４９（ｂ）に示すように繋がっていてもよい。
【０１５８】
（第１の模様と第２の模様の配置及び観察画像）
以降、第１の模様（１０）と第２の模様（２０）の配置と観察される画像について、第３の実施の形態の輪郭部（１４）の構成ごとに説明する。なお、第１のピッチ（Ｐ１）と第２のピッチ（Ｐ１）が同じピッチで配置されて成る第１の模様（１０）と第２の模様（２０）の配置と観察される図柄について説明する。第３の実施の形態においては、第１０の配置から説明する。
【０１５９】
第３の実施の形態の一つ目の輪郭部（１４）の構成で成る第１の模様（１０）に対して、第２の模様（２０）が重なる配置は、４通りの配置があり、第１０の配置〜第１３の配置として説明する。
【０１６０】
第１０の配置は、第２の要素（２１）が、潜像要素（１２Ａ）の観察部（Ｖ）の少なくとも一部と潜像隣接輪郭要素（１５Ａ）の観察部の少なくとも一部に重なり、背景要素（１３Ａ）の観察部（Ｖ）に重ならない配置である。この場合、潜像要素（１２Ａ）の観察部（Ｖ）に重なる第２の要素（２１）の面積率を、潜像隣接輪郭要素（１５Ａ）の観察部（Ｖ）に重なる第２の要素（２１）の面積率と異なるように配置される。この配置の一例を、図５０（ａ）に示す。
【０１６１】
図５０（ａ）は、第２の要素（２１）が、潜像要素（１２Ａ）の観察部（Ｖ）の一部に重なり、潜像隣接輪郭要素（１５Ａ）の全体に重なり、背景要素（１３Ａ）に重ならない状態を示している。また、潜像隣接輪郭要素（１５Ａ）の観察部（Ｖ）に重なる第２の要素（２１）の面積率が、潜像要素（１２Ａ）の観察部（Ｖ）に重なる第２の要素（２１）の面積率より大きい状態を示している。
【０１６２】
図５０（ａ）に示す第１０の配置の潜像模様形成体（２）を斜めから観察した場合、潜像要素（１２Ａ）の観察部（Ｖ）と潜像隣接輪郭要素（１５Ａ）の観察部（Ｖ）に第２の要素（２１）が重なっているため、潜像部（１２）と輪郭部（１４）が第２の要素（２１）の色で観察される。このとき、潜像隣接輪郭要素（１５Ａ）の観察部（Ｖ）に重なる第２の要素（２１）の面積率が、潜像要素（１２Ａ）の観察部（Ｖ）に重なる第２の要素（２１）の面積率より大きいため、輪郭部（１４）は、潜像部（１２）より濃い濃度で観察される。その結果、図５０（ｂ）に示すように、潜像の図柄と潜像の図柄の上下方向の輪郭が観察される。
【０１６３】
第１１の配置は、第２の要素（２１）が、背景要素（１３Ａ）の観察部（Ｖ）の少なくとも一部と潜像隣接輪郭要素（１５Ａ）の観察部（Ｖ）の少なくとも一部に重なり、潜像要素（１２Ａ）の観察部（Ｖ）に重ならない配置である。この場合、背景要素（１３Ａ）の観察部（Ｖ）に重なる第２の要素（２１）の面積率を、潜像隣接輪郭要素（１５Ａ）に重なる第２の要素（２１）の面積率と異なるように配置される。この配置の一例を、図５１（ａ）に示す。
【０１６４】
図５１（ａ）は、第２の要素（２１）が、背景要素（１３Ａ）の観察部（Ｖ）の一部と非観察部（Ｖ’）の全体及び潜像隣接輪郭要素（１５Ａ）の観察部（Ｖ）の全体に重なり、潜像要素（１２Ａ）に重ならない状態を示している。また、背景要素（１３Ａ）の観察部（Ｖ）に重なる第２の要素（２１）の面積率が、潜像隣接輪郭要素（１５Ａ）の観察部（Ｖ）に重なる第２の要素（２１）の面積率より小さい状態を示している。
【０１６５】
図５１（ａ）に示す第１１の配置の潜像模様形成体（２）を斜めから観察した場合、背景要素（１３Ａ）の観察部（Ｖ）と潜像隣接輪郭要素（１５Ａ）の観察部（Ｖ）に第２の要素（２１）が重なっているため、背景部（１３）と輪郭部（１４）が第２の要素（２１）の色で観察される。このとき、背景要素（１３Ａ）の観察部（Ｖ）に重なる第２の要素（２１）の面積率が、潜像隣接輪郭要素（１５Ａ）の観察部（Ｖ）に重なる第２の要素（２１）の面積率より小さいため、背景部（１３）は、輪郭部（１４）より薄い濃度で観察される。その結果、図５１（ｂ）に示すように、潜像の図柄と潜像の図柄の上下方向の輪郭が観察される。
【０１６６】
第１２の配置は、第２の要素（２１）が、潜像要素（１２Ａ）の観察部（Ｖ）の少なくとも一部と背景要素（１３Ａ）の観察部（Ｖ）の少なくとも一部に重なり、潜像隣接輪郭要素（１５Ａ）の観察部（Ｖ）に重ならない配置である。この場合、潜像要素（１２Ａ）の観察部（Ｖ）に重なる第２の要素（２１）の面積率を、背景要素（１３Ａ）の観察部（Ｖ）に重なる第２の要素（２１）の面積率と異なるように配置される。この配置の一例を、図５２（ａ）に示す。
【０１６７】
図５２（ａ）は、第２の要素（２１）が、潜像要素（１２Ａ）の全体及び背景要素（１３Ａ）の観察部（Ｖ）の一部に重なり、潜像隣接輪郭要素（１５Ａ）に重ならない状態を示している。また、背景要素（１３Ａ）の観察部（Ｖ）に重なる第２の要素（２１）の面積率が、潜像要素（１２Ａ）の観察部（Ｖ）に重なる第２の要素（２１）の面積率より小さい状態を示している。
【０１６８】
図５２（ａ）に示す第１２の配置の潜像模様形成体（２）を斜めから観察した場合、潜像要素（１２Ａ）の観察部（Ｖ）と背景要素（１３Ａ）の観察部（Ｖ）には、第２の要素（２１）が重なっているため、潜像部（１２）と背景部（１３）が第２の要素（２１）の色で観察される。このとき、背景要素（１３Ａ）の観察部（Ｖ）に重なる第２の要素（２１）の面積率が、潜像要素（１２Ａ）の観察部（Ｖ）に重なる第２の要素（２１）の面積率より小さいため、背景部（１３）は、潜像部（１２）より薄い濃度で観察される。その結果、図５２（ｂ）に示すように、潜像の図柄が観察され、潜像の図柄の上下方向の輪郭は白抜きの状態で観察される。
【０１６９】
第１３の配置は、第２の要素（２１）が、潜像要素（１２Ａ）の観察部（Ｖ）の少なくとも一部、背景要素（１３Ａ）の観察部（Ｖ）の少なくとも一部及び潜像隣接輪郭要素（１５Ａ）の観察部（Ｖ）の少なくとも一部に重なる配置である。この場合、それぞれの要素の観察部（Ｖ）に重なる第２の要素（２１）の面積率が異なるように配置される。この配置の一例を、図５３（ａ）に示す。
【０１７０】
図５３（ａ）は、第２の要素（２１）が、潜像要素（１２Ａ）の観察部（Ｖ）の一部と非観察部（Ｖ’）の全体、背景要素（１３Ａ）の全体及び潜像隣接輪郭要素（１５Ａ）の観察部（Ｖ）の一部に重なる状態を示している。また、潜像要素（１２Ａ）の観察部（Ｖ）に重なる第２の要素（２１）の面積率が、背景要素（１３Ａ）の観察部（Ｖ）に重なる第２の要素（２１）の面積率より小さく、潜像隣接輪郭要素（１５Ａ）の観察部（Ｖ）に重なる第２の要素（２１）の面積率が、潜像要素（１２Ａ）の観察部（Ｖ）に重なる第２の要素（２１）の面積率より小さい状態を示している。
【０１７１】
図５３（ａ）に示す第１３の配置の潜像模様形成体（２）を斜めから観察した場合、潜像要素（１２Ａ）の観察部（Ｖ）、背景要素（１３Ａ）の観察部（Ｖ）及び潜像隣接輪郭要素（１５Ａ）の観察部（Ｖ）に、第２の要素（２１）が重なっているため、潜像部（１３）、背景部（１３）及び輪郭部（１４）が第２の要素（２１）の色で観察される。このとき、潜像要素（１２Ａ）の観察部（Ｖ）に重なる第２の要素（２１）の面積率が、背景要素（１３Ａ）の観察部（Ｖ）に重なる第２の要素（２１）の面積率より小さいため、潜像部（１２）は、背景部（１３）より薄い濃度で観察され、潜像隣接輪郭要素（１５Ａ）の観察部（Ｖ）に重なる第２の要素（２１）の面積率が、潜像要素（１２Ａ）の観察部（Ｖ）に重なる第２の要素（２１）の面積率より小さいため、輪郭部（１４）は、潜像部（１２）より薄い濃度で観察される。その結果、図５３（ｂ）に示すように、潜像の図柄と潜像の図柄の上下方向の輪郭が観察される。
【０１７２】
次に、第３の実施の形態の二つ目の輪郭部（１４）の構成で成る第１の模様（１０）に対して、第２の模様（２０）が重なる配置について説明する。はじめに、図４４（ａ）に示す輪郭部（１４）の構成で成る第１の模様（１０）に対して、第２の模様（２０）が重なる配置について説明する。なお、潜像隣接輪郭要素（１５Ａ）が観察されるためには、前述した第１０の配置〜第１３の配置となる。二つ目の輪郭部（１４）は、一つ目の輪郭部（１４）の構成から、さらに、背景隣接輪郭要素（１５Ｂ）が設けられたものであり、背景隣接輪郭要素（１５Ｂ）と第２の要素（２１）の配置によって、一つ目の輪郭部（１４）と異なる輪郭を観察することができる。したがって、第１０の配置〜第１３の配置を基に、背景隣接輪郭要素（１５Ｂ）と第２の要素（２１）の配置について説明する。
【０１７３】
第１４の配置は、第１０の配置から、さらに、背景隣接輪郭要素（１５Ｂ）の観察部（Ｖ）の少なくとも一部に第２の要素（２１）が重なる配置である。この配置の一例を、図５４（ａ）に示す。
【０１７４】
図５４（ａ）は、背景隣接輪郭要素（１５Ｂ）が、潜像要素（１２Ａ）の最外線から第１のピッチ（Ｐ１）の２倍の位置に配置されている状態を示している。また、第２の要素（２１）が、潜像要素（１２Ａ）の観察部（Ｖ）の一部、潜像隣接輪郭要素（１５Ａ）の全体及び背景隣接輪郭要素（１５Ｂ）の観察部（Ｖ）の一部に重なり、背景要素（１３Ａ）に重ならない状態を示している。また、潜像隣接輪郭要素（１５Ａ）の観察部（Ｖ）に重なる第２の要素（２１）の面積率が、潜像要素（１２Ａ）の観察部（Ｖ）に重なる第２の要素（２１）の面積率及び背景隣接輪郭要素（１５Ｂ）の観察部（Ｖ）に重なる第２の要素（２１）の面積率より大きい状態を示している。なお、背景隣接輪郭要素（１５Ｂ）は、潜像要素（１２Ａ）の最外線から２倍の位置に配置されているため、背景隣接輪郭要素（１５Ｂ）の観察部（Ｖ）に重なる第２の要素（２１）の面積率と潜像要素（１２Ａ）の観察部（Ｖ）に重なる第２の要素（２１）の面積率は同じになる。
【０１７５】
図５４（ａ）に示す第１４の配置の潜像模様形成体（２）を斜めから観察すると潜像隣接輪郭要素（１５Ａ）、背景隣接輪郭要素（１５Ｂ）及び潜像要素（１２Ａ）が形成された部分が第２の要素（２１）の色で観察される。このとき、潜像隣接輪郭要素（１５Ａ）は、潜像要素（１２Ａ）及び背景隣接輪郭要素（１５Ｂ）に対して、第２の要素（２１）が重なる面積率が大きいため、濃い色で視認される。また、潜像要素（１２Ａ）の観察部（Ｖ）に重なる第２の要素（２１）の面積率と背景隣接輪郭要素（１５Ｂ）の観察部（Ｖ）に重なる第２の要素（２１）面積率が同じであるため、潜像要素（１２Ａ）と背景隣接輪郭要素（１５Ｂ）は同じ色彩で視認される。結果的に、図５４（ｂ）に示すように、潜像要素（１２Ａ）と背景隣接輪郭要素（１５Ｂ）が同じ色彩で観察される中、潜像隣接輪郭要素（１５Ａ）が、その間に異なる色彩で観察され、輪郭が２重となった潜像が観察される。
【０１７６】
なお、図５４（ａ）に示す第１４の配置に対して、背景隣接輪郭要素（１５Ｂ）が、潜像隣接輪郭要素（１５Ａ）から第１のピッチ（Ｐ１）で離れた位置に配置される場合（図示せず）、潜像隣接輪郭要素（１５Ａ）の観察部（Ｖ）に重なる第２の要素（２１）の面積率と背景隣接輪郭要素（１５Ｂ）の観察部（Ｖ）に重なる第２の要素（２１）の面積率が同じになるので、潜像隣接輪郭要素（１５Ａ）と背景隣接輪郭要素（１５Ｂ）が形成された部分は、同じ色彩で繋がって視認され、図５４（ｃ）に示すように、輪郭の幅が広くなった潜像が観察される。また、背景隣接輪郭要素（１５Ｂ）が前述した以外の位置に配置された場合（図示せず）、背景隣接輪郭要素（１５Ｂ）の観察部（Ｖ）に重なる第２の要素（２１）の面積率を、潜像要素（１２Ａ）の観察部（Ｖ）に重なる第２の要素（２１）の面積率及び潜像輪郭隣接要素（１５Ａ）の観察部（Ｖ）に重なる第２の要素（２１）の面積率と異ならせて配置することができるので、その場合、背景隣接輪郭要素（１５Ｂ）は、潜像要素（１２Ａ）及び潜像輪郭隣接要素（１５Ａ）と異なる色彩の輪郭として観察される。図５４（ｄ）は、その一例を示したものである。
【０１７７】
このように、第１４の配置において輪郭部（１４）は、背景隣接輪郭要素（１５Ｂ）の観察部（Ｖ）と潜像要素（１２Ａ）の観察部（Ｖ）に重なる第２の要素（２１）の面積率が同じであれば、２重の輪郭として観察され、背景隣接輪郭要素（１５Ｂ）の観察部（Ｖ）と潜像隣接輪郭要素（１５Ａ）の観察部（Ｖ）に重なる第２の要素（２１）の面積率が同じであれば、輪郭の幅が広くなって観察され、背景隣接輪郭要素（１５Ｂ）の観察部（Ｖ）と潜像隣接輪郭要素（１５Ａ）の観察部（Ｖ）に重なる第２の要素（２１）の面積率が異なれば、異なる色彩の輪郭が観察される。
【０１７８】
第１５の配置は、第１１の配置〜第１３の配置から、さらに、背景隣接輪郭要素（１５Ｂ）の観察部（Ｖ）に第２の要素（２１）が重ならない配置である。第１５の配置について、第１１の配置〜第１３の配置を基に、順に説明する。
【０１７９】
はじめに、第１１の配置から、さらに、背景隣接輪郭要素（１５Ｂ）の観察部（Ｖ）に重ならない第１５の配置について説明する。この配置の一例を、図５５（ａ）に示す。
【０１８０】
図５５（ａ）は、背景隣接輪郭要素（１５Ｂ）が、潜像要素（１２Ａ）の最外線から第１のピッチ（Ｐ１）の２倍の位置に配置され、第１１の配置に対して、さらに、背景隣接輪郭要素（１５Ｂ）の観察部（Ｖ）に第２の要素（２１）が重ならない状態を示している。また、背景要素（１３Ａ）の観察部（Ｖ）に重なる第２の要素（２１）の面積率が、潜像隣接輪郭要素（１５Ａ）の観察部（Ｖ）に重なる第２の要素（２１）の面積率より小さい状態を示している。
【０１８１】
図５５（ａ）に示す配置の潜像模様形成体（２）を斜めから観察すると、潜像隣接輪郭要素（１５Ａ）及び背景要素（１３Ａ）が形成された部分が第２の要素（２１）の色で観察され、潜像要素（１２Ａ）及び背景隣接輪郭要素（１５Ｂ）が形成された部分は基材（１）の色で観察される。このとき、潜像隣接輪郭要素（１５Ａ）は、背景要素（１３Ａ）に対して、第２の要素（２１）が重なる面積率が大きいため、濃い色で視認される。結果的に、図５５（ｂ）に示すように、輪郭が白抜きで２重となった潜像が観察される。
【０１８２】
次に、第１２の配置から、さらに、背景隣接輪郭要素（１５Ｂ）の観察部（Ｖ）に重ならない第１５の配置について説明する。この配置の一例を、図５６（ａ）に示す。
【０１８３】
図５６（ａ）は、背景隣接輪郭要素（１５Ｂ）が、潜像隣接輪郭要素（１５Ａ）から第１のピッチ（Ｐ１）の位置に配置され、第１２の配置に対して、さらに、背景隣接輪郭要素（１５Ｂ）の観察部（Ｖ）に第２の要素（２１）が重ならない状態を示している。また、背景要素（１３Ａ）の観察部（Ｖ）に重なる第２の要素（２１）の面積率が、潜像要素（１２Ａ）の観察部（Ｖ）に重なる第２の要素（２１）の面積率より小さい状態を示している。
【０１８４】
図５６（ａ）に示す配置の潜像模様形成体（２）を斜めから観察すると、潜像要素（１２Ａ）及び背景要素（１３Ａ）が形成された部分が第２の要素（２１）の色で観察され、潜像隣接輪郭要素（１５Ａ）及び背景隣接輪郭要素（１５Ｂ）が形成された部分は基材（１）の色で観察される。結果的に、図５６（ｂ）に示すように、潜像隣接輪郭要素（１５Ａ）と背景隣接輪郭要素（１５Ｂ）が白抜きで繋がって観察され、かつ、輪郭の幅が広くなった潜像が観察される。
【０１８５】
次に、第１３の配置から、さらに、背景隣接輪郭要素（１５Ｂ）の観察部（Ｖ）に重ならない第１５の配置について説明する。この配置の一例を、図５７（ａ）に示す。          
図５７（ａ）は、潜像隣接輪郭要素（１５Ａ）が、潜像要素（１２Ａ）の最外線から第１のピッチ（Ｐ１）の位置より下側に配置され、背景隣接輪郭要素（１５Ｂ）が、潜像要素（１２Ａ）の最外線から第１のピッチ（Ｐ１）の２倍の位置より上側に配置され、第１３の配置に対して、さらに、背景隣接輪郭要素（１５Ｂ）の観察部（Ｖ）に第２の要素（２１）が重ならない状態を示している。また、各要素の観察部（Ｖ）に重なる第２の要素（２１）の面積率が、潜像隣接輪郭要素（１５Ａ）、潜像要素（１２Ａ）、背景要素（１３Ａ）の順に小さくなる状態を示している。
【０１８６】
図５７（ａ）に示す配置の潜像模様形成体（２）を斜めから観察すると、潜像隣接輪郭要素（１５Ａ）、潜像要素（１２Ａ）及び背景要素（１３Ａ）が形成された部分が第２の要素（２１）の色で観察され、背景隣接輪郭要素（１５Ｂ）が形成された部分は基材（１）の色で観察される。このとき、潜像隣接輪郭要素（１５Ａ）、潜像要素（１２Ａ）、背景要素（１３Ａ）の順に第２の要素（２１）の重なる面積率が小さいため、潜像隣接輪郭要素（１５Ａ）、潜像要素（１２Ａ）、背景要素（１３Ａ）の順に濃度が薄くなって視認される。結果的に、図５７（ｂ）に示すように、潜像部（１２）及び背景部（１３）と異なる色彩の輪郭と、白抜きの輪郭で潜像が観察される。
【０１８７】
第１６の配置は、第１１の配置〜第１３の配置から、さらに、背景隣接輪郭要素（１５Ｂ）の観察部（Ｖ）の少なくとも一部に第２の要素（２１）が重なる配置である。この場合、背景隣接輪郭要素（１５Ｂ）の観察部（Ｖ）に重なる第２の要素（２１）の面積率を、背景要素（１３Ａ）の観察部（Ｖ）に重なる第２の要素（２１）の面積率と異ならせて配置される。これは、第１１の配置〜第１３の配置は、背景要素（１５Ｂ）の観察部（Ｖ）に第２の要素（２１）が重なっており、背景隣接輪郭要素（１５Ｂ）が輪郭として観察されるためには、背景隣接輪郭要素（１５Ｂ）の観察部（Ｖ）に重なる第２の要素（２１）の面積率が、背景要素（１３Ａ）の観察部（Ｖ）に重なる第２の要素（２１）の面積率と異ならなければならないからである。第１６の配置について、第１１の配置〜第１３の配置を基に、順に説明する。
【０１８８】
はじめに、第１１の配置から、さらに、背景隣接輪郭要素（１５Ｂ）の観察部（Ｖ）の少なくとも一部に重なる第１６の配置について説明する。この配置の一例を、図５８（ａ）に示す。
【０１８９】
図５８（ａ）は、背景隣接輪郭要素（１５Ｂ）が、潜像隣接輪郭要素（１５Ａ）から第１のピッチ（Ｐ１）で離れた位置に配置され、第１１の配置に対して、さらに、背景隣接輪郭要素（１５Ｂ）の観察部（Ｖ）の全体に第２の要素（２１）が重なる状態を示している。なお、背景隣接輪郭要素（１５Ｂ）は、潜像隣接輪郭要素（１５Ａ）から第１のピッチ（Ｐ１）で離れた位置に配置されているため、背景隣接輪郭要素（１５Ｂ）の観察部（Ｖ）に重なる第２の要素（２１）の面積率と潜像隣接輪郭要素（１５Ａ）の観察部（Ｖ）に重なる第２の要素（２１）の面積率は同じになる。また、図５８（ａ）は、潜像隣接輪郭要素（１５Ａ）の観察部（Ｖ）に重なる第２の要素（２１）の面積率及び背景隣接輪郭要素（１５Ｂ）の観察部（Ｖ）に重なる第２の要素（２１）の面積率が、背景要素（１３Ａ）の観察部（Ｖ）に重なる第２の要素（２１）の面積率より大きい状態を示している。
【０１９０】
図５８（ａ）に示す配置の潜像模様形成体（２）を斜めから観察すると、潜像隣接輪郭要素（１５Ａ）、背景隣接輪郭要素（１５Ｂ）及び背景要素（１３Ａ）が形成された部分が第２の要素（２１）の色で観察される。このとき、潜像隣接輪郭要素（１５Ａ）及び背景隣接輪郭要素（１５Ｂ）は、背景要素（１３Ａ）に対して、第２の要素（２１）が重なる面積率が大きいため、濃い色で視認される。また、潜像隣接輪郭要素（１５Ａ）の観察部（Ｖ）に重なる第２の要素（２１）の面積率と背景隣接輪郭要素（１５Ｂ）の観察部（Ｖ）に重なる第２の要素（２１）面積率が同じであるため、潜像隣接輪郭要素（１５Ａ）と背景隣接輪郭要素（１５Ｂ）は同じ色彩で視認される。結果的に、図５８（ｂ）に示すように、潜像隣接輪郭要素（１５Ａ）と背景隣接輪郭要素（１５Ｂ）が同じ色彩で繋がって観察され、かつ、輪郭の幅が広くなった潜像が観察される。
【０１９１】
なお、図５８（ａ）に示す配置に対して、背景隣接輪郭要素（１５Ｂ）の観察部（Ｖ）に重なる第２の要素（２１）の面積率が、潜像隣接輪郭要素（１５Ａ）の観察部（Ｖ）に重なる第２の要素（２１）の面積率と異なる場合、背景隣接輪郭要素（１５Ｂ）は、潜像要素（１２Ａ）、背景要素（１３Ａ）及び潜像隣接輪郭要素（１５Ａ）と異なる色彩の輪郭として観察される。図５８（ｃ）は、その一例を示したものである。
【０１９２】
次に、第１２の配置から、さらに、背景隣接輪郭要素（１５Ｂ）の観察部（Ｖ）の少なくとも一部に重なる第１６の配置について説明する。この配置の一例を、図５９（ａ）に示す。
【０１９３】
図５９（ａ）は、背景隣接輪郭要素（１５Ｂ）が、潜像要素（１２Ａ）の最外線から第１のピッチ（Ｐ１）の２倍の位置に配置され、第１２の配置に対して、さらに、背景隣接輪郭要素（１５Ｂ）の全体に第２の要素（２１）が重なる状態を示している。なお、背景隣接輪郭要素（１５Ｂ）は、潜像要素（１２Ａ）の最外線から第１のピッチ（Ｐ１）の２倍の位置に配置されているため、背景隣接輪郭要素（１５Ｂ）の観察部（Ｖ）に重なる第２の要素（２１）の面積率と潜像要素（１２Ａ）の観察部（Ｖ）に重なる第２の要素（２１）の面積率は同じになる。また、図５９（ａ）は、潜像要素（１２Ａ）の観察部（Ｖ）に重なる第２の要素（２１）の面積率及び背景隣接輪郭要素（１５Ｂ）の観察部（Ｖ）に重なる第２の要素（２１）の面積率が、背景要素（１３Ａ）の観察部（Ｖ）に重なる第２の要素（２１）の面積率より大きい状態を示している。
【０１９４】
図５９（ａ）に示す配置の潜像模様形成体（２）を斜めから観察すると、背景隣接輪郭要素（１５Ｂ）、潜像要素（１２Ａ）及び背景要素（１３Ａ）が形成された部分が第２の要素（２１）の色で観察される。このとき、潜像要素（１２Ａ）及び背景隣接輪郭要素（１５Ｂ）は、背景要素（１３Ａ）に対して、第２の要素（２１）が重なる面積が大きいため、濃い色で視認される。また、潜像要素（１２Ａ）の観察部（Ｖ）に重なる第２の要素（２１）の面積率と背景隣接輪郭要素（１５Ｂ）の観察部（Ｖ）に重なる第２の要素（２１）面積率が同じであるため、潜像要素（１２Ａ）と背景隣接輪郭要素（１５Ｂ）は同じ色彩で視認される。結果的に、図５９（ｂ）に示すように、潜像部（１２）から潜像隣接輪郭要素（１５Ａ）が形成された部分を隔てて背景隣接輪郭要素（１５Ｂ）による輪郭が観察されて、輪郭が２重となった潜像が観察される。
【０１９５】
なお、図５９（ａ）に示す配置に対して、背景隣接輪郭要素（１５Ｂ）の観察部（Ｖ）に重なる第２の要素（２１）の面積率が、潜像要素（１２Ａ）の観察部（Ｖ）に重なる第２の要素（２１）の面積率と異なる場合、背景隣接輪郭要素（１５Ｂ）は、潜像要素（１２Ａ）、背景要素（１３Ａ）及び潜像隣接輪郭要素（１５Ａ）と異なる色彩で２重の輪郭として観察される。図５９（ｃ）は、その一例を示したものである。
【０１９６】
次に、第１３の配置から、さらに、背景隣接輪郭要素（１５Ｂ）の観察部（Ｖ）の少なくとも一部に重なる第１６の配置について説明する。この配置の一例を、図６０（ａ）に示す。
【０１９７】
図６０（ａ）は、潜像隣接輪郭要素（１５Ａ）が、潜像要素（１２Ａ）の最外線から第１のピッチ（Ｐ１）の位置より下側に配置され、背景隣接輪郭要素（１５Ｂ）が、潜像要素（１２Ａ）の最外線から第１のピッチ（Ｐ１）の２倍の位置より下側に配置され、第１３の配置に対して、さらに、背景隣接輪郭要素（１５Ｂ）の全体に第２の要素（２１）が重なる状態を示している。また、各要素の観察部（Ｖ）に重なる第２の要素（２１）の面積率が、背景隣接輪郭要素（１５Ｂ）、潜像隣接輪郭要素（１５Ａ）、潜像要素（１２Ａ）、背景要素（１３Ａ）の順に小さくなる状態を示している。
【０１９８】
図６０（ａ）に示す配置の潜像模様形成体（２）を斜めから観察すると、潜像隣接輪郭要素（１５Ａ）、背景隣接輪郭要素（１５Ｂ）、潜像要素（１２Ａ）及び背景要素（１３Ａ）が形成された部分が第２の要素（２１）の色で観察される。このとき、背景隣接輪郭要素（１５Ｂ）、潜像隣接輪郭要素（１５Ａ）、潜像要素（１２Ａ）、背景要素（１３Ａ）の順に濃度が薄くなって観察され、結果的に、図６０（ｂ）に示すように、異なる色彩の輪郭が二つ出現する潜像が観察される。
【０１９９】
なお、図６０（ａ）に示す配置に対して、背景隣接輪郭要素（１５Ｂ）の観察部（Ｖ）に重なる第２の要素（２１）の面積率が、潜像隣接輪郭要素（１５Ａ）の観察部（Ｖ）に重なる第２の要素（２１）の面積率と同じ場合、潜像隣接輪郭要素（１５Ａ）と背景隣接輪郭要素（１５Ｂ）が同じ色彩で繋がって観察され、図６０（ｃ）に示すように、幅が広くなった輪郭が観察される。また、背景隣接輪郭要素（１５Ｂ）の観察部（Ｖ）に重なる第２の要素（２１）の面積率が、潜像要素（１２Ａ）の観察部（Ｖ）に重なる第２の要素（２１）の面積率と同じ場合、潜像要素（１２Ａ）と背景隣接輪郭要素（１５Ｂ）が同じ色彩で観察される中、潜像隣接輪郭要素（１５Ａ）が、その間に異なる色彩で観察され、図６０（ｄ）に示すように、輪郭が２重となった潜像が観察される。
【０２００】
以上、図４４（ａ）に示す輪郭部（１４）の構成で成る第１の模様（１０）に対して、第２の要素（２１）が重なる配置について説明した。続いて、図４４（ｂ）に示す輪郭部（１４）の構成で成る第１の模様（１０）に対して、第２の要素（２１）が重なる配置について説明する。
【０２０１】
第１７の配置は、第１４の配置から、さらに、輪郭要素（１５Ｃ）の観察部（Ｖ）に第２の要素（２１）が重ならない配置である。この配置の一例を図６１（ａ）に示す。
【０２０２】
図６１（ａ）は、背景隣接輪郭要素（１５Ｂ）が、潜像要素 （１２Ａ）の最外線から第１のピッチ（Ｐ１）の３倍の位置に配置され、潜像隣接輪郭要素（１５Ａ）と背景隣接輪郭要素（１５Ｂ）の間に輪郭要素（１５Ｃ）が配置され、第１０の配置に対して、さらに、輪郭要素（１５Ｃ）の観察部（Ｖ）に第２の要素（２１）が重ならない状態を示している。輪郭要素（１５Ｃ）は、背景要素（１３Ａ）に対して位相が異なるものではないため、背景要素（１３Ａ）の観察部（Ｖ）に第２の要素（２１）が重ならない第１０の配置の場合、輪郭要素（１５Ｃ）の観察部（Ｖ）にも第２の要素（２１）が重ならない配置となる。また、図６１（ａ）は、潜像要素（１２Ａ）の観察部（Ｖ）に重なる第２の要素（２１）の面積率と背景隣接輪郭要素（１５Ｂ）の観察部（Ｖ）に重なる第２の要素（２１）の面積率が同じであり、潜像隣接輪郭要素（１５Ａ）の観察部（Ｖ）に重なる第２の要素（２１）の面積率が、潜像要素（１２Ａ）の観察部（Ｖ）に重なる第２の要素（２１）の面積率及び背景隣接輪郭要素（１５Ｂ）の観察部（Ｖ）に重なる第２の要素（２１）の面積率より大きい状態を示している。
【０２０３】
図６１（ａ）に示す配置の潜像模様形成体（２）を斜めから観察すると、潜像隣接輪郭要素（１５Ａ）、背景隣接輪郭要素（１５Ｂ）及び潜像要素（１２Ａ）が形成された部分が第２の要素（２１）の色で観察され、背景要素（１３Ａ）及び輪郭要素（１５Ｃ）が形成された部分は基材（１）の色で観察される。このとき、潜像隣接輪郭要素（１５Ａ）は、潜像要素（１２Ａ）及び背景隣接輪郭要素（１５Ｂ）に対して、第２の要素（２１）が重なる面積が大きいため、濃い色で視認される。また、潜像要素（１２Ａ）の観察部（Ｖ）に重なる第２の要素（２１）の面積率と背景隣接輪郭要素（１５Ｂ）の観察部（Ｖ）に重なる第２の要素（２１）面積率が同じであるため、潜像要素（１２Ａ）と背景隣接輪郭要素（１５Ｂ）は同じ色彩で視認される。結果的に、図６１（ｂ）に示すように、潜像隣接輪郭要素（１５Ａ）から輪郭要素（１５Ｃ）が形成された部分を隔てて背景隣接輪郭要素（１５Ｂ）による輪郭が観察される。なお、第１７の配置で観察される輪郭は、背景隣接輪郭要素（１５Ｂ）の観察部（Ｖ）に重なる第２の要素（２１）の面積率が、潜像隣接輪郭要素（１５Ａ）の観察部（Ｖ）に重なる第２の要素（２１）の面積率と同じ場合、あるいは、背景隣接輪郭要素（１５Ｂ）の観察部（Ｖ）に重なる第２の要素（２１）の面積率が、潜像要素（１２Ａ）の観察部（Ｖ）に重なる第２の要素（２１）の面積率及び潜像隣接輪郭要素（１５Ａ）の観察部（Ｖ）に重なる第２の要素（２１）の面積率と異なる場合においても同様に、潜像隣接輪郭要素（１５Ａ）から輪郭要素（１５Ｃ）が形成された部分を隔てて背景隣接輪郭要素（１５Ｂ）による輪郭が観察される（図示せず）。
【０２０４】
第１８の配置は、第１５の配置及び第１６の配置から、さらに、輪郭要素（１５Ｃ）の観察部（Ｖ）の少なくとも一部に第２の要素（２１）が重なる配置である。なお、第１８の配置においても観察される潜像の輪郭は、潜像隣接輪郭要素（１５Ａ）から輪郭要素（１５Ｃ）を隔てて背景隣接輪郭要素（１５Ｂ）が観察される結果となるため、図５８（ａ）に示す第１６の配置の一例を基に説明し、その他の配置と観察される潜像については説明を省略する。
【０２０５】
図６２（ａ）は、第１８の配置の一例を示す図であり、背景隣接輪郭要素（１５Ｂ）が、潜像隣接輪郭要素 （１５Ａ）から第１のピッチ（Ｐ１）の２倍の位置に配置され、潜像隣接輪郭要素（１５Ａ）と背景隣接輪郭要素（１５Ｂ）の間に輪郭要素（１５Ｃ）が配置され、第１５の配置に対して、さらに、輪郭要素（１５Ｃ）の観察部（Ｖ）の一部に第２の要素（２１）が重なる状態を示している。なお、背景隣接輪郭要素（１５Ｂ）は、潜像隣接輪郭要素（１５Ａ）から第１のピッチ（Ｐ１）の２倍の位置に配置されているため、背景隣接輪郭要素（１５Ｂ）の観察部（Ｖ）に重なる第２の要素（２１）の面積率と潜像隣接輪郭要素（１５Ａ）の観察部（Ｖ）に重なる第２の要素（２１）の面積率は同じになる。また、図６２（ａ）は、潜像隣接輪郭要素（１５Ａ）の観察部（Ｖ）に重なる第２の要素（２１）の面積率及び背景隣接輪郭要素（１５Ｂ）の観察部（Ｖ）に重なる第２の要素（２１）の面積率が、背景要素（１３Ａ）の観察部（Ｖ）に重なる第２の要素（２１）の面積率及び輪郭要素（１５Ｃ）の観察部（Ｖ）に重なる第２の要素（２１）の面積率より大きい状態を示している。
【０２０６】
図６２（ａ）に示す配置の潜像模様形成体（２）を斜めから観察すると、潜像隣接輪郭要素（１５Ａ）、背景隣接輪郭要素（１５Ｂ）、輪郭要素（１５Ｃ）及び背景要素（１３Ａ）が形成された部分が第２の要素（２１）の色で観察され、潜像要素（１２Ａ）が形成された部分は基材（１）の色で観察される。このとき、潜像隣接輪郭要素（１５Ａ）及び背景隣接輪郭要素（１５Ｂ）は、背景要素（１３Ａ）及び輪郭要素（１５Ｃ）に対して、第２の要素（２１）が重なる面積率が大きいため、濃い色で視認される。また、潜像隣接輪郭要素（１５Ａ）の観察部（Ｖ）に重なる第２の要素（２１）の面積率と背景隣接輪郭要素（１５Ｂ）の観察部（Ｖ）に重なる第２の要素（２１）面積率が同じであるため、潜像隣接輪郭要素（１５Ａ）と背景隣接輪郭要素（１５Ｂ）は同じ色彩で視認され、背景要素（１３Ａ）の観察部（Ｖ）に重なる第２の要素（２１）の面積率と輪郭要素（１５Ｃ）の観察部（Ｖ）に重なる第２の要素（２１）面積率が同じであるため、背景要素（１３Ａ）と輪郭要素（１５Ｃ）は同じ色彩で視認される。結果的に、図６２（ｂ）に示すように、潜像隣接輪郭要素（１５Ａ）から輪郭要素（１５Ｃ）が形成された部分を隔てて背景隣接輪郭要素（１５Ｂ）による輪郭が観察される。
【０２０７】
以上、図４４（ｂ）に示す輪郭部（１４）の構成で成る第１の模様（１０）に対して、第２の要素（２１）が重なる配置について説明した。続いて、背景隣接輪郭要素（１５Ｂ）が複数配置された輪郭部（１３）から成る第１の模様（１０）と第２の模様（２０）の配置及び観察される潜像について説明する。はじめに、図４６（ａ）に示すように、背景隣接輪郭要素（１５Ｂ）が潜像隣接輪郭要素（１５Ａ）に連続して複数配置された輪郭部（１４）から成る第１の模様（１０）と第２の模様（２０）の配置及び観察される潜像について説明する。なお、背景隣接輪郭要素（１５Ｂ）を複数配置した場合に観察される潜像は、第１４の配置から第１６の配置のいずれにおいても、二つ目の背景隣接輪郭要素（１５Ｂ２）による輪郭がさらに観察される結果となるため、図５４（ａ）に示す第１４の配置の一例について説明し、その他の配置と観察される潜像については説明を省略する。
【０２０８】
図６３（ａ）は、潜像隣接輪郭要素（１５Ａ）から隣り合う１本目と２本目の第１の要素（１１）において、部分的に位相が異なって背景隣接輪郭要素（１５Ｂ１）と背景隣接輪郭要素（１５Ｂ２）が形成される状態を示しており、背景隣接輪郭要素（１５Ｂ１）は、潜像要素（１２Ａ）の最外線から第１のピッチ（Ｐ１）の２倍の位置に配置され、背景隣接輪郭要素（１５Ｂ２）は、潜像要素（１２Ａ）の最外線から第１のピッチ（Ｐ１）の３倍の位置に配置された状態を示している。第１４の配置は、背景隣接輪郭要素（１５Ｂ）の観察部（Ｖ）に第２の要素（２１）が重なる配置であり、図６３（ａ）に示す配置のとき、背景隣接輪郭要素（１５Ｂ１）及び背景隣接輪郭要素（１５Ｂ２）は、潜像要素（１２Ａ）の最外線から第１のピッチ（Ｐ１）の整数倍の位置にそれぞれ配置されているため、背景隣接輪郭要素（１５Ｂ１）の観察部（Ｖ）に重なる第２の要素（２１）の面積率及び背景隣接輪郭要素（１５Ｂ２）の観察部（Ｖ）に重なる第２の要素（２１）の面積率は、潜像要素（１２Ａ）の観察部（Ｖ）に重なる第２の要素（２１）の面積率と同じになる。また、図６３（ａ）は、潜像隣接輪郭要素（１５Ａ）に重なる第２の要素（２１）の面積率が、背景隣接輪郭要素（１５Ｂ１）の観察部（Ｖ）に重なる第２の要素（２１）の面積率、背景隣接輪郭要素（１５Ｂ２）の観察部（Ｖ）に重なる第２の要素（２１）の面積率及び潜像要素（１２Ａ）の観察部（Ｖ）に重なる第２の要素（２１）の面積率より大きい状態を示している。
【０２０９】
図６３（ａ）に示す配置の潜像模様形成体（２）を斜めから観察すると、背景隣接輪郭要素（１５Ｂ１）、背景隣接輪郭要素（１５Ｂ２）、潜像隣接輪郭要素（１５Ａ）及び潜像要素（１２Ａ）が形成された部分が第２の要素（２１）の色で観察される。このとき、潜像隣接輪郭要素（１５Ａ）は、背景隣接輪郭要素（１５Ｂ１）、背景隣接輪郭要素（１５Ｂ２）及び潜像要素（１２Ａ）に対して、第２の要素（２１）が重なる面積率が大きいため、濃い色で視認される。また、潜像要素（１２Ａ）の観察部（Ｖ）に重なる第２の要素（２１）の面積率、背景隣接輪郭要素（１５Ｂ１）の観察部（Ｖ）に重なる第２の要素（２１）面積率及び背景隣接輪郭要素（１５Ｂ２）の観察部（Ｖ）に重なる第２の要素（２１）面積率が同じであるため、背景隣接輪郭要素（１５Ｂ１）、背景隣接輪郭要素（１５Ｂ２）及び潜像要素（１２Ａ）は同じ色彩で観察される。結果的に、図６３（ｂ）に示すように、背景隣接輪郭要素（１５Ｂ１）と背景隣接輪郭要素（１５Ｂ２）が繋がって、図５４（ｂ）に示す潜像に対して、さらに、輪郭の幅が広くなった潜像が観察される。
【０２１０】
続いて、図４６（ｂ）に示すように、背景隣接輪郭要素（１５Ｂ１）と背景隣接輪郭要素（１５Ｂ２）が、間隔を設けて配置された輪郭部（１３）から成る第１の模様（１０）と第２の模様（２０）の配置及び観察される潜像について説明する。なお、背景隣接輪郭要素（１５Ｂ１）と背景隣接輪郭要素（１５Ｂ２）が、間隔を設けて配置された場合に観察される潜像は、第１４の配置から第１６の配置のいずれにおいても、背景隣接輪郭要素（１５Ｂ１）から輪郭要素（１５Ｃ）を隔てて背景隣接輪郭要素（１５Ｂ２）による輪郭が観察される結果となるため、図５４（ａ）に示す第１４の配置の一例について説明し、その他の配置と観察される潜像については説明を省略する。
【０２１１】
図６４（ａ）は、潜像隣接輪郭要素（１５Ａ）から隣り合う２本目と４本目の第１の要素（１１）において、部分的に位相が異なって背景隣接輪郭要素（１５Ｂ１）及び背景隣接輪郭要素（１５Ｂ２）が形成される状態を示しており、背景隣接輪郭要素（１５Ｂ１）は、潜像要素（１２Ａ）の最外線から第１のピッチ（Ｐ１）の３倍の位置に配置され、背景隣接輪郭要素（１５Ｂ２）は、潜像郭要素（１２Ａ）の最外線から第１のピッチ（Ｐ１）の５倍の位置に配置された状態を示している。第１４の配置は、背景隣接輪郭要素（１５Ｂ）の観察部（Ｖ）に第２の要素（２１）が重なる配置であり、図６４（ａ）に示す配置のとき、背景隣接輪郭要素（１５Ｂ１）及び背景隣接輪郭要素（１５Ｂ２）は、潜像要素（１２Ａ）の最外線から第１のピッチ（Ｐ１）の整数倍の位置にそれぞれ配置されているため、背景隣接輪郭要素（１５Ｂ１）の観察部（Ｖ）に重なる第２の要素（２１）の面積率及び背景隣接輪郭要素（１５Ｂ２）の観察部（Ｖ）に重なる第２の要素（２１）の面積率は、潜像要素（１２Ａ）の観察部（Ｖ）に重なる第２の要素（２１）の面積率と同じになる。また、図６４（ａ）は、潜像隣接輪郭要素（１５Ａ）に重なる第２の要素（２１）の面積率が、背景隣接輪郭要素（１５Ｂ１）の観察部（Ｖ）に重なる第２の要素（２１）の面積率、背景隣接輪郭要素（１５Ｂ２）の観察部（Ｖ）に重なる第２の要素（２１）の面積率及び潜像要素（１２Ａ）の観察部（Ｖ）に重なる第２の要素（２１）の面積率より大きい状態を示している。
【０２１２】
図６４（ａ）に示す配置の潜像模様形成体（２）を斜めから観察すると、背景隣接輪郭要素（１５Ｂ１）、背景隣接輪郭要素（１５Ｂ２）、潜像隣接輪郭要素（１５Ａ）及び潜像要素（１２Ａ）が形成された部分が第２の要素（２１）の色で観察される。このとき、潜像隣接輪郭要素（１５Ａ）は、背景隣接輪郭要素（１５Ｂ１）、背景隣接輪郭要素（１５Ｂ２）及び潜像要素（１２Ａ）に対して、第２の要素（２１）が重なる面積が大きいため、濃い色で視認される。また、潜像要素（１２Ａ）の観察部（Ｖ）に重なる第２の要素（２１）の面積率、背景隣接輪郭要素（１５Ｂ１）の観察部（Ｖ）に重なる第２の要素（２１）面積率及び背景隣接輪郭要素（１５Ｂ２）の観察部（Ｖ）に重なる第２の要素（２１）面積率が同じであるため、潜像要素（１２Ａ）、背景隣接輪郭要素（１５Ｂ１）及び背景隣接輪郭要素（１５Ｂ２）は同じ色彩で観察される。結果的に、図６４（ｂ）に示すように、図５４（ｂ）に示す潜像に対して、背景隣接輪郭要素（１５Ｂ１）から輪郭要素（１５Ｃ２）を隔てて背景隣接輪郭要素（１５Ｂ２）が観察される。
【０２１３】
このように、２つ目の輪郭部（１４）の構成では、背景隣接輪郭要素（１５Ｂ）を配置することによって、潜像隣接輪郭要素（１５Ａ）と異なる色彩の輪郭、２重の輪郭、幅が広くなった輪郭の潜像を観察することができる。
【０２１４】
続いて、第３の実施の形態の三つ目の輪郭部（１４）の構成で成る第１の模様（１０）に対して、第２の模様（２０）が重なる配置について説明する。三つ目の輪郭部（１４）の構成に対して、第２の模様（２０）が重なる配置は５通りの配置があり、それぞれを、第１９の配置〜第２３の配置として説明する。
【０２１５】
第１９の配置は、第２の要素（２１）が、潜像要素（１２Ａ）の観察部（Ｖ）の少なくとも一部と背景隣接輪郭要素（１５Ｂ）の観察部（Ｖ）の少なくとも一部に重なり、背景要素（１３Ａ）の観察部（Ｖ）と輪郭要素（１５Ｃ）の観察部（Ｖ）に重ならない配置である。この場合、背景隣接輪郭要素（１５Ｂ）の観察部（Ｖ）に重なる第２の要素（２１）の面積率は、潜像要素（１２Ａ）の観察部（Ｖ）に重なる第２の要素（２１）の面積率と同じでもよいし、異なってもよい。この配置の一例を図６５（ａ）に示す。
【０２１６】
図６５（ａ）は、背景隣接輪郭要素（１５Ｂ）が、潜像要素（１２Ａ）の最外線から第１のピッチ（Ｐ１）の２倍の位置に配置され、第２の要素（２１）が、潜像要素（１２Ａ）の観察部（Ｖ）の全体及び背景隣接輪郭要素（１５Ｂ）の観察部（Ｖ）の全体に重なり、背景要素（１３Ａ）及び輪郭要素（１５Ｃ）に重ならない状態を示している。なお、背景隣接輪郭要素（１５Ｂ）は、潜像要素（１２Ａ）の最外線から第１のピッチ（Ｐ１）の２倍の位置に配置されているため、背景隣接輪郭要素（１５Ｂ）の観察部（Ｖ）に重なる第２の要素（２１）の面積率と潜像要素（１２Ａ）の観察部（Ｖ）に重なる第２の要素（２１）の面積率は同じになる。
【０２１７】
図６５（ａ）に示す第１９の配置の潜像模様形成体（２）を斜めから観察すると背景隣接輪郭要素（１５Ｂ）及び潜像要素（１２Ａ）が形成された部分が第２の要素（２１）の色で観察される。このとき、潜像要素（１２Ａ）の観察部（Ｖ）に重なる第２の要素（２１）の面積率と背景隣接輪郭要素（１５Ｂ）の観察部（Ｖ）に重なる第２の要素（２１）面積率が同じであるため、潜像要素（１２Ａ）と背景隣接輪郭要素（１５Ｂ）は同じ色彩で視認される。結果的に、図６５（ｂ）に示すように、潜像要素（１２Ａ）の最外線から輪郭要素（１５Ｃ）を隔てて背景隣接輪郭要素（１５Ｂ）が観察され、輪郭が２重となった潜像が観察される。
【０２１８】
なお、図６５（ａ）に示す第１９の配置において、背景隣接輪郭要素（１５Ｂ）の観察部（Ｖ）に重なる第２の要素の面積率が、潜像要素（１２Ａ）の観察部（Ｖ）に重なる第２の要素の面積率と異なる場合、図６５（ｃ）に示すように、潜像部（１２）と異なる色彩で２重の輪郭が観察される。
【０２１９】
第２０の配置は、第２の要素（２１）が、背景要素（１３Ａ）の観察部（Ｖ）の少なくとも一部と輪郭要素（１５Ｃ）の観察部（Ｖ）の少なくとも一部に重なり、潜像要素（１２Ａ）の観察部（Ｖ）及び背景隣接輪郭要素（１５Ｂ）の観察部（Ｖ）に重ならない配置である。この配置の一例を図６６（ａ）に示す。
【０２２０】
図６６（ａ）は、背景隣接輪郭要素（１５Ｂ）が、潜像要素（１２Ａ）の最外線から第１のピッチ（Ｐ１）の２倍の位置に配置され、第２の要素（２１）が、背景要素（１３Ａ）の全体及び輪郭要素（１５Ｃ）の全体に重なり、潜像要素（１２Ａ）及び背景隣接輪郭要素（１５Ｂ）に重ならない状態を示している。なお、輪郭要素（１５Ｃ）は、背景要素（１３Ａ）に対して位相が異なるものではないため、背景要素（１３Ａ）の観察部（Ｖ）に重なる第２の要素（２１）の面積率と輪郭要素（１５Ｃ）の観察部（Ｖ）に重なる第２の要素（２１）の面積率は同じになる。
【０２２１】
図６６（ａ）に示す第２０の配置の潜像模様形成体（２）を斜めから観察すると、背景要素（１３Ａ）と輪郭要素（１５Ｃ）が形成された部分が、第２の要素（２１）の色で観察される。このとき、背景要素（１３Ａ）の観察部（Ｖ）に重なる第２の要素（２１）の面積率と輪郭要素（１５Ｃ）の観察部（Ｖ）に重なる第２の要素（２１）面積率が同じであるため、背景要素（１３Ａ）と輪郭要素（１５Ｃ）は同じ色彩で視認される。結果的に、図６６（ｂ）に示すように、輪郭が２重となった潜像が白抜きで観察される。
【０２２２】
第２１の配置は、第２０の配置から、さらに、第２の要素（２１）が、背景隣接輪郭要素（１５Ｂ）の観察部（Ｖ）の少なくとも一部に重なる配置である。この場合、背景隣接輪郭要素（１５Ｂ）の観察部（Ｖ）に重なる第２の要素（２１）の面積率を、背景要素（１３Ａ）の観察部（Ｖ）及び輪郭要素（１５Ｃ）の観察部（Ｖ）に重なる第２の要素（２１）の面積率と異なるように配置される。この配置の一例について、図６７（ａ）に示す。
【０２２３】
図６７（ａ）は、背景隣接輪郭要素（１５Ｂ）が、潜像要素（１２Ａ）の最外線から第１のピッチ（Ｐ１）の２倍の位置より下側に配置されている状態を示しており、第２の要素（２１）が、背景要素（１３Ａ）の全体、輪郭要素（１５Ｃ）の全体及び背景隣接輪郭要素（１５Ｂ）の観察部（Ｖ）の一部に重なり、潜像要素（１２Ａ）に重ならない状態を示している。また、背景要素（１３Ａ）の観察部（Ｖ）に重なる第２の要素（２１）の面積率と輪郭要素（１５Ｃ）の観察部（Ｖ）に重なる第２の要素（２１）の面積率が同じであり、背景要素（１３Ａ）の観察部（Ｖ）重なる第２の要素（２１）の面積率及び輪郭要素（１５Ｃ）の観察部（Ｖ）に重なる第２の要素（２１）の面積率が、背景隣接輪郭要素（１５Ｂ）の観察部（Ｖ）に重なる第２の要素（２１）の面積率より大きい状態を示している。
【０２２４】
図６７（ａ）に示す第２１の配置の潜像模様形成体（２）を斜めから観察すると、背景要素（１３Ａ）、背景隣接輪郭要素（１５Ｂ）及び輪郭要素（１５Ｃ）が形成された部分が第２の要素（２１）の色で観察される。このとき、背景隣接輪郭要素（１５Ｂ）は、背景要素（１３Ａ）及び輪郭要素（１５Ｃ）に対して、第２の要素（２１）が重なる面積率が小さいため、背景隣接輪郭要素（１５Ｂ）は、背景要素（１３Ａ）と輪郭要素（１５Ｃ）より薄い濃度で観察される。結果的に、図６７（ｂ）に示すように、潜像要素（１２Ａ）、背景要素（１３Ａ）及び輪郭要素（１５Ｃ）と異なる色彩で観察される背景隣接輪郭要素（１５Ｂ）によって、輪郭が２重となった潜像が観察される。
【０２２５】
第２２の配置は、第２０の配置から、さらに、第２の要素（２１）が、潜像要素（１２Ａ）の観察部（Ｖ）の少なくとも一部に重なる配置である。この場合、潜像要素（１２Ａ）に重なる第２の要素（２１）の面積率を、背景要素（１３Ａ）の観察部（Ｖ）及び輪郭要素（１５Ｃ）の観察部（Ｖ）に重なる第２の要素（２１）の面積率と異なるように配置される。この配置の一例について、図６８（ａ）に示す。
【０２２６】
図６８（ａ）は、背景隣接輪郭要素（１５Ｂ）が、潜像要素（１２Ａ）の最外線から第１のピッチ（Ｐ１）の２倍の位置より下側に配置されて、第２の要素（２１）が、背景要素（１３Ａ）の観察部（Ｖ）の全体、輪郭要素（１５Ｃ）の観察部（Ｖ）の全体及び潜像要素（１２Ａ）の観察部（Ｖ）の一部と非観察部（Ｖ’）の全体に重なり、背景隣接輪郭要素（１５Ｂ）に重ならない状態を示している。また、背景要素（１３Ａ）の観察部（Ｖ）に重なる第２の要素（２１）の面積率及び輪郭要素（１５Ｃ）の観察部（Ｖ）に重なる第２の要素（２１）の面積率が、潜像要素（１２Ａ）の観察部（Ｖ）に重なる第２の要素（２１）の面積率より大きい状態を示している。
【０２２７】
図６８（ａ）に示す第２２の配置の潜像模様形成体（２）を斜めから観察すると、潜像要素（１２Ａ）、背景要素（１３Ａ）及び輪郭要素（１５Ｃ）が形成された部分が第２の要素（２１）の色で観察され、背景隣接輪郭要素（１５Ｂ）が形成された部分は基材（１）の色で観察される。このとき、潜像要素（１２Ａ）は、背景要素（１３Ａ）及び輪郭要素（１５Ｃ）に対して、第２の要素（２１）が重なる面積率が小さいため、潜像要素（１２Ａ）は、背景要素（１３Ａ）と輪郭要素（１５Ｃ）より薄い濃度で観察される。結果的に、図６８（ｂ）に示すように、白抜きで観察される背景隣接輪郭要素（１５Ｂ）によって、輪郭が２重となった潜像が観察される。
【０２２８】
第２３の配置は、第２２の配置から、さらに、第２の要素（２１）が、背景隣接輪郭要素（１５Ｂ）の観察部（Ｖ）の少なくとも一部に重なる配置である。この場合、背景隣接輪郭要素（１５Ｂ）の観察部（Ｖ）に重なる第２の要素（２１）の面積率を、背景要素（１３Ａ）の観察部（Ｖ）に重なる第２の要素（２１）の面積率及び輪郭要素（１５Ｃ）の観察部（Ｖ）に重なる第２の要素（２１）の面積率と異なるように配置される。この配置の一例について、図６９（ａ）に示す。
【０２２９】
図６９（ａ）は、背景隣接輪郭要素（１５Ｂ）が、潜像要素（１２Ａ）の最外線から第１のピッチ（Ｐ１）の２倍の位置に配置されて、第２の要素（２１）が、潜像要素（１２Ａ）の観察部（Ｖ）の一部、背景要素（１３Ａ）の観察部（Ｖ）の一部と非観察部（Ｖ’）の全体、輪郭要素（１５Ｃ）の観察部（Ｖ）の一部と非観察部（Ｖ’）の全体及び背景隣接輪郭要素（１５Ｂ）の観察部（Ｖ）の一部に重なる状態を示している。なお、背景隣接輪郭要素（１５Ｂ）は、潜像要素（１２Ａ）の最外線から第１のピッチ（Ｐ１）の２倍の位置に配置されているため潜像要素（１２Ａ）の観察部（Ｖ）に重なる第２の要素（２１）の面積率及び背景隣接輪郭要素（１５Ｂ）の観察部（Ｖ）に重なる第２の要素（２１）の面積率が同じになる。また、図６９（ａ）は、潜像要素（１２Ａ）の観察部（Ｖ）に重なる第２の要素（２１）の面積率及び背景隣接輪郭要素（１５Ｂ）の観察部（Ｖ）に重なる第２の要素（２１）の面積率が、背景要素（１３Ａ）の観察部（Ｖ）に重なる第２の要素（２１）の面積率及び輪郭要素（１５Ｃ）の観察部（Ｖ）に重なる第２の要素（２１）の面積率より大きい状態を示している。
【０２３０】
図６９（ａ）に示す第２３の配置の潜像模様形成体（２）を斜めから観察すると、潜像要素（１２Ａ）、背景要素（１３Ａ）、背景隣接輪郭要素（１５Ｂ）及び輪郭要素（１５Ｃ）が形成された部分が、第２の要素（２１）の色で観察される。このとき、潜像要素（１２Ａ）及び背景隣接輪郭要素（１５Ｂ）は、背景要素（１３Ａ）及び輪郭要素（１５Ｃ）に対して、第２の要素（２１）が重なる面積が大きいため、濃い色で視認される。また、背景要素（１３Ａ）の観察部（Ｖ）に重なる第２の要素（２１）の面積率と輪郭要素（１５Ｃ）の観察部（Ｖ）に重なる第２の要素（２１）面積率が同じであるため、背景要素（１３Ａ）と輪郭要素（１５Ｃ）は同じ色彩で視認される。結果的に、図６９（ｂ）に示すように、背景要素（１３Ａ）と輪郭要素（１５Ｃ）が同じ色彩で観察される中、潜像要素（１２Ａ）と背景隣接輪郭要素（１５Ｂ）が、異なる色彩で観察され、輪郭が２重となった潜像が観察される。
【０２３１】
なお、図６９（ａ）に示す第２３の配置において、背景隣接輪郭要素（１５Ｂ）が、潜像要素（１２Ａ）の最外線から第１のピッチ（Ｐ１）の２倍の位置以外の位置に配置される場合（図示せず）、背景隣接輪郭要素（１５Ｂ）の観察部（Ｖ）に重なる第２の要素（２１）の面積率を、潜像要素（１２Ａ）の観察部（Ｖ）に重なる第２の要素（２１）の面積率、背景要素（１３Ａ）の観察部（Ｖ）に重なる第２の要素（２１）の面積率及び輪郭要素（１５Ｃ）の観察部（Ｖ）に重なる第２の要素（２１）の面積率と異ならせて配置することができるので、その場合、背景隣接輪郭要素（１５Ｂ）は、潜像要素（１２Ａ）、背景要素（１３Ａ）及び輪郭要素（１５Ｃ）と異なる色彩の輪郭として観察される。図６９（ｃ）は、その一例を示したものである。
【０２３２】
このように、三つ目の輪郭部（１４）において、一つの背景隣接輪郭要素（１５Ｂ）が配置された場合、潜像の図柄の上下方向の輪郭部（１３）において、潜像部（１２）と同じ色彩又は異なる色彩で、２重の輪郭が観察される。なお、三つ目の輪郭部（１４）においても背景隣接輪郭要素（１５Ｂ）を複数配置してもよい。その場合、背景隣接輪郭要素（１５Ｂ）と第２の要素（２１）の配置及び観察される潜像の輪郭は、二つ目の輪郭部（１４）の構成で説明したとおりであるので、説明を省略する。
【０２３３】
以上、基材（１）の凹凸を利用して潜像の図柄を形成した潜像模様形成体（２）において、潜像の図柄と輪郭が観察されるための実施の形態について説明をした。
【０２３４】
これら輪郭部（１４）を形成するための第１の実施の形態から第３の実施の形態は、潜像模様に対して単独で使用するだけでなく、潜像模様の各輪郭に対して複合的に利用することも可能である。例えば、図７０に示すような、潜像部（１２）、背景部（１３）及び輪郭部（１４）に区分けされた第１の模様（１０）において、潜像の図柄の左右方向に第１の実施の形態の輪郭部（１４）又は第２の実施の形態の輪郭部（１４）を形成し、潜像の図柄の上下方向に第３の実施の形態の輪郭部（１４）を形成することも可能である。
【０２３５】
また、第１の実施の形態と第３の実施の形態の輪郭部を複合させた場合、図７１（ｂ）に示すように、第１の実施の形態の輪郭要素（１４Ａ）と第３の実施の形態の輪郭要素（１５Ａ）の間隔を第１のピッチ（Ｐ１）の大きさで配置することで、潜像模様の左右方向の輪郭と潜像模様の上下方向の輪郭を同じ色で観察することができる。
【０２３６】
また、潜像模様を同一基材上に複数配置する場合に、潜像模様ごとに異なる実施の形態の輪郭部（１４）を形成することで、異なる輪郭の潜像を観察することができる。また、複数配置された潜像模様ごとに、潜像部（１２）、背景部（１３）及び輪郭部（１４）を構成する第１の要素（１１）の位相を異ならせることによって、潜像模様ごとに潜像部（１２）、背景部（１３）、輪郭部（１４）の色彩が異なる潜像を観察することができる。
【０２３７】
さらに、第１の実施の形態、第２の実施の形態、第３の実施の形態又はそれらを複合的に施した潜像模様形成体に対して、第２の模様（２０）と同じ形成方法で、かつ、基材（１）及び第２の模様（２０）と異なる色相の第３の模様（３０）を追加し、潜像に色変化を持たせることも可能である。そこで第３の模様（３０）について、以下に説明する。
【０２３８】
（第３の模様）
第３の模様（３１）は、図７２に示すように、基材（１）に、第３の要素（３１）が第３の方向に複数配置されて成る。第３の方向は、第１の方向と同じ方向でもよいし、異なる方向でもよい。その他の構成については、第２の模様（２０）と同様である。
【０２３９】
第３の模様（３０）が形成される場合の、第１の模様（１０）、第２の模様（２０）及び第３の模様（３０）の配置は、以下に説明する２通りの配置となる。
【０２４０】
第３の模様（３０）が形成される場合の一つ目の配置は、第１の実施の形態から第３の実施の形態又はそれらを複合的に施した第１の模様（１０）に対して、第２の模様（２０）を構成する第２の要素（２１）が、第１の模様（１０）の潜像部（１２）を構成する第１の要素（１１）、背景部（１３）を構成する第１の要素（１１）及び輪郭部（１４）を構成する第１の要素（１１）のうち、一つの第１の要素（１１）の観察部（Ｖ）の少なくとも一部に重なり、第３の模様（３０）を構成する第３の要素（３１）が、潜像部（１２）を構成する第１の要素（１１）、背景部（１３）を構成する第１の要素（１１）及び輪郭部（１４）を構成する第１の要素（１１）のうち、第２の要素（２１）が重ならない一つの第１の要素（１１）の観察部（Ｖ）の少なくとも一部に重なる配置である。
【０２４１】
このような配置となる理由は、前述したように、第１の模様（１０）と第２の模様（２０）が形成される場合の配置において、潜像部（１２）を構成する第１の要素（１１）、背景部（１３）を構成する第１の要素（１１）、輪郭部（１４）を構成する第１の要素（１１）のうち、異なる位相に配置された２つの第１の要素（１１）に第２の要素（２１）が重なる場合は、第２の要素（２１）が重なる部分が異なる色彩で観察されるために、観察部（Ｖ）に重なる第２の要素（２１）の面積率を異ならせる必要があるが、第３の模様（３０）を形成することによって、潜像部（１２）を構成する第１の要素（１１）、背景部（１３）を構成する第１の要素（１１）、輪郭部（１４）を構成する第１の要素（１１）のうち、２つの要素の一方に第２の要素（２１）が重なり、他方に第３の要素（３１）が重なるように配置すれば、潜像部（１２）、背景部（１３）、輪郭部（１４）をそれぞれ異なる色彩で観察することができるからである。
【０２４２】
このような配置の例としては、第１の実施の形態においては、潜像要素（１２Ａ）、の観察部（Ｖ）の少なくとも一部に第２の要素（２１）が重なり、輪郭要素（１４Ａ）の観察部（Ｖ）の少なくとも一部に第３の要素（３１）が重なる配置であり、第２の実施の形態においては、輪郭要素（１４Ａ）と輪郭要素（１４Ａ）と同じ位相に配置された潜像要素（１２Ａ）のそれぞれの観察部（Ｖ）の少なくとも一部に第２の要素（２１）が重なり、輪郭補助要素（１４Ｂ）の観察部（Ｖ）の少なくとも一部に第３の要素（３１）が重なる配置であり、第３の実施の形態の第１の構成で成る第１の模様（１０）においては、潜像要素（１２Ａ）の観察部（Ｖ）の少なくとも一部に第２の要素（２１）が重なり、潜像隣接輪郭要素（１５Ａ）の観察部（Ｖ）の少なくとも一部に第３の要素（３１）が重なる配置である。なお、第３の模様（３０）が形成される場合の一つ目の配置については、前述した配置に限定されず、第２の模様（２０）を構成する第２の要素（２１）が、第１の模様（１０）の潜像部（１２）を構成する第１の要素（１１）、背景部（１３）を構成する第１の要素（１１）及び輪郭部（１４）を構成する第１の要素（１１）のうち、一つの第１の要素（１１）の観察部（Ｖ）の少なくとも一部に重なり、第３の模様（３０）を構成する第３の要素（３１）が、潜像部（１２）を構成する第１の要素（１１）、背景部（１３）を構成する第１の要素（１１）及び輪郭部（１４）を構成する第１の要素（１１）のうち、第２の要素（２１）が重ならない一つの第１の要素（１１）の観察部（Ｖ）の少なくとも一部に重なる配置であればよい。続いて、第３の模様（３０）が形成される場合の二つ目の配置について説明する。
【０２４３】
第３の模様（３０）が形成される場合の二つ目の配置は、第１の実施の形態から第３の実施の形態又はそれらを複合的に施した第１の模様（１０）に対して、第２の模様（２０）を構成する第２の要素（２１）が、第１の模様（１０）の潜像部（１２）を構成する第１の要素（１１）、背景部（１３）を構成する第１の要素（１１）及び輪郭部（１４）を構成する第１の要素（１１）のうち、異なる位相に配置された２つの第１の要素（１１）の観察部（Ｖ）のそれぞれの少なくとも一部に重なり、第３の模様（３０）を構成する第３の要素（３１）が、潜像部（１２）を構成する第１の要素（１１）、背景部（１３）を構成する第１の要素（１１）及び輪郭部（１４）を構成する第１の要素（１１）のうち、第２の要素（２１）が重ならない第１の要素（１１）の観察部（Ｖ）の少なくとも一部に重なる配置である。この配置は、前述したように、第１の模様（１０）と第２の模様（２０）が形成される場合においては、潜像部（１２）を構成する第１の要素（１１）、背景部（１３）を構成する第１の要素（１１）、輪郭部（１４）を構成する第１の要素（１１）のうち、異なる位相に配置された２つの第１の要素（１１）の観察部（Ｖ）に第２の要素（２１）が異なる面積率で重なれば、輪郭部（１４）が観察される潜像を観察することができるのをそのまま利用しており、第２の要素（２１）が重ならない、第１の要素（１１）の観察部（Ｖ）の少なくとも一部に第３の要素（３１）を重ねることによって、第２の要素（２１）が重ならない部分も、基材（１）と異なる色である第３の要素（３１）の色で観察させるというものである。
【０２４４】
このような配置の例としては、第１の実施の形態においては、潜像要素（１２Ａ）の観察部（Ｖ）と背景要素（１３Ａ）の観察部（Ｖ）に第２の要素（２１）が異なる面積率で重なり、輪郭要素（１４Ａ）の観察部（Ｖ）の少なくとも一部に第３の要素（３１）が重なる配置であり、第２の実施においては、輪郭要素（１４Ａ）と異なる位相に配置された背景要素（１３Ａ）の観察部（Ｖ）と輪郭補助要素（１４Ｂ）の観察部（Ｖ）に第２の要素（２１）が異なる面積率で重なり、輪郭要素（１４Ａ）の観察部（Ｖ）の少なくとも一部と輪郭要素（１４）と同じ位相に配置された潜像要素（１２Ａ）の観察部（Ｖ）の少なくとも一部に第３の要素（３１）が重なる配置であり、第３の実施の形態の第１の構成で成る第１の模様（１０）においては、潜像要素（１２Ａ）の観察部（Ｖ）と潜像隣接輪郭要素（１５Ａ）の観察部（Ｖ）に第２の要素（２１）が異なる面積率で重なり、背景要素（１３Ａ）の観察部（Ｖ）の少なくとも一部に第３の要素（３１）が重なる配置である。なお、第３の模様（３０）が形成される場合の二つ目の配置については、前述した配置に限定されず、第２の模様（２０）を構成する第２の要素（２１）が、第１の模様（１０）の潜像部（１２）を構成する第１の要素（１１）、背景部（１３）を構成する第１の要素（１１）及び輪郭部（１４）を構成する第１の要素（１１）のうち、異なる位相に配置された２つの第１の要素（１１）の観察部（Ｖ）のそれぞれの少なくとも一部に重なり、第３の模様（３０）を構成する第３の要素（３１）が、潜像部（１２）を構成する第１の要素（１１）、背景部（１３）を構成する第１の要素（１１）及び輪郭部（１４）を構成する第１の要素（１１）のうち、第２の要素（２１）が重ならない第１の要素（１１）の観察部（Ｖ）の少なくとも一部に重なる配置であればよい。
【０２４５】
このように、第３の模様（３０）を追加して、潜像部（１２）、背景部（１３）又は輪郭部（１４）を構成する第１の要素（１１）のうち、第２の要素（２１）が重ならないいずれかの要素の観察部（Ｖ）に第３の要素（３１）を重ねて配置することにより、斜めから観察したときの潜像に第３の模様（３０）の色を加えて視認させることが可能となり、潜像模様の真偽判別性、意匠性を高めることができる。
【０２４６】
同様にして、基材（１）、第２の模様（２０）及び第３の模様（３０）と異なる色で成る第ｎの模様（ｎは４以上の整数）を第２の模様（２０）及び第３の模様（３０）と同じ構成で形成し、第２の要素（２１）から第ｎの要素が互いに重ならないように配置することで、潜像模様の真偽判別性、意匠性を高めることができる。ただし、斜めから観察するときに、第２の模様（２０）から第ｎの模様のそれぞれの色を観察するためには、潜像部（１２）、背景部（１３）及び輪郭部（１４）を構成する第１の要素（１１）の観察部（Ｖ）に、第２の模様（２０）から第ｎの模様を構成する各要素がそれぞれ配置される必要があるので、第２の模様（２０）から第ｎの模様の数は、潜像部（１２）、背景部（１３）及び輪郭部（１４）を構成する第１の要素（１１）の位相の数、すなわち、対応する第１の要素（１１）内における位相の数を超えない範囲で形成される。なお、前述したような貴重印刷物においては、第１の要素（１１）の画線の幅（Ｗ１）は、第１のピッチ（Ｐ１）に対して、１／５より大きくするのがよく、例えば第１の実施の形態では、第１のピッチ（Ｐ２）の中に、潜像要素（１２Ａ）、背景要素（１３Ａ）と八つの輪郭要素（１４Ａ）の合計１０個の要素の観察部（Ｖ）をそれぞれ異なる位相に配置することができるので、第２の模様から第１１の模様まで形成することができる。
【０２４７】
以下、実施例を用いて本発明を更に詳細に説明するが、本発明の内容は、これら実施例の範囲に限定されるものではない。
【０２４８】
（実施例１）
実施例１は、第１の実施の形態の構成で作成された潜像模様形成体（２）である。実施例１の潜像模様形成体（２）について、第１の実施の形態で説明した図面を用いて説明する。
【０２４９】
実施例１の潜像模様形成体（２）は、図２に示すように、基材（１）に第１の模様（１０）と第２の模様（２０）が形成されて成る。
【０２５０】
基材（１）は、白色の紙から形成されたものであり、基材（１）の厚さは、１００μｍのものを用いた。
【０２５１】
図３に示す第１の要素（１１）は、画線の幅（Ｗ１）を２００μｍの直線で構成した。そして、第１のピッチ（Ｐ１）を６００μｍとし、第１の要素（１１）を第１の方向に規則的に複数配置して第１の模様（１０）を形成した。さらに、図８（ａ）に示すように、規則的に複数配置した第１の要素（１１）の位相を、部分的に異ならせることにより、潜像部（１２）、背景部（１３）及び輪郭部（１４）から成る第１の模様（１０）を形成した。なお、第１の要素の深さ（ｈ）は、４５μｍの凹形状とし、抄紙機における湿紙の段階で円網により透かし模様として形成した。また、輪郭要素（１４Ａ）は、背景要素（１３Ａ）に対して、第１のピッチ（Ｐ１）の１／３ピッチ位相をずらして形成し、潜像要素（１２Ａ）は、背景要素（１３Ａ）に対して、第１のピッチ（Ｐ１）の２／３ピッチ位相をずらして形成した。また、輪郭要素（１４Ａ）は、潜像要素（１２Ａ）及び背景要素（１３Ａ）と繋がるように形成した。
【０２５２】
図１３に示す第２の要素（２１）は、画線の幅（Ｗ２）を２５０μｍの直線で構成した。そして、第２のピッチ（Ｐ２）を６００μｍとし、第２の要素（２１）を第１の方向と同じ第２の方向に規則的に複数配置して第２の模様（２０）を形成した。なお、第２の模様（２）は、シアンインキ（ＴＫ  ハイユニティネオ  東洋インキ製）を用い、オフセット印刷によって形成した。
【０２５３】
以上の構成から成る第１の模様（１０）と第２の模様（２０）を図２０に示す第１の配置で形成し、潜像模様形成体（２）を作製した。
【０２５４】
このようにして作製した潜像模様形成体（２）を斜めから観察すると、輪郭を有する潜像を観察することができた。
【０２５５】
（実施例２）
実施例２は、実施例１に対して異なる点のみを説明する。実施例２は、凹版インキを印刷して凸形状の第１の要素（１１）を形成し、また、第２の要素（２１）を画素で構成した潜像模様形成（２）である。
【０２５６】
実施例２の第２の要素（５Ａ）は、図７（ａ）に示す文字による画素で構成した。なお、画素の幅（Ｘ２）を２５０μｍ、画素の高さ（Ｗ２）を２５０μｍ、画素のピッチ（ｐ２）を３００μｍで一定のピッチとし第２の要素（２１）を形成した。そして、第２のピッチ（Ｐ２）を６００μｍとし、第２の要素（５Ａ）を規則的に複数配置して第２の模様（５）を形成した。
【０２５７】
このようにして作製した実施例２の潜像模様形成体（２）を、第２の模様（５）が形成された面の垂直方向から観察すると、第２の模様（５）が観察された。このとき、第２の要素（５Ａ）を構成する画素の幅（Ｘ２）が２５０μｍであるのに対して、画素のピッチ（ｐ２）を３００μｍで形成しており、画素の間隔が５０μｍと小さいため、第２の模様（２０）は、直線による第２の要素（２１）で形成された模様と同じように観察された。また、ルーペで拡大して第２の模様（２０）を観察すると、文字による画素が観察された。そして、実施例２の潜像模様形成体（２）を、斜めから観察すると、輪郭を有する潜像を観察することができた。
【０２５８】
このように、実施例２の潜像模様形成体（２）のように、斜めから観察したときの潜像の真偽判別性、意匠性を向上させるだけでなく、第２の要素（２１）を微小な画素で形成することによって、潜像模様形成体（２）に偽造防止効果をもたせることも可能である。
【０２５９】
（実施例３）  
実施例３は、実施例１に対して異なる点のみを説明する。実施例３は、レーザ加工によって凹形状の第１の要素（１１）を形成し、第１の模様（１０）の輪郭部（１４）は、輪郭要素（１４Ａ１）と輪郭要素（１４Ａ２）を二つ配置して成り、さらに第３の模様（３０）を形成したものである。
【０２６０】
実施例３の第１の模様（１０）は、画線の幅（Ｗ１）を１００μｍとし、図７５（ａ）に示すように、背景要素（１３Ａ）と潜像要素（１２Ａ）の間の位相に二つの輪郭要素（１４Ａ１、１４Ａ２）を配置し、それぞれの要素を等間隔に位相をずらして配置した。なお、第１の要素（１１）は、レーザ加工器（レーザマーカ  ＭＤ−Ｖ  キーエンス製）を用い、基材（１）の一部を除去することで形成した。
【０２６１】
実施例１に対して、第２の要素（２１）の画線の幅（Ｗ２）は、１００μｍとして第２の模様（２０）を形成した。
【０２６２】
図７２に示す第３の模様（３０）は、第２の模様（２０）と同じ構成で形成した。なお、第３の模様（３０）は、マゼンタインキ（ＴＫ  ハイユニティネオ  東洋インキ製）を用い、オフセット印刷によって形成した。
【０２６３】
以上の構成から成る第１の模様（１０）と第２の模様（２０）を、図７５（ａ）に示すように配置して潜像模様形成体（２）を作製した。図７５（ａ）は、実施例１の第１の模様（１０）と第２の模様（２０）の配置から、さらに、第３の要素（３１）が輪郭要素（１４Ａ１）に重なる状態を示している。
【０２６４】
このようにして作製した潜像模様形成体（２）を斜めから観察すると、潜像要素（１２Ａ）及び背景要素（１３Ａ）が形成された部分は第２の模様（２０）の色で視認され、輪郭要素（１４Ａ１）が形成された部分は第３の模様（３０）色で視認され、輪郭要素（１４Ａ２）が形成された部分は白抜きとなり、図７５（ｂ）に示す潜像を観察することができた。
【０２６５】
（実施例４）
実施例４は、実施例１に対して異なる点のみを説明する。実施例４は、第２の実施の形態の構成で第１の模様（１０）が形成され、凹形状の第１の要素（１１）をエンボス加工で形成した潜像模様形成（２）である。
【０２６６】
図２７に示す第１の要素（１１）は、画線の幅（Ｗ１）を２００μｍの直線で構成した。そして、第１のピッチ（Ｐ１）を６００μｍとし、第１の要素（１１）を第１の方向に規則的に複数配置して第１の模様（１０）を形成した。さらに、図２７の拡大図に示すように、規則的に複数配置した第１の要素（１１）の位相を、部分的に異ならせることにより、潜像部（１２）、背景部（１３）及び輪郭部（１４）から成る第１の模様（１０）を形成した。また、輪郭補助要素（１４Ｂ）は、背景部（１３）を構成する第１の要素（１１）に対して、第１のピッチ（Ｐ１）の１／３ピッチ位相をずらして形成し、潜像要素（１２Ａ）と輪郭要素（１４Ａ）は、背景要素（１３Ａ）に対して２／３ピッチ位相をずらして形成した。なお、第１の要素（１１）は、第１の模様（１０）の第１の要素（１１）に対して、凸状となる版をプレス機でプレスして形成した。
【０２６７】
以上の構成から成る第１の模様（１０）と第２の模様（２０）を、図３４に示す第５の配置で形成し潜像模様形成体（２）を作製した。
【０２６８】
このようにして作製した潜像模様形成体（２）を斜めから観察すると、２重の輪郭を有する潜像を観察することができた。
【０２６９】
（実施例５）
実施例５は、実施例１に対して異なる点のみを説明する。実施例５は、第３の実施の形態の構成で第１の模様（１０）が形成される潜像模様形成（２）である。
【０２７０】
実施例５の第１の模様（１０）の輪郭部（１４）は、図４２に示す輪郭部（１４）構成で形成した。なお、潜像隣接輪郭要素（１５Ａ）は、背景要素（１３Ａ）に対して、第１のピッチ（Ｐ１）の１／４ピッチ位相をずらして形成し、潜像要素（１２Ａ）は、背景要素（１３Ａ）に対して１／２ピッチ位相をずらして形成した。
【０２７１】
以上の構成から成る第１の模様（１０）と第２の模様（２０）を、図５０（ａ）に示す配置で形成し潜像模様形成体（２）を作成した。
【０２７２】
このようにして作製した、潜像模様形成体（２）を斜めから観察すると、潜像の上下に輪郭を有する潜像を観察することができた。
【０２７３】
（実施例６）
実施例６は、実施例１に対して異なる点のみを説明する。実施例６は、実施例１と実施例５の輪郭部を複合的に施して第１の模様（１０）が形成された潜像模様形成（２）である。
【０２７４】
実施例６の第１の模様（１０）は、図７１に示す構成で形成した。なお、輪郭要素（１４Ａ）は、背景要素（１３Ａ）に対して、第１のピッチ（Ｐ１）の１／３ピッチ位相をずらして形成し、潜像要素（１２Ａ）は、背景要素（１３Ａ）に対して２／３ピッチ位相をずらして形成し、潜像隣接輪郭要素（１５Ａ）は、背景要素（１３Ａ）に対して、第１のピッチ（Ｐ１）の１／３ピッチ位相をずらして形成した。
【０２７５】
以上の構成から成る第１の模様（１０）と第２の模様（２０）を図７６（ａ）に示す配置で形成し潜像模様形成体（２）を作製した。図７６（ａ）は、第２の要素（２１）が潜像要素（１２Ａ）の観察部（Ｖ）の一部、輪郭要素（１４Ａ）の全体及び潜像隣接輪郭要素（１５Ａ）の全体に重なる状態を示している。
【０２７６】
このようにして作製した潜像模様形成体（２）を斜めから観察すると、図７６（ｂ）に示すように、潜像の上下と左右に潜像部及び背景部とは異なる階調の輪郭を有する潜像模様が観察できた。
【０２７７】
（実施例７）
実施例７は、実施例６に対して異なる点のみを説明する。実施例７は、実施例６から、さらに、第３の模様（３０）を形成した潜像模様形成体（２）である。
【０２７８】
図７２に示す第３の模様（３０）を第２の模様（２０）と同じ構成で形成した。また、第２の要素（２１）の画線の幅（Ｗ２）と第３の要素（３１）の画線の幅（Ｗ３）は２００μｍで形成した。なお、第３の模様（３０）は、マゼンタインキ（ＴＫ  ハイユニティネオ  東洋インキ製）を用い、オフセット印刷によって形成した。
【０２７９】
第１の模様（１０）、第２の模様（２０）及び第３の模様（３０）の配置は、図７３（ａ）に示す配置で形成し潜像模様形成体（２）を作製した。
【０２８０】
このようにして作製した潜像模様形成体（２）を斜めから観察すると、潜像部（１２）が第３の模様（３０）の色で視認され、背景部（１３）と輪郭部（１４）が第２の模様（２０）の色で視認されて、図７３（ｂ）に示す潜像を観察することができた。
【０２８１】
（実施例８）
実施例８は、実施例４に対して異なる点のみを説明する。実施例８は、第２の実施の形態と第３の実施の形態を複合的に施した潜像模様形成体（２）である。
【０２８２】
実施例８の第１の模様（１０）は、図７７に示す構成で形成した。第２の実施の形態で構成される輪郭部（１４）は実施例４と同様であり、第３の実施の形態で構成される輪郭部（１４）は、図４４（ａ）に示す構成で形成した。なお、背景隣接輪郭要素（１５Ｂ）は、潜像要素（１２Ａ）の最外線から、第１のピッチ（Ｐ１）の２倍の位置に配置した。
【０２８３】
第１の模様（１０）と第２の模様（２０）の配置は、図７８（ａ）に示すように、第２の要素（２１）が、輪郭要素（１４Ａ）、潜像要素（１２Ａ）及び背景隣接輪郭要素（１５Ｂ）に重なり、背景要素（１３Ａ）、輪郭補助要素（１４Ｂ）及び輪郭要素（１５Ｃ）に重ならない配置とした。
【０２８４】
このようにして作製した潜像模様形成体（２）を斜めから観察すると、図７８（ｂ）に示すように、潜像の上下と左右方向に２重の輪郭をもった潜像を観察することができた。
【０２８５】
（実施例９）
実施例９は、実施例６に対して異なる点のみを説明する。実施例９は実施例６に対して第２の模様（２０）を第１の模様（１０）に対して１度傾斜させて配置したものである。
【０２８６】
第２の模様（２０）は、第１の模様（１０）に対して傾斜させているため、同じ潜像要素（１２Ａ）、同じ背景要素（１３Ａ）及び同じ輪郭要素（１４Ａ）においても、第２の要素（２１）が重なる面積率が部分的に異なる配置となった。
【０２８７】
このようにして作製した潜像模様形成体（２）を斜めから観察すると、潜像部（１２）、背景部（１３）及び輪郭部（１４）は滑らかに階調が変化するグラデーションパターンとなって観察された。
【０２８８】
（実施例１０）
実施例１０は、同一基材上に、実施例６の潜像模様を複数形成し、潜像模様毎に、背景要素（１３Ａ）に対する輪郭要素（１４）の位相と背景要素（１３Ａ）に対する潜像要素（１２Ａ）の位相を異ならせたものである。
【０２８９】
実施例１０では、図７９に示すように、潜像模様毎に、背景要素（１３Ａ）に対する輪郭要素（１４）の位相と背景要素（１３Ａ）に対する潜像要素（１２Ａ）の位相を異ならせる構成とした。
【０２９０】
このようにして作製した潜像模様形成体（２）は、潜像模様毎に、第１の要素（１１）と第２の要素（２１）の重なり具合が変わるが、第１の模様（１０）全体としては、潜像模様毎に潜像部（１２）、背景部（１３）及び輪郭部（１４）の色が異なって潜像が観察することができた。
【０２９１】
（実施例１１）
実施例１１は、本発明の潜像模様を紙基材に形成し、それをプラスチック基材の表裏に貼り付けて作製したカード（５）の例である。
【０２９２】
実施例１１のカード（５）は、図８０に示すプラスチック基材（４）の上側の面に表シート（３Ａ）を貼り付け、下側の面に裏シート（３Ｂ）を貼り付けて作製した。プラスチック基材（４）には、厚さが７００μｍで白色のＰＥＴ基材を用いた。なお、表シート（３Ａ）には、あらかじめ、実施例６の潜像模様形成体を形成し、裏シート（３Ｂ）には、実施例８の潜像模様形成体を形成しておき、図８０に示すように、それぞれのシートに形成した潜像模様が観察できる向きで、表シート（３Ａ）と裏シート（３Ｂ）を、接着剤を用いてプラスチック基材（４）に貼り付けた。
【０２９３】
プラスチック基材（４）に、凹形状又は凸形状の第１の要素（１１）を形成し、印刷によって第２の模様（２０）を形成する場合、加工方法が限定されるのに対し、実施例１１のように、紙基材で成る表シート（３Ａ）と裏シート（３Ｂ）に潜像模様を形成する場合、加工方法が限定されないため、潜像模様形成体が形成されたカード（５）の製造が容易である。また、カード（５）の表裏に異なる潜像模様を形成することによって、カード（５）の偽造を困難にさせることができる。
【符号の説明】
【０２９４】
１      基材
２      潜像模様形成体
３Ａ    表シート
３Ｂ    裏シート
４      プラスチック基材
５      カード
１０    第１の模様
１１    第１の要素
１２    潜像部
１２Ａ  潜像要素
１３    背景部
１３Ａ  背景要素
１４    輪郭部
１４Ａ  輪郭要素（第１の実施の形態、第２の実施の形態）
１４Ｂ  輪郭補助要素（第２の実施の形態）
１５Ａ  潜像隣接輪郭要素（第３の実施の形態）
１５Ｂ  背景隣接郭要素（第３の実施の形態）
１５Ｃ  輪郭要素（第３の実施の形態）
２０    第２の模様
２１    第２の要素
３０    第３の模様
３１    第３の要素
Ｗ１        画線の幅、画素の高さ（第１の要素）
Ｐ１        第１のピッチ
Ｘ１        画素の幅
ｐ１        画素のピッチ
Ｗ２        画線の幅、画素の高さ（第２の要素）
Ｐ２        第２のピッチ
Ｘ３        画素の幅
ｐ１        画素のピッチ
Ｗ３        画線の幅、画素の高さ（第３の要素）
Ｐ３        第３のピッチ
Ｘ３        画素の幅
ｐ３        画素のピッチ
α      第１の方向と第２の方向の傾斜角
Ｖ      観察部
Ｖ’    非観察部
Ｖ１        斜めから観察したときに手前側となる凸形状の表面
Ｖ２        凸形状の上面
Ｖ３        斜めから観察したときに奥側となる凹形状の表面
Ｖ４        基材の平らな部分
Ｖ５        凹形状の下面
Ｑ      凸形状の頂点、
Ｒ      凹形状の底点
【図１】
2011013788.tif 000003
【図２】
2011013788.tif 000004
【図３】
2011013788.tif 000005
【図４】
2011013788.tif 000006
【図５】
2011013788.tif 000007
【図６】
2011013788.tif 000008
【図７】
2011013788.tif 000009
【図８】
2011013788.tif 000010
【図９】
2011013788.tif 000011
【図１０】
2011013788.tif 000012
【図１１】
2011013788.tif 000013
【図１２】
2011013788.tif 000014
【図１３】
2011013788.tif 000015
【図１４】
2011013788.tif 000016
【図１５】
2011013788.tif 000017
【図１６】
2011013788.tif 000018
【図１７】
2011013788.tif 000019
【図１８】
2011013788.tif 000020
【図１９】
2011013788.tif 000021
【図２０】
2011013788.tif 000022
【図２１】
2011013788.tif 000023
【図２２】
2011013788.tif 000024
【図２３】
2011013788.tif 000025
【図２４】
2011013788.tif 000026
【図２５】
2011013788.tif 000027
【図２６】
2011013788.tif 000028
【図２７】
2011013788.tif 000029
【図２８】
2011013788.tif 000030
【図２９】
2011013788.tif 000031
【図３０】
2011013788.tif 000032
【図３１】
2011013788.tif 000033
【図３２】
2011013788.tif 000034
【図３３】
2011013788.tif 000035
【図３４】
2011013788.tif 000036
【図３５】
2011013788.tif 000037
【図３６】
2011013788.tif 000038
【図３７】
2011013788.tif 000039
【図３８】
2011013788.tif 000040
【図３９】
2011013788.tif 000041
【図４０】
2011013788.tif 000042
【図４１】
2011013788.tif 000043
【図４２】
2011013788.tif 000044
【図４３】
2011013788.tif 000045
【図４４】
2011013788.tif 000046
【図４５】
2011013788.tif 000047
【図４６】
2011013788.tif 000048
【図４７】
2011013788.tif 000049
【図４８】
2011013788.tif 000050
【図４９】
2011013788.tif 000051
【図５０】
2011013788.tif 000052
【図５１】
2011013788.tif 000053
【図５２】
2011013788.tif 000054
【図５３】
2011013788.tif 000055
【図５４】
2011013788.tif 000056
【図５５】
2011013788.tif 000057
【図５６】
2011013788.tif 000058
【図５７】
2011013788.tif 000059
【図５８】
2011013788.tif 000060
【図５９】
2011013788.tif 000061
【図６０】
2011013788.tif 000062
【図６１】
2011013788.tif 000063
【図６２】
2011013788.tif 000064
【図６３】
2011013788.tif 000065
【図６４】
2011013788.tif 000066
【図６５】
2011013788.tif 000067
【図６６】
2011013788.tif 000068
【図６７】
2011013788.tif 000069
【図６８】
2011013788.tif 000070
【図６９】
2011013788.tif 000071
【図７０】
2011013788.tif 000072
【図７１】
2011013788.tif 000073
【図７２】
2011013788.tif 000074
【図７３】
2011013788.tif 000075
【図７４】
2011013788.tif 000076
【図７５】
2011013788.tif 000077
【図７６】
2011013788.tif 000078
【図７７】
2011013788.tif 000079
【図７８】
2011013788.tif 000080
【図７９】
2011013788.tif 000081
【図８０】
2011013788.tif 000082
【国際調査報告】
2011013788.tif 000083
2011013788.tif 000084
2011013788.tif 000085
2011013788.tif 000086